(57)【要約】      （修正有）【課題】無認可無線周波数スペクトル帯域を通じてアップリンク制御チャネルを送信するための技法を提供する。【解決手段】ワイヤレスデバイスは、アップリンク制御情報を生成し、無認可無線周波数スペクトル帯域のコンポーネントキャリアのインターレースを通じてアップリンク制御情報を送信する。インターレースは、無認可無線周波数スペクトル帯域における複数の非連続同時リソースブロック６２０、６２５、６３０を含み、インターレースにおける少なくとも２つのリソースブロックは、アップリンク制御情報の異なる部分を含む。【選択図】図６
2020039141.tif 000002
【特許請求の範囲】
【請求項１】
ワイヤレス通信のための方法であって、
ワイヤレスデバイスにおいてアップリンク制御情報を生成することと、
無認可無線周波数スペクトル帯域のキャリアのインターレースを通じて前記アップリンク制御情報を送信することと、前記インターレースの各々が、前記無認可無線周波数スペクトル帯域における複数の非連続同時リソースブロックを備え、
前記インターレースの各々における少なくとも２つのリソースブロックは、前記アップリンク制御情報の異なる部分を備える、
を備え、
前記アップリンク制御情報を生成することが、
ダウンリンク送信を受信することと、
前記ダウンリンク送信に関する確認応答情報を生成することと、前記アップリンク制御情報が前記確認応答情報を備える、
を備えることを特徴とする、
方法。
【請求項２】
前記確認応答情報は、
前記ダウンリンク送信の個別コードブロックまたは前記ダウンリンク送信のコードブロックのグループ、に関するコードブロックレベル確認応答情報、または、
前記ダウンリンク送信の個別トランスポートブロックまたは前記ダウンリンク送信のトランスポートブロックのグループ、に関するトランスポートブロックレベル確認応答情報
を備える、請求項１に記載の方法。
【請求項３】
ジョイントコーディングされた確認応答ビットを生成するために、前記確認応答情報の複数の確認応答ビットに対してジョイントコーディングを実行すること
をさらに備える、請求項１に記載の方法。
【請求項４】
前記キャリアの前記インターレースを通じて前記アップリンク制御情報を送信することは、
前記インターレースの各々の各リソースブロックを通じて前記ジョイントコーディングされた確認応答ビットの異なる部分を送信すること
を備える、請求項３に記載の方法。
【請求項５】
前記複数の非連続同時リソースブロックは、均一拡散パターンに従って周波数で離間される、請求項１に記載の方法。
【請求項６】
前記アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信される、請求項１に記載の方法。
【請求項７】
前記アップリンク制御情報は、前記無認可無線周波数スペクトル帯域に関するチャネル状態情報（ＣＳＩ）を備える、請求項１に記載の方法。
【請求項８】
ワイヤレス通信のための装置であって、
ワイヤレスデバイスにおいてアップリンク制御情報を生成するための手段と、
無認可無線周波数スペクトル帯域のキャリアのインターレースを通じて前記アップリンク制御情報を送信するための手段と、前記インターレースの各々が、前記無認可無線周波数スペクトル帯域における複数の非連続同時リソースブロックを備え、
前記インターレースの各々における少なくとも２つのリソースブロックは、前記アップリンク制御情報の異なる部分を備える、
を備え、
アップリンク制御情報を生成するための前記手段が、
ダウンリンク送信を受信するための手段と、
前記ダウンリンク送信に関する確認応答情報を生成するための手段と、前記アップリンク制御情報が前記確認応答情報を備える、
を備えることを特徴とする、
装置。
【請求項９】
前記確認応答情報は、
前記ダウンリンク送信の個別コードブロックまたは前記ダウンリンク送信のコードブロックのグループ、に関するコードブロックレベル確認応答情報、または、
前記ダウンリンク送信の個別トランスポートブロックまたは前記ダウンリンク送信のトランスポートブロックのグループ、に関するトランスポートブロックレベル確認応答情報
を備える、請求項８に記載の装置。
【請求項１０】
ジョイントコーディングされた確認応答ビットを生成するために、前記確認応答情報の複数の確認応答ビットに対してジョイントコーディングを実行するための手段
をさらに備える、請求項８に記載の装置。
【請求項１１】
前記キャリアの前記インターレースを通じて前記アップリンク制御情報を送信するための前記手段は、
前記インターレースの各々の各リソースブロックを通じて前記ジョイントコーディングされた確認応答ビットの異なる部分を送信するための手段
を備える、請求項１０に記載の装置。
【請求項１２】
前記複数の非連続同時リソースブロックは、均一拡散パターンに従って周波数で離間される、請求項８に記載の装置。
【請求項１３】
前記アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信される、請求項８に記載の装置。
【請求項１４】
前記アップリンク制御情報は、前記無認可無線周波数スペクトル帯域に関するチャネル状態情報（ＣＳＩ）を備える、請求項８に記載の装置。
【請求項１５】
請求項１〜７のうちの一項に記載の方法を実行するための命令を備える、コンピュータプログラム。
【発明の詳細な説明】
【技術分野】
【０００１】
相互参照
[0001]本特許出願は、各々が本出願の譲受人に譲渡される、２０１５年７月３０日に出願された「Ｔｒａｎｓｍｉｓｓｉｏｎ  ｏｆ  Ｕｐｌｉｎｋ  Ｃｏｎｔｒｏｌ  Ｃｈａｎｎｅｌｓ  Ｏｖｅｒ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題するＭａｌｌａｄｉ他による米国特許出願第１４／８１３，４０４号、および２０１４年７月３１日に出願された「Ｔｒａｎｓｍｉｓｓｉｏｎ  ｏｆ  Ｕｐｌｉｎｋ  Ｃｏｎｔｒｏｌ  Ｃｈａｎｎｅｌｓ  Ｏｖｅｒ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題するＭａｌｌａｄｉ他による米国仮特許出願第６２／０３１，７９１号の優先権を主張する。
【０００２】
[0002]本開示は、たとえば、ワイヤレス通信システムに関し、より詳細には、無認可無線周波数スペクトル帯域を通じて（over an unlicensed radio frequency spectrum band）アップリンク制御チャネルを送信するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００４】
[0004]例として、ワイヤレス多元接続通信システムは、場合によってはユーザ機器（ＵＥ）と呼ばれる複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、無認可無線周波数スペクトル帯域を通じた、またはセルラーネットワークの異なる無線周波数スペクトル帯域（たとえば、認可無線周波数スペクトル帯域および／または無認可無線周波数スペクトル帯域）を通じたＵＥとの通信を可能にし得る。認可無線周波数スペクトル帯域（licensed radio frequency spectrum band）を使用するセルラーネットワークにおけるデータトラフィックの増加とともに、無認可無線周波数スペクトル帯域への少なくとも一部のデータトラフィックのオフロードは、セルラー事業者にデータ送信容量の増強のための機会を与え得る。場合によっては、アップリンク制御チャネルが無認可無線周波数スペクトル帯域を通じて送信され得る。そのようなアップリンク制御チャネルの効率的な送信、および／または複数のＵＥからのアップリンク制御チャネルの送信の協調が望ましいことがある。
【発明の概要】
【０００６】
[0006]本開示は、たとえば、無認可無線周波数スペクトル帯域を通じてアップリンク制御チャネルを送信するための１つまたは複数の技法に関する。いくつかの例では、複数のＵＥが、同時に基地局に送信すべきアップリンク制御情報（たとえば、確認応答情報および／またはチャネル状態情報）を有し得る。だが、異なるＵＥのアップリンク制御情報を送信するために利用可能なリソースは有限であり得る。したがって、説明される技法は、複数のＵＥ間での有限数のリソースの効率的および／または柔軟な割振りおよび共有を可能にし、１つまたは複数のＵＥに対するリソースのより大きい、またはより小さい割り当て（share）の提供を可能にする。
【０００７】
[0007]説明のための例の第１のセットでは、ワイヤレス通信のための方法が説明される。一構成では、方法は、ワイヤレスデバイスにおいてアップリンク制御情報を生成することと、無認可無線周波数スペクトル帯域のコンポーネントキャリアのインターレースを通じてアップリンク制御情報を送信することとを含み得る。インターレースは、無認可無線周波数スペクトル帯域における複数の非連続同時リソースブロック（non-contiguous concurrent resource blocks）を含み得る。インターレースにおける少なくとも２つのリソースブロックは、アップリンク制御情報の異なる部分を含み得る。
【０００８】
[0008]方法のいくつかの例では、アップリンク制御情報を生成することは、ダウンリンク送信を受信することと、ダウンリンク送信に関する確認応答情報を生成することとを含み得る。アップリンク制御情報は確認応答情報を含み得る。いくつかの例では、確認応答情報は、ダウンリンク送信の個別コードブロックまたはダウンリンク送信のコードブロックのグループ、に関するコードブロックレベル確認応答情報を含み得る。いくつかの例では、確認応答情報は、ダウンリンク送信の個別トランスポートブロックまたはダウンリンク送信のトランスポートブロックのグループ、に関するトランスポートブロックレベル確認応答情報を含み得る。いくつかの例では、方法は、ジョイントコーディングされた確認応答ビット（jointly coded acknowledgement bits）を生成するために、確認応答情報の複数の確認応答ビットに対してジョイントコーディング（joint coding）を実行することを含み得る。いくつかの例では、ジョイントコーディングはジョイント畳み込みコーディング（joint convolutional coding）であり得る。いくつかの例では、コンポーネントキャリアのインターレースを通じてアップリンク制御情報を送信することは、インターレースの各リソースブロックを通じてジョイントコーディングされた確認応答ビットの異なる部分を送信することを含み得る。
【０００９】
[0009]方法のいくつかの例では、複数の非連続同時リソースブロックは、均一拡散パターンに従って周波数で離間され得る。方法のいくつかの例では、アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信され得る。方法のいくつかの例では、アップリンク制御情報は、無認可無線周波数スペクトル帯域に関するチャネル状態情報（ＣＳＩ）を含み得る。
【００１０】
[0010]説明のための例の第２のセットでは、ワイヤレス通信のための装置が説明される。一構成では、装置は、ワイヤレスデバイスにおいてアップリンク制御情報を生成するための手段と、無認可無線周波数スペクトル帯域のコンポーネントキャリアのインターレースを通じてアップリンク制御情報を送信するための手段とを含み得る。インターレースは、無認可無線周波数スペクトル帯域における複数の非連続同時リソースブロックを含み得る。インターレースにおける少なくとも２つのリソースブロックは、アップリンク制御情報の異なる部分を含み得る。いくつかの例では、装置は、説明のための例の第１のセットに関して上記で説明されたワイヤレス通信のための方法の１つまたは複数の態様を実装するための手段をさらに含み得る。
【００１１】
[0011]説明のための例の第３のセットでは、ワイヤレス通信のための別の装置が説明される。一構成では、装置は、プロセッサと、プロセッサに結合されたメモリとを含み得る。プロセッサは、ワイヤレスデバイスにおいてアップリンク制御情報を生成することと、無認可無線周波数スペクトル帯域のコンポーネントキャリアのインターレースを通じてアップリンク制御情報を送信することとを行うように構成され得る。インターレースは、無認可無線周波数スペクトル帯域における複数の非連続同時リソースブロックを含み得る。インターレースにおける少なくとも２つのリソースブロックは、アップリンク制御情報の異なる部分を含み得る。いくつかの例では、プロセッサはまた、説明のための例の第１のセットに関して上記で説明されたワイヤレス通信のための方法の１つまたは複数の態様を実装するように構成され得る。
【００１２】
[0012]説明のための例の第４のセットでは、プロセッサによって実行可能な命令を記憶するための非一時的コンピュータ可読媒体が説明される。一構成では、非一時的コンピュータ可読媒体は、ワイヤレスデバイスにおいてアップリンク制御情報を生成するための命令と、無認可無線周波数スペクトル帯域のコンポーネントキャリアのインターレースを通じてアップリンク制御情報を送信するための命令とを含み得る。インターレースは、無認可無線周波数スペクトル帯域における複数の非連続同時リソースブロックを含み得る。インターレースにおける少なくとも２つのリソースブロックは、アップリンク制御情報の異なる部分を含み得る。いくつかの例では、非一時的コンピュータ可読媒体はまた、説明のための例の第１のセットに関して上記で説明されたワイヤレス通信のための方法の１つまたは複数の態様を実装するための命令を含み得る。
【００１３】
[0013]説明のための例の第５のセットでは、ワイヤレス通信のための別の方法が説明される。一構成では、方法は、ワイヤレスデバイスにおいて確認応答情報を生成することと、確認応答情報を送信することとを含み得る。確認応答情報は、トランスポートブロック内のコードブロックレベルにおいて、ダウンリンク送信の複数のコードブロックが正しく受信されたかどうかを示し得る。いくつかの例では、確認応答情報は、無認可無線周波数スペクトル帯域のコンポーネントキャリアのインターレースを通じて送信され得る。
【００１４】
[0014]方法のいくつかの例では、確認応答情報は複数のビットを含み得る。各ビットは、個別コードブロックが正しく受信されたかどうかを示し得る。方法のいくつかの例では、確認応答情報は、コードブロックのグループが正しく受信されたかどうかを示す少なくとも１つのビットを含み得る。
【００１５】
[0015]方法のいくつかの例では、インターレースは、無認可無線周波数スペクトル帯域における複数の非連続同時リソースブロックを含み得る。いくつかの例では、インターレースを通じて確認応答情報を送信することは、インターレースのリソースブロックのサブセットを通じて確認応答情報を送信することを含み得る。いくつかの例では、インターレースを通じて確認応答情報を送信することは、インターレースのリソースブロックの異なるサブセットを通じて確認応答情報の異なる部分を送信することを含み得る。いくつかの例では、インターレースを通じて確認応答情報を送信することは、インターレースのリソースブロックの各々を通じて確認応答情報を送信することを含み得る。いくつかの例では、複数の非連続同時リソースブロックは、均一拡散パターンに従って周波数で離間され得る。
【００１６】
[0016]いくつかの例では、方法は、ジョイントコーディングされた確認応答ビットを生成するために、確認応答情報の複数の確認応答ビットに対してジョイントコーディングを実行することを含み得る。いくつかの例では、ジョイントコーディングはジョイント畳み込みコーディングであり得る。いくつかの例では、インターレースを通じて確認応答情報を送信することは、インターレースの各リソースブロックを通じてジョイントコーディングされた確認応答ビットの異なる部分を送信することを含み得る。
【００１７】
[0017]方法のいくつかの例では、確認応答情報は、フォーマット１ａ、フォーマット１ｂ、フォーマット２、およびフォーマット３から成るグループからのＰＵＣＣＨフォーマットに従って送信され得る。いくつかの例では、方法は、無認可無線周波数スペクトル帯域に関するＣＳＩを生成することを含み得、確認応答情報を送信することは、確認応答情報とＣＳＩとを含むアップリンク制御チャネルを送信することを含む。
【００１８】
[0018]説明のための例の第６のセットでは、ワイヤレス通信のための別の装置が説明される。一構成では、装置は、ワイヤレスデバイスにおいて確認応答情報を生成するための手段と、確認応答情報を送信するための手段とを含み得る。確認応答情報は、トランスポートブロック内のコードブロックレベルにおいて、ダウンリンク送信の複数のコードブロックが正しく受信されたかどうかを示し得る。いくつかの例では、確認応答情報は、無認可無線周波数スペクトル帯域のコンポーネントキャリアのインターレースを通じて送信され得る。いくつかの例では、装置は、説明のための例の第５のセットに関して上記で説明されたワイヤレス通信のための方法の１つまたは複数の態様を実装するための手段をさらに含み得る。
【００１９】
[0019]説明のための例の第７のセットでは、ワイヤレス通信のための別の装置が説明される。一構成では、装置は、プロセッサと、プロセッサに結合されたメモリとを含み得る。プロセッサは、ワイヤレスデバイスにおいて確認応答情報を生成することと、確認応答情報を送信することとを行うように構成され得る。確認応答情報は、トランスポートブロック内のコードブロックレベルにおいて、ダウンリンク送信の複数のコードブロックが正しく受信されたかどうかを示し得る。いくつかの例では、確認応答情報は、無認可無線周波数スペクトル帯域のコンポーネントキャリアのインターレースを通じて送信され得る。いくつかの例では、プロセッサはまた、説明のための例の第５のセットに関して上記で説明されたワイヤレス通信のための方法の１つまたは複数の態様を実装するように構成され得る。
【００２０】
[0020]説明のための例の第８のセットでは、プロセッサによって実行可能な命令を記憶するための別の非一時的コンピュータ可読媒体が説明される。一構成では、非一時的コンピュータ可読媒体は、ワイヤレスデバイスにおいて確認応答情報を生成するための命令と、確認応答情報を送信するための命令とを含み得る。確認応答情報は、トランスポートブロック内のコードブロックレベルにおいて、ダウンリンク送信の複数のコードブロックが正しく受信されたかどうかを示し得る。いくつかの例では、確認応答情報は、無認可無線周波数スペクトル帯域のコンポーネントキャリアのインターレースを通じて送信され得る。いくつかの例では、非一時的コンピュータ可読媒体はまた、説明のための例の第５のセットに関して上記で説明されたワイヤレス通信のための方法の１つまたは複数の態様を実装するための命令を含み得る。
【００２１】
[0021]説明のための例の第９のセットでは、ワイヤレス通信のための別の方法が説明される。一構成では、方法は、ダウンリンク送信に関する複数の確認応答ビットを含む確認応答情報を生成することと、ジョイントコーディングされた確認応答ビットを生成するために、複数の確認応答ビットに対してジョイントコーディングを実行することと、無認可無線周波数スペクトル帯域のコンポーネントキャリアのインターレースを通じてジョイントコーディングされた確認応答ビットを送信することとを含み得る。いくつかの例では、ジョイントコーディングはジョイント畳み込みコーディングであり得る。各確認応答ビットは、ダウンリンク送信の別個の部分が正しく受信されたかどうかを示し得る。
【００２２】
[0022]方法のいくつかの例では、インターレースは、無認可無線周波数スペクトル帯域における複数の非連続同時リソースブロックを含み得る。いくつかの例では、インターレースを通じてジョイントコーディングされた確認応答ビットを送信することは、インターレースのリソースブロックのサブセットを通じてジョイントコーディングされた確認応答ビットを送信することを含み得る。いくつかの例では、インターレースを通じてジョイントコーディングされた確認応答ビットを送信することは、インターレースのリソースブロックの異なるサブセットを通じてジョイントコーディングされた確認応答ビットの異なる部分を送信することを含み得る。いくつかの例では、インターレースを通じてジョイントコーディングされた確認応答ビットを送信することは、インターレースのリソースブロックの各々を通じてジョイントコーディングされた確認応答ビットを送信することを含み得る。いくつかの例では、複数の非連続同時リソースブロックは、均一拡散パターンに従って周波数で離間され得る。
【００２３】
[0023]方法のいくつかの例では、ダウンリンク送信の各別個の部分は、コードブロックまたはコードブロックのグループを含み得る。方法のいくつかの例では、ダウンリンク送信の各別個の部分は、トランスポートブロックまたはトランスポートブロックのグループを含み得る。方法のいくつかの例では、ダウンリンク送信の各別個の部分は、１つまたは複数のトランスポートブロックにわたるコードブロックのグループを含み得る。方法のいくつかの例では、ジョイントコーディングされた確認応答ビットは、フォーマット１ａ、フォーマット１ｂ、フォーマット２、およびフォーマット３から成るグループからのＰＵＣＣＨフォーマットに従って送信され得る。いくつかの例では、方法は、無認可無線周波数スペクトル帯域に関するＣＳＩを生成することを含み得、ジョイントコーディングされた確認応答ビットを送信することは、ジョイントコーディングされた確認応答ビットとＣＳＩとを含むアップリンク制御チャネルを送信することを含み得る。
【００２４】
[0024]例示的な例の第１０のセットでは、ワイヤレス通信のための別の装置が説明される。一構成では、装置は、ダウンリンク送信に関する複数の確認応答ビットを含む確認応答情報を生成するための手段と、ジョイントコーディングされた確認応答ビットを生成するために、複数の確認応答ビットに対してジョイントコーディングを実行するための手段と、無認可無線周波数スペクトル帯域のコンポーネントキャリアのインターレースを通じてジョイントコーディングされた確認応答ビットを送信するための手段とを含み得る。いくつかの例では、ジョイントコーディングを実行するための手段は、ジョイント畳み込みコーディングを実行し得る。各確認応答ビットは、ダウンリンク送信の別個の部分が正しく受信されたかどうかを示し得る。いくつかの例では、装置は、説明のための例の第９のセットに関して上記で説明されたワイヤレス通信のための方法の１つまたは複数の態様を実装するための手段をさらに含み得る。
【００２５】
[0025]説明のための例の第１１のセットでは、ワイヤレス通信のための別の装置が説明される。一構成では、装置は、プロセッサと、プロセッサに結合されたメモリとを含み得る。プロセッサは、ダウンリンク送信に関する複数の確認応答ビットを含む確認応答情報を生成することと、ジョイントコーディングされた確認応答ビットを生成するために、複数の確認応答ビットに対してジョイントコーディングを実行することと、無認可無線周波数スペクトル帯域のコンポーネントキャリアのインターレースを通じてジョイントコーディングされた確認応答ビットを送信することとを行うように構成され得る。いくつかの例では、ジョイントコーディングはジョイント畳み込みコーディングであり得る。各確認応答ビットは、ダウンリンク送信の別個の部分が正しく受信されたかどうかを示し得る。いくつかの例では、プロセッサはまた、説明のための例の第９のセットに関して上記で説明されたワイヤレス通信のための方法の１つまたは複数の態様を実装するように構成され得る。
【００２６】
[0026]説明のための例の第１２のセットでは、プロセッサによって実行可能な命令を記憶するための別の非一時的コンピュータ可読媒体が説明される。一構成では、非一時的コンピュータ可読媒体は、ダウンリンク送信に関する複数の確認応答ビットを含む確認応答情報を生成するための命令と、ジョイントコーディングされた確認応答ビットを生成するために、複数の確認応答ビットに対してジョイントコーディングを実行するための命令と、無認可無線周波数スペクトル帯域のコンポーネントキャリアのインターレースを通じてジョイントコーディングされた確認応答ビットを送信するための命令とを含み得る。いくつかの例では、ジョイントコーディングはジョイント畳み込みコーディングであり得る。各確認応答ビットは、ダウンリンク送信の別個の部分が正しく受信されたかどうかを示し得る。いくつかの例では、非一時的コンピュータ可読媒体はまた、説明のための例の第９のセットに関して上記で説明されたワイヤレス通信のための方法の１つまたは複数の態様を実装するための命令を含み得る。
【００２７】
[0027]説明のための例の第１３のセットでは、ワイヤレス通信のための別の方法が説明される。一構成では、方法は、ワイヤレスデバイスにおいてアップリンク制御情報を生成することと、無認可無線周波数スペクトル帯域のアップリンク制御チャネルを通じてアップリンク制御情報を送信することとを含み得る。アップリンク制御チャネルのリソースは、複数の離散的次元（discrete dimension）に分割され得、ワイヤレスデバイスのアップリンク制御情報は、ワイヤレスデバイスのアップリンク制御情報に割り振られたいくつかの離散的次元を通じて送信され得る。
【００２８】
[0028]いくつかの例では、方法は、基地局からスケジューリングメッセージを受信し得る。スケジューリングメッセージは、ワイヤレスデバイスのアップリンク制御情報に割り振られた離散的次元の数（the number of the discrete dimensions）を示し得る。いくつかの例では、ワイヤレスデバイスのアップリンク制御情報に割り振られた離散的次元の数は、ワイヤレスデバイスのアップリンク制御情報のサイズに基づき得る。方法のいくつかの例では、ワイヤレスデバイスのアップリンク制御情報は、アップリンク制御チャネルの複数の離散的次元の各々を通じて送信され得る。
【００２９】
[0029]方法のいくつかの例では、アップリンク制御チャネルのリソースは、無認可無線周波数スペクトル帯域のコンポーネントキャリアのインターレースを含み得る。インターレースは、無認可無線周波数スペクトル帯域における複数の非連続同時リソースブロックを含み得る。いくつかの例では、ワイヤレスデバイスのアップリンク制御情報に割り振られたいくつかの離散的次元のうちの少なくとも１つは、インターレースのリソースブロックのうちの複数のものに及び（span）得る。いくつかの例では、リソースブロックは、離散的次元のうちの異なるものを含み得る。いくつかの例では、複数の非連続同時リソースブロックは、均一拡散パターンに従って周波数で離間され得る。いくつかの例では、アップリンク制御情報は、フォーマット１ａ、フォーマット１ｂ、フォーマット２、およびフォーマット３から成るグループからのＰＵＣＣＨフォーマットに従って送信され得る。
【００３０】
[0030]説明のための例の第１４のセットでは、ワイヤレス通信のための別の装置が説明される。一構成では、装置は、ワイヤレスデバイスにおいてアップリンク制御情報を生成するための手段と、無認可無線周波数スペクトル帯域のアップリンク制御チャネルを通じてアップリンク制御情報を送信するための手段とを含み得る。アップリンク制御チャネルのリソースは、複数の離散的次元に分割され得、ワイヤレスデバイスのアップリンク制御情報は、ワイヤレスデバイスのアップリンク制御情報に割り振られたいくつかの離散的次元を通じて送信され得る。いくつかの例では、装置は、説明のための例の第１３のセットに関して上記で説明されたワイヤレス通信のための方法の１つまたは複数の態様を実装するための手段をさらに含み得る。
【００３１】
[0031]説明のための例の第１５のセットでは、ワイヤレス通信のための別の装置が説明される。一構成では、装置は、プロセッサと、プロセッサに結合されたメモリとを含み得る。プロセッサは、ワイヤレスデバイスにおいてアップリンク制御情報を生成することと、無認可無線周波数スペクトル帯域のアップリンク制御チャネルを通じてアップリンク制御情報を送信することとを行うように構成され得る。アップリンク制御チャネルのリソースは、複数の離散的次元に分割され得、ワイヤレスデバイスのアップリンク制御情報は、ワイヤレスデバイスのアップリンク制御情報に割り振られたいくつかの離散的次元を通じて送信され得る。いくつかの例では、プロセッサはまた、説明のための例の第１３のセットに関して上記で説明されたワイヤレス通信のための方法の１つまたは複数の態様を実装するように構成され得る。
【００３２】
[0032]説明のための例の第１６のセットでは、プロセッサによって実行可能な命令を記憶するための別の非一時的コンピュータ可読媒体が説明される。一構成では、非一時的コンピュータ可読媒体は、ワイヤレスデバイスにおいてアップリンク制御情報を生成するための命令と、無認可無線周波数スペクトル帯域のアップリンク制御チャネルを通じてアップリンク制御情報を送信するための命令とを含み得る。アップリンク制御チャネルのリソースは、複数の離散的次元に分割され得、ワイヤレスデバイスのアップリンク制御情報は、ワイヤレスデバイスのアップリンク制御情報に割り振られたいくつかの離散的次元を通じて送信され得る。いくつかの例では、非一時的コンピュータ可読媒体はまた、説明のための例の第１３のセットに関して上記で説明されたワイヤレス通信のための方法の１つまたは複数の態様を実装するための命令を含み得る。
【００３３】
[0033]説明のための例の第１７のセットでは、ワイヤレス通信のための別の方法が説明される。一構成では、方法は、ワイヤレスデバイスにおいて、送信すべきアップリンクデータをワイヤレスデバイスが有するとの決定に基づいて基準信号を変調することと、無認可無線周波数スペクトル帯域を通じて変調された基準信号を送信することとを含み得る。変調された基準信号は、基地局に対するスケジューリング要求を示し得る。
【００３４】
[0034]方法のいくつかの例では、変調された基準信号を送信することは、無認可無線周波数スペクトル帯域のコンポーネントキャリアのインターレースを通じて変調された基準信号を送信することを含み得る。コンポーネントキャリアのインターレースは、複数の非連続同時リソースブロックを含み得る。いくつかの例では、インターレースは、無認可無線周波数スペクトル帯域のコンポーネントキャリアの帯域幅の大部分に及び得る。
【００３５】
[0035]方法のいくつかの例では、変調された基準信号を送信することは、単一のシンボルの間に変調された基準信号を送信することを含み得る。方法のいくつかの例では、変調された基準信号は、サウンディング基準信号（sounding reference signal）と同時に送信され得る。方法のいくつかの例では、基準信号を変調することは、スケジューリング要求を示すために基準信号の極性（polarity）を変更することを含み得る。
【００３６】
[0036]説明のための例の第１８のセットでは、ワイヤレス通信のための別の装置が説明される。一構成では、装置は、ワイヤレスデバイスにおいて、送信すべきアップリンクデータをワイヤレスデバイスが有するとの決定に基づいて基準信号を変調するための手段と、無認可無線周波数スペクトル帯域を通じて変調された基準信号を送信するための手段とを含み得る。変調された基準信号は、基地局に対するスケジューリング要求を示し得る。いくつかの例では、装置は、説明のための例の第１７のセットに関して上記で説明されたワイヤレス通信のための方法の１つまたは複数の態様を実装するための手段をさらに含み得る。
【００３７】
[0037]説明のための例の第１９のセットでは、ワイヤレス通信のための別の装置が説明される。一構成では、装置は、プロセッサと、プロセッサに結合されたメモリとを含み得る。プロセッサは、ワイヤレスデバイスにおいて、送信すべきアップリンクデータをワイヤレスデバイスが有するとの決定に基づいて基準信号を変調することと、無認可無線周波数スペクトル帯域を通じて変調された基準信号を送信することとを行うように構成され得る。変調された基準信号は、基地局に対するスケジューリング要求を示し得る。いくつかの例では、プロセッサはまた、説明のための例の第１７のセットに関して上記で説明されたワイヤレス通信のための方法の１つまたは複数の態様を実装するように構成され得る。
【００３８】
[0038]説明のための例の第２０のセットでは、プロセッサによって実行可能な命令を記憶するための別の非一時的コンピュータ可読媒体が説明される。一構成では、非一時的コンピュータ可読媒体は、ワイヤレスデバイスにおいて、送信すべきアップリンクデータをワイヤレスデバイスが有するとの決定に基づいて基準信号を変調するための命令と、無認可無線周波数スペクトル帯域を通じて変調された基準信号を送信するための命令とを含み得る。変調された基準信号は、基地局に対するスケジューリング要求を示し得る。いくつかの例では、非一時的コンピュータ可読媒体はまた、説明のための例の第１７のセットに関して上記で説明されたワイヤレス通信のための方法の１つまたは複数の態様を実装するための命令を含み得る。
【００３９】
[0039]説明のための例の第２１のセットでは、ワイヤレス通信のための別の方法が説明される。一構成では、方法は、ワイヤレスデバイスにおいてサウンディング基準信号（ＳＲＳ：sounding reference signal）を生成することと、無認可無線周波数スペクトル帯域のコンポーネントキャリアのインターレースを通じてＳＲＳを送信することとを含み得る。インターレースは、無認可無線周波数スペクトル帯域における複数の非連続同時リソースブロックを含み得る。
【００４０】
[0040]方法のいくつかの例では、ＳＲＳを送信することは、単一のシンボルの間にＳＲＳを送信することを含み得る。方法のいくつかの例では、インターレースは、無認可無線周波数スペクトル帯域のコンポーネントキャリアの帯域幅の大部分に及び得る。方法のいくつかの例では、ＳＲＳは、変調された基準信号と同時に送信され得る。
【００４１】
[0041]説明のための例の第２２のセットでは、ワイヤレス通信のための別の装置が説明される。一構成では、装置は、ワイヤレスデバイスにおいてＳＲＳを生成するための手段と、無認可無線周波数スペクトル帯域のコンポーネントキャリアのインターレースを通じてＳＲＳを送信するための手段とを含み得る。インターレースは、無認可無線周波数スペクトル帯域における複数の非連続同時リソースブロックを含み得る。いくつかの例では、本装置は、説明のための例の第２１のセットに関して上記で説明されたワイヤレス通信のための方法の１つまたは複数の態様を実装するための手段をさらに含み得る。
【００４２】
[0042]説明のための例の第２３のセットでは、ワイヤレス通信のための別の装置が説明される。一構成では、装置は、プロセッサと、プロセッサに結合されたメモリとを含み得る。プロセッサは、ワイヤレスデバイスにおいてＳＲＳを生成することと、無認可無線周波数スペクトル帯域のコンポーネントキャリアのインターレースを通じてＳＲＳを送信することとを行うように構成され得る。インターレースは、無認可無線周波数スペクトル帯域における複数の非連続同時リソースブロックを含み得る。いくつかの例では、プロセッサはまた、説明のための例の第２１のセットに関して上記で説明されたワイヤレス通信のための方法の１つまたは複数の態様を実装するように構成され得る。
【００４３】
[0043]説明のための例の第２４のセットでは、プロセッサによって実行可能な命令を記憶するための別の非一時的コンピュータ可読媒体が説明される。一構成では、非一時的コンピュータ可読媒体は、ワイヤレスデバイスにおいてＳＲＳを生成するための命令と、無認可無線周波数スペクトル帯域のコンポーネントキャリアのインターレースを通じてＳＲＳを送信するための命令とを含み得る。インターレースは、無認可無線周波数スペクトル帯域における複数の非連続同時リソースブロックを含み得る。いくつかの例では、非一時的コンピュータ可読媒体はまた、説明のための例の第２１のセットに関して上記で説明されたワイヤレス通信のための方法の１つまたは複数の態様を実装するための命令を含み得る。
【００４４】
[0044]上記では、以下の詳細な説明がより良く理解され得るように、本開示による例の特徴および技術的利点をやや広く概説した。追加の特徴および利点が以下で説明される。開示される概念および具体例は、本開示の同じ目的を実施するための他の構造を変更または設計するための基礎として容易に利用され得る。そのような等価な構成は、添付の特許請求の範囲から逸脱しない。本明細書で開示される概念の特徴、それらの構成と動作の方法の両方は、関連する利点と一緒に、添付の図とともに考慮されるときに以下の説明からより良く理解されよう。図の各々は、例示および説明の目的で与えられ、特許請求の範囲の限界を定めるものとして与えられるものではない。
【００４５】
[0045]本教示の性質および利点のさらなる理解は、以下の図面を参照して実現され得る。添付の図において、同様の構成要素または特徴は、同じ参照ラベルを有する場合がある。さらに、同じタイプの様々な構成要素は、参照ラベルの後に、ダッシュと、それらの同様の構成要素の間で区別する第２のラベルとを続けることによって区別され得る。本明細書で第１の参照ラベルが使用される場合、説明は、第２の参照ラベルにかかわらず、同じ第１の参照ラベルを有する同様の構成要素のいずれにも適用可能である。
【図面の簡単な説明】
【００４６】
【図１】[0046]本開示の様々な態様による、ワイヤレス通信システムの例を示す図。
【図２】[0047]本開示の様々な態様による、無認可無線周波数スペクトル帯域を使用する様々な状況の下でＬＴＥ（登録商標）／ＬＴＥ−Ａが展開され得るワイヤレス通信システムを示す図。
【図３】[0048]本開示の様々な態様による、無認可無線周波数スペクトル帯域を通じたワイヤレス通信の例を示す図。
【図４Ａ】[0049]本開示の様々な態様による、無認可無線周波数スペクトル帯域へのアクセスを争う（contending for access）ＵＥによって実行されるＵＣＣＡ手順の例を示す図。
【図４Ｂ】[0050]本開示の様々な態様による、無認可無線周波数スペクトル帯域へのアクセスを争うＵＥによって実行される拡張ＣＣＡ（ＥＣＣＡ：extended CCA）手順の例を示す図。
【図５】[0051]本開示の様々な態様による、無認可無線周波数スペクトル帯域における同期する事業者のＣＣＡ免除送信（ＣＥＴ：CCA-Exempt Transmission）のためのリソース割振りの例を示す図。
【図６】[0052]本開示の様々な態様による、無認可無線周波数スペクトル帯域におけるコンポーネントキャリア（ＣＣ：component carrier）帯域幅（ＢＷ：bandwidth）の図。
【図７】[0053]本開示の様々な態様による、フォーマット１、フォーマット１ａ、およびフォーマット１ｂから成るグループからのＰＵＣＣＨフォーマットを有するリソースブロックの図。
【図８】[0054]本開示の様々な態様による、フォーマット２、フォーマット２ａ、フォーマット２ｂ、およびフォーマット３から成るグループからのＰＵＣＣＨフォーマットを有するリソースブロックの図。
【図９】[0055]本開示の様々な態様による、ワイヤレス通信において使用するためのワイヤレスデバイスのブロック図。
【図１０】[0056]本開示の様々な態様による、ワイヤレス通信において使用するためのワイヤレスデバイスのブロック図。
【図１１】[0057]本開示の様々な態様による、ワイヤレス通信において使用するためのワイヤレスデバイスのブロック図。
【図１２】[0058]本開示の様々な態様による、ワイヤレス通信において使用するためのワイヤレスデバイスのブロック図。
【図１３】[0059]本開示の様々な態様による、ワイヤレス通信において使用するためのワイヤレスデバイスのブロック図。
【図１４】[0060]本開示の様々な態様による、ワイヤレス通信において使用するためのワイヤレスデバイスのブロック図。
【図１５】[0061]本開示の様々な態様による、ワイヤレス通信において使用するためのワイヤレスデバイスのブロック図。
【図１６】[0062]本開示の様々な態様による、ワイヤレス通信において使用するためのワイヤレスデバイスのブロック図。
【図１７】[0063]本開示の様々な態様による、ワイヤレス通信において使用するためのワイヤレスデバイスのブロック図。
【図１８】[0064]本開示の様々な態様による、ワイヤレス通信において使用するためのワイヤレスデバイスのブロック図。
【図１９】[0065]本開示の様々な態様による、ワイヤレス通信において使用するためのワイヤレスデバイスのブロック図。
【図２０】[0066]本開示の様々な態様による、ワイヤレス通信において使用するためのＵＥのブロック図。
【図２１】[0067]本開示の様々な態様による、ワイヤレス通信において使用するための基地局（たとえば、ｅＮＢの一部またはすべてを形成する基地局）のブロック図。
【図２２】[0068]本開示の様々な態様による、基地局とＵＥとを含む多入力多出力（ＭＩＭＯ）通信システムのブロック図。
【図２３】[0069]本開示の様々な態様による、ワイヤレス通信のための方法の例を示すフローチャート。
【図２４】[0070]本開示の様々な態様による、ワイヤレス通信のための方法の例を示すフローチャート。
【図２５】[0071]本開示の様々な態様による、ワイヤレス通信のための方法の例を示すフローチャート。
【図２６】[0072]本開示の様々な態様による、ワイヤレス通信のための方法の例を示すフローチャート。
【図２７】[0073]本開示の様々な態様による、ワイヤレス通信のための方法の例を示すフローチャート。
【図２８】[0074]本開示の様々な態様による、ワイヤレス通信のための方法の例を示すフローチャート。
【図２９】[0075]本開示の様々な態様による、ワイヤレス通信のための方法の例を示すフローチャート。
【図３０】[0076]本開示の様々な態様による、ワイヤレス通信のための方法の例を示すフローチャート。
【図３１】[0077]本開示の様々な態様による、ワイヤレス通信のための方法の例を示すフローチャート。
【図３２】[0078]本開示の様々な態様による、ワイヤレス通信のための方法の例を示すフローチャート。
【詳細な説明】
【００４７】
[0079]ワイヤレス通信システムを通じた通信の少なくとも一部分のために無認可無線周波数スペクトル帯域が使用される技法が説明される。いくつかの例では、無認可無線周波数スペクトル帯域は、ロング・ターム・エボリューション（ＬＴＥ）通信および／またはＬＴＥ−Ａｄｖａｎｃｅｄ（ＬＴＥ−Ａ）通信のために使用され得る。無認可無線周波数スペクトル帯域は、認可無線周波数スペクトル帯域と組み合わせて、または認可無線周波数スペクトル帯域から独立して使用され得る。いくつかの例では、無認可無線周波数スペクトル帯域は、無線周波数スペクトル帯域がＷｉ−Ｆｉ（登録商標）用途のような無認可の用途に少なくとも部分的に利用可能であるのでデバイスがアクセスを争う必要があり得る無線周波数スペクトル帯域であり得る。
【００４８】
[0080]認可無線周波数スペクトル帯域を使用するセルラーネットワークにおけるデータトラフィックの増加とともに、無認可無線周波数スペクトル帯域への少なくとも一部のデータトラフィックのオフロードは、セルラー事業者（たとえば、パブリックランド・モバイルネットワーク（ＰＬＭＮ：public land mobile network）および／またはＬＴＥ／ＬＴＥ−Ａネットワークのようなセルラーネットワークを定義する基地局の協調セットの事業者）にデータ送信容量の増強のための機会を与え得る。上述のように、無認可無線周波数スペクトル帯域を通じて通信する前に、デバイスは、媒体へのアクセスを得るためにリッスン・ビフォア・トーク（ＬＢＴ：listen-before-talk）手順を実行し得る。そのようなＬＢＴ手順は、無認可無線周波数スペクトル帯域のチャネルが利用可能であるかどうかを決定するために、クリア・チャネル・アセスメント（ＣＣＡ：clear channel assessment）手順（または拡張ＣＣＡ手順）を実行することを含み得る。チャネルが利用可能ではないと決定されたとき、ＣＣＡ手順（または拡張ＣＣＡ手順）が後で再びチャネルに関して実行され得る。
【００４９】
[0081]ワイヤレス通信のための無認可無線周波数スペクトル帯域の使用は、無認可無線周波数スペクトル帯域を通じてアップリンク制御チャネルが送信される状況を示し得る。アップリンク制御チャネルは、ダウンリンク送信の肯定応答および／もしくは否定応答、ならびに／または無認可無線周波数スペクトル帯域に関するチャネル状態情報などのアップリンク制御情報を含み得る。同時に送信すべきアップリンク制御情報を複数のＵＥが有し得るとき、ＵＥから基地局にアップリンク制御チャネルを送信するための利用可能なリソースの管理が望ましいことがあり、そのような管理により、ＵＥのすべてが同時にアップリンク制御情報を送信することができ、および／またはＵＥの一部もしくはすべてがリソースのより大きい、またはより小さい割り当てを使用することができる。
【００５０】
[0082]以下の説明は、例を与えるものであり、特許請求の範囲に記載される範囲、適用可能性、または例を限定するものではない。本開示の範囲から逸脱することなく、論じられる要素の機能および構成に変更が行われ得る。様々な例は、適宜、様々な手順または構成要素を省略し、置換し、または追加し得る。たとえば、説明される方法は、説明される順序とは異なる順序で実行されてよく、様々なステップが追加され、省略され、または組み合わせられてよい。また、いくつかの例に関して説明される特徴は、他の例では組み合わせられ得る。
【００５１】
[0083]図１は、本開示の様々な態様による、ワイヤレス通信システム１００の例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通じてコアネットワーク１３０とインターフェースし得、ＵＥ１１５との通信のための無線構成およびスケジューリングを実行し得るか、または基地局コントローラ（図示されず）の制御下で動作し得る。様々な例では、基地局１０５は、ワイヤードまたはワイヤレス通信リンクであり得るバックホールリンク１３４（たとえば、Ｘ１など）を通じて互いに直接または間接的に（たとえば、コアネットワーク１３０を通じて）通信し得る。
【００５２】
[0084]基地局１０５は、１つまたは複数の基地局アンテナを介してＵＥ１１５とワイヤレス通信し得る。基地局１０５の各々は、それぞれの地理的カバレージエリア１１０に対して通信カバレージを提供し得る。いくつかの例では、基地局１０５は、基地トランシーバ局、無線基地局、アクセスポイント、無線トランシーバ、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局１０５のための地理的カバレージエリア１１０は、カバレージエリアの一部分を構成するセクタ（図示されず）に分割され得る。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００５３】
[0085]いくつかの例では、ワイヤレス通信システム１００はＬＴＥ／ＬＴＥ−Ａネットワークを含み得る。ＬＴＥ／ＬＴＥ−Ａネットワークでは、拡張または発展型Ｎｏｄｅ  Ｂ（ｅＮＢ）という用語が一般に、基地局１０５を表すために使用され得る一方、ＵＥという用語が一般に、ＵＥ１１５を表すために使用され得る。ワイヤレス通信システム１００は、異なるタイプのｅＮＢが様々な地理的領域に対してカバレージを提供する、異機種ＬＴＥ／ＬＴＥ−Ａネットワークであり得る。たとえば、各ｅＮＢまたは基地局１０５は、マクロセル、スモールセル、および／または他のタイプのセルに対して通信カバレージを提供し得る。「セル」という用語は、コンテキストに応じて、基地局、基地局に関連するキャリアもしくはコンポーネントキャリア、またはキャリアもしくは基地局のカバレージエリア（たとえば、セクタなど）を表すために使用され得る３ＧＰＰ（登録商標）用語である。
【００５４】
[0086]マクロセルは、概して、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、認可、無認可などの）無線周波数スペクトル帯域において動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００５５】
[0087]ワイヤレス通信システム１００は同期動作または非同期動作をサポートし得る。同期動作の場合、基地局は同様のフレームタイミングを有し得、異なる基地局からの送信は近似的に時間的に整列され（aligned）得る。非同期動作の場合、基地局は異なるフレームタイミングを有し得、異なる基地局からの送信は時間的に整列されないことがある。本明細書で説明される技法は、同期動作または非同期動作のいずれかのために使用され得る。
【００５６】
[0088]様々な開示される例のうちのいくつかに適応し得る通信ネットワークは、階層化プロトコルスタック（layered protocol stack）に従って動作するパケットベースネットワークであり得る。ユーザプレーンでは、ベアラまたはパケットデータ・コンバージェンス・プロトコル（ＰＤＣＰ：Packet Data Convergence Protocol）レイヤにおける通信はＩＰベースであり得る。無線リンク制御（ＲＬＣ）レイヤは、論理チャネルを通じて通信するためにパケットセグメンテーションとリアセンブルとを実行し得る。媒体アクセス制御（ＭＡＣ）レイヤは、優先順位処理と、トランスポートチャネルへの論理チャネルの多重化とを実行し得る。ＭＡＣレイヤはまた、リンク効率を改善するために、ＭＡＣレイヤにおいて再送信を行うためにハイブリッド自動再送要求（ＨＡＲＱ）を使用することができ得る。制御プレーンでは、無線リソース制御（ＲＲＣ）プロトコルレイヤが、ＵＥ１１５および基地局１０５またはユーザプレーンデータのための無線ベアラをサポートするコアネットワーク１３０との間のＲＲＣ接続の確立と構成と保守とを行い得る。物理（ＰＨＹ）レイヤにおいて、トランスポートチャネルは物理チャネルにマッピングされ得る。
【００５７】
[0089]ＵＥ１１５は、ワイヤレス通信システム１００全体にわたって分散され得、各ＵＥ１１５は固定式または移動式であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００５８】
[0090]ワイヤレス通信システム１００に示された通信リンク１２５は、基地局１０５からＵＥ１１５へのダウンリンク（ＤＬ）送信、および／またはＵＥ１１５から基地局１０５へのアップリンク（ＵＬ）送信を含み得る。ダウンリンク送信は順方向リンク送信と呼ばれることもあり、一方、アップリンク送信は逆方向リンク送信と呼ばれることもある。いくつかの例では、ＵＬ送信はアップリンク制御情報の送信を含み得、アップリンク制御情報はアップリンク制御チャネル（たとえば、物理アップリンク制御チャネル（ＰＵＣＣＨ）および／または拡張もしくは発展型ＰＵＣＣＨ（ｅＰＵＣＣＨ））を通じて送信され得る。アップリンク制御情報は、たとえば、ダウンリンク送信の肯定応答および／もしくは否定応答、ならびに／またはチャネル状態情報を含み得る。ＵＬ送信はデータの送信をも含み得、データは、物理アップリンク共有チャネル（ＰＵＳＣＨ）および／または拡張もしくは発展型ＰＵＳＣＨ（ｅＰＵＳＣＨ）を通じて送信され得る。ＵＬ送信は、サウンディング基準信号（ＳＲＳ）、（たとえば、図２を参照して説明されるデュアル接続性モード、および／またはスタンドアロンモードでの）物理ランダムアクセスチャネル（ＰＲＡＣＨ）および／または拡張もしくは発展型ＰＲＡＣＨ（ｅＰＲＡＣＨ）、ならびに／あるいは（たとえば、図２を参照して説明されるスタンドアロンモードでの）スケジューリング要求（ＳＲ）および／または拡張もしくは発展型ＳＲ（ｅＳＲ）の送信をも含み得る。いくつかの例では、ｅＳＲは１ビットペイロードを有し得る。チャネルマッピングが採用されるとき、ｅＳＲは、コンポーネントキャリアの帯域幅全体にわたって１つのシンボルに及び、ｅＳＲＳと同じシンボルにおいて送信され、リソースブロック・インターリーブド・サイクリックシフトされたＺａｄｏｆｆ−Ｃｈｕ（ＺＣ）シーケンス（resource block interleaved cyclic-shifted Zadoff-Chu (ZC) sequence）を使用して送信され得る。いくつかの例では、ｅＳＲはペイロードを有しないことがある。チャネルマッピングが採用されるとき、ｅＳＲＳは、コンポーネントキャリアの帯域幅全体にわたって１つのシンボルに及び、ｅＳＲと同じシンボルにおいて送信され、リソースブロック・インターリーブド・サイクリックシフトされたＺＣシーケンスを使用して送信され得る。
【００５９】
[0091]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）から成る信号であり得る。各変調された信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対のスペクトルリソースを使用して）、または時間領域複信（ＴＤＤ）動作を使用して（たとえば、不対のスペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００６０】
[0092]ワイヤレス通信システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコーディングされたデータを搬送する複数の空間レイヤを送信するために、マルチパス環境を利用し得る多入力多出力（ＭＩＭＯ）技法を採用し得る。
【００６１】
[0093]ワイヤレス通信システム１００は、複数のセルまたはキャリア上での動作、すなわち、キャリアアグリゲーション（ＣＡ）またはマルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００６２】
[0094]図２は、本開示の様々な態様による、無認可無線周波数スペクトル帯域を使用する様々な状況の下でＬＴＥ／ＬＴＥ−Ａが展開され得るワイヤレス通信システム２００を示す。より具体的には、図２は、無認可無線周波数スペクトル帯域を使用してＬＴＥ／ＬＴＥ−Ａが展開される、補助ダウンリンクモード（supplemental downlink mode）、キャリアアグリゲーションモード、およびスタンドアロンモードの例を示す。ワイヤレス通信システム２００は、図１を参照して説明されたワイヤレス通信システム１００の部分の例であり得る。その上、第１の基地局２０５および第２の基地局２０６は、図１を参照して説明された基地局１０５のうちの１つまたは複数の態様の例であってよく、第１のＵＥ２１５、第２のＵＥ２１６、第３のＵＥ２１７、および第４のＵＥ２１８は、図１を参照して説明されたＵＥ１１５のうちの１つまたは複数の態様の例であってよい。
【００６３】
[0095]ワイヤレス通信システム２００における補助ダウンリンクモードの例では、第１の基地局２０５は、ダウンリンクチャネル２２０を使用して第１のＵＥ２１５に直交周波数分割多元接続（ＯＦＤＭＡ）波形を送信し得る。ダウンリンクチャネル２２０は、無認可無線周波数スペクトル帯域における周波数Ｆ１に関連付けられ得る。第１の基地局２０５は、第１の双方向リンク２２５を使用して第１のＵＥ２１５にＯＦＤＭＡ波形を送信することができ、第１の双方向リンク２２５を使用して第１のＵＥ２１５からシングルキャリア周波数分割多元接続（ＳＣ−ＦＤＭＡ）波形を受信することができる。第１の双方向リンク２２５は、認可無線周波数スペクトル帯域における周波数Ｆ４に関連付けられ得る。無認可無線周波数スペクトル帯域におけるダウンリンクチャネル２２０および認可無線周波数スペクトル帯域における第１の双方向リンク２２５は、同時に動作し得る。ダウンリンクチャネル２２０は、第１の基地局２０５のためにダウンリンク容量オフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。この状況は、認可無線周波数スペクトル帯域を使用し、トラフィックおよび／またはシグナリングの混雑の一部を緩和する（relieve）必要がある、任意のサービスプロバイダ（たとえば、モバイルネットワーク事業者（ＭＮＯ））に対して生じ（occur with）得る。
【００６４】
[0096]ワイヤレス通信システム２００におけるキャリアアグリゲーションモードの一例では、第１の基地局２０５は、第２の双方向リンク２３０を使用して第２のＵＥ２１６にＯＦＤＭＡ波形を送信することができ、第２の双方向リンク２３０を使用して第２のＵＥ２１６からＯＦＤＭＡ波形、ＳＣ−ＦＤＭＡ波形、および／またはリソースブロック・インターリーブドＦＤＭＡ波形を受信することができる。第２の双方向リンク２３０は、無認可無線周波数スペクトル帯域における周波数Ｆ１に関連付けられ得る。第１の基地局２０５はまた、第３の双方向リンク２３５を使用して第２のＵＥ２１６にＯＦＤＭＡ波形を送信することができ、第３の双方向リンク２３５を使用して第２のＵＥ２１６からＳＣ−ＦＤＭＡ波形を受信することができる。第３の双方向リンク２３５は、認可無線周波数スペクトル帯域における周波数Ｆ２に関連付けられ得る。第２の双方向リンク２３０は、第１の基地局２０５のためにダウンリンクおよびアップリンクの容量オフロードを提供し得る。上記で説明された補助ダウンリンクのように、この状況は、認可無線周波数スペクトルを使用し、トラフィックおよび／またはシグナリングの混雑の一部を緩和する必要がある、任意のサービスプロバイダ（たとえば、ＭＮＯ）に対して生じ得る。
【００６５】
[0097]ワイヤレス通信システム２００におけるキャリアアグリゲーションモードの別の例では、第１の基地局２０５は、第４の双方向リンク２４０を使用して第３のＵＥ２１７にＯＦＤＭＡ波形を送信することができ、第４の双方向リンク２４０を使用して第３のＵＥ２１７からＯＦＤＭＡ波形、ＳＣ−ＦＤＭＡ波形、および／またはリソースブロック・インターリーブド波形を受信することができる。第４の双方向リンク２４０は、無認可無線周波数スペクトル帯域における周波数Ｆ３に関連付けられ得る。第１の基地局２０５はまた、第５の双方向リンク２４５を使用して第３のＵＥ２１７にＯＦＤＭＡ波形を送信することができ、第５の双方向リンク２４５を使用して第３のＵＥ２１７からＳＣ−ＦＤＭＡ波形を受信することができる。第５の双方向リンク２４５は、認可無線周波数スペクトル帯域における周波数Ｆ２に関連付けられ得る。第４の双方向リンク２４０は、第１の基地局２０５のためにダウンリンクおよびアップリンクの容量オフロードを提供し得る。この例および上記で与えられた例は説明の目的で提示され、容量オフロードのために、認可無線周波数スペクトル帯域におけるＬＴＥ／ＬＴＥ−Ａを組み合わせて、無認可無線周波数スペクトル帯域を使用する他の同様の動作モードまたは展開状況があり得る。
【００６６】
[0098]上記で説明されたように、無認可無線周波数スペクトル帯域においてＬＴＥ／ＬＴＥ−Ａを使用することによって提供される容量オフロードから利益を得ることがある１つのタイプのサービスプロバイダは、ＬＴＥ／ＬＴＥ−Ａ認可無線周波数スペクトル帯域へのアクセス権を有する従来のＭＮＯである。これらのサービスプロバイダについて、動作の例は、認可無線周波数スペクトル帯域上のＬＴＥ／ＬＴＥ−Ａ一次コンポーネントキャリア（ＰＣＣ：primary component carrier）と、無認可無線周波数スペクトル帯域上の少なくとも１つの二次コンポーネントキャリア（ＳＣＣ：secondary component carrier）とを使用するブートストラップモード（bootstrapped mode）（たとえば、補助ダウンリンク、キャリアアグリゲーション）を含み得る。
【００６７】
[0099]キャリアアグリゲーションモードでは、データおよび制御は、たとえば、（たとえば、第１の双方向リンク２２５と、第３の双方向リンク２３５と、第５の双方向リンク２４５とを介して）認可無線周波数スペクトル帯域において通信され得、データは、たとえば、（たとえば、第２の双方向リンク２３０と第４の双方向リンク２４０とを介して）無認可無線周波数スペクトル帯域において通信され得る。無認可無線周波数スペクトル帯域を使用するときにサポートされるキャリアアグリゲーション機構は、ハイブリッド周波数分割複信−時分割複信（ＦＤＤ−ＴＤＤ：frequency division duplexing-time division duplexing）キャリアアグリゲーション、またはコンポーネントキャリアにわたって異なる対称性を伴うＴＤＤ−ＴＤＤキャリアアグリゲーションの範疇に入り得る。
【００６８】
[0100]ワイヤレス通信システム２００におけるスタンドアロンモードの一例では、第２の基地局２０６は、双方向リンク２５０を使用して第４のＵＥ２１８にＯＦＤＭＡ波形を送信することができ、双方向リンク２５０を使用して第４のＵＥ２１８からＯＦＤＭＡ波形、ＳＣ−ＦＤＭＡ波形、および／またはリソースブロック・インターリーブドＦＤＭＡ波形を受信することができる。双方向リンク２５０は、無認可無線周波数スペクトル帯域における周波数Ｆ３に関連付けられ得る。スタンドアロンモードは、スタジアム内アクセス（たとえば、ユニキャスト、マルチキャスト）のような、非従来型のワイヤレスアクセスの状況において使用され得る。この動作モードのためのサービスプロバイダのタイプの例は、認可無線周波数スペクトル帯域へのアクセスを有しないスタジアム所有者、ケーブル会社、イベント主催者、ホテル、企業、または大企業であり得る。
【００６９】
[0101]いくつかの例では、図１および／または図２を参照して説明された基地局１０５、２０５、および／または２０６のうちの１つ、および／または図１および／または図２を参照して説明されたＵＥ１１５、２１５、２１６、２１７、および／または２１８のうちの１つのような送信装置は、無認可無線周波数スペクトル帯域のチャネルへの（たとえば、無認可無線周波数スペクトル帯域の物理チャネルへの）アクセスを得るためにゲーティング間隔（gating interval）を使用し得る。ゲーティング間隔は、欧州電気通信標準化機構（ＥＴＳＩ）（ＥＮ３０１  ８９３）において指定されているＬＢＴプロトコルに基づいているリッスン・ビフォア・トーク（ＬＢＴ：listen-before-talk）プロトコルのような、コンテンションベースのプロトコルの適用（application of a contention-based protocol）を定義し得る。ＬＢＴプロトコルの適用を定義するゲーティング間隔を使用するとき、ゲーティング間隔は、送信装置がクリア・チャネル・アセスメント（ＣＣＡ）手順のようなコンテンション手順を実行する必要があるときを示し得る。ＣＣＡ手順の結果は、無認可無線周波数スペクトル帯域のチャネルが（ＬＢＴ無線フレームまたはＣＣＡフレームとも呼ばれる）ゲーティング間隔の間利用可能であるか、または使用中であるかを送信デバイスに示し得る。チャネルが、対応するＬＢＴ無線フレームの間利用可能である（たとえば、使用のために「空いている（clear）」）ことをＣＣＡ手順が示すとき、送信装置は、ＬＢＴ無線フレームの一部またはすべての間に無認可無線周波数スペクトル帯域のチャネルを予約および／または使用し得る。チャネルが利用可能ではないこと（たとえば、チャネルが別の装置によって使用中であるか、または予約されていること）をＣＣＡ手順が示すとき、送信装置は、ＬＢＴ無線フレームの間にチャネルを使用することを妨げられ得る。
【００７０】
[0102]いくつかの例では、送信装置が周期的に無認可無線周波数スペクトル帯域のためのゲーティング間隔を生成し、ゲーティング間隔の少なくとも１つの境界を周期的間隔の少なくとも１つの境界と同期させることが有用であり得る。たとえば、共有無線周波数スペクトル帯域におけるセルラーダウンリンクのための周期的なゲーティング間隔を生成し、周期的なゲーティング間隔の少なくとも１つの境界をセルラーダウンリンクに関連付けられる周期的間隔（たとえば、周期的なＬＴＥ／ＬＴＥ−Ａ無線間隔）の少なくとも１つの境界と同期させることが有用であり得る。
【００７１】
[0103]図３は、本開示の様々な態様による、無認可無線周波数スペクトル帯域を通じたワイヤレス通信３１０の例３００を示す。ゲーティング間隔に対応し得るＬＢＴ無線フレーム３１５は、１０ミリ秒の持続時間を有してよく、いくつかのダウンリンクサブフレーム３２０と、いくつかのアップリンクサブフレーム３２５と、２つのタイプの特別なサブフレーム（たとえば、Ｓサブフレーム３３０およびＳ’サブフレーム３３５）とを含んでよい。Ｓサブフレーム３３０は、ダウンリンクサブフレーム３２０とアップリンクサブフレーム３２５との間の遷移を提供することができ、一方、Ｓ’サブフレーム３３５は、アップリンクサブフレーム３２５とダウンリンクサブフレーム３２０との間の遷移を提供することができる。Ｓサブフレーム３３０の間に、図１および／または図２を参照して上で説明されたＵＥ１１５、２１５、２１６、２１７、および／または２１８のうちの１つまたは複数のような１つまたは複数のＵＥによって、ワイヤレス通信３１０が行われるチャネルをある時間期間の間予約するために、アップリンクＣＣＡ（ＵＣＣＡ）手順３４０が実行され得る。ＵＥによる成功したＵＣＣＡ手順３４０に続いて、ＵＥは、ＵＥがチャネルを予約したという指示を他のＵＥおよび／または装置（たとえば、基地局、Ｗｉ−Ｆｉアクセスポイントなど）に提供するために、チャネル使用ビーコン信号（ＣＵＢＳ：channel usage beacon signal）３４５を送信し得る。いくつかの例では、ＣＵＢＳ３４５は、図６を参照してより詳細に説明されるように、複数のインターリーブド・リソースブロック（interleaved resource blocks）を使用して送信され得る。この方式でＣＵＢＳ３４５を送信することで、ＣＵＢＳ３４５は、無認可無線周波数スペクトル帯域における利用可能な周波数帯域幅の少なくともある割合を占有し、１つまたは複数の規制上の要件（regulatory requirements）（たとえば、ＣＵＢＳ３４５が利用可能な周波数帯域幅の少なくとも８０％を占有するという要件）を満たすことが可能になり得る。ＣＵＢＳ３４５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。ＵＣＣＡ手順３４０が失敗したとき、ＣＵＢＳ３４５は送信されない。
【００７２】
[0104]Ｓサブフレーム３３０は、図３では０〜１３の番号を付された、１４個のＯＦＤＭシンボルを含み得る。Ｓサブフレーム３３０の第１の部分、この例ではシンボル０〜３は、ダウンリンク・パイロット・タイムスロット（ＤｗＰＴＳ：downlink pilot time slot）３５０として使用されてよく、Ｓサブフレーム３３０の第２の部分はガード期間（ＧＰ：guard period）３５５として使用されてよい。Ｓサブフレーム３３０の第３の部分は、ＵＣＣＡ手順３４０のために使用され得る。例３００では、Ｓサブフレーム３３０は、シンボル６〜１２に含まれる７つのＵＣＣＡスロットを含む。様々なＵＥによるＵＣＣＡスロットの使用は、より効率的なシステム動作を提供するために協調させられ得る。いくつかの例では、ＵＣＣＡ手順３４０を実行するために７つの可能なＵＣＣＡスロットのいずれを使用すべきかを決定するために、ＵＥは、以下の形式のマッピング関数を評価し得る。  
【００７３】
【数１】
2020039141.tif 000003
【００７４】
ここで、ＧｒｏｕｐＩＤは、ＵＥに割り当てられた「展開グループｉｄ（deployment group-id）」」であり、ｔは、フレームの間ＵＣＣＡ手順３４０が実行されるそのフレームに対応するＬＢＴ無線フレーム番号である。
【００７５】
[0105]ＵＣＣＡ手順３４０のためのマッピング関数は、マッピング関数が直交化（orthogonalization）の性質を有するかまたは非直交化の性質を有するかに応じて、異なる基準に基づいて構成され得る。直交ＬＢＴアクセス（orthogonal LBT access）を用いる例では、マッピング関数は、以下に従った直交化の性質を有し得る。  
【００７６】
【数２】
2020039141.tif 000004
【００７７】
すべての時間ｔに対して、ｘ≠ｙであるときは常に異なるグループｉｄを表す。この場合、異なるグループｉｄを有する基地局および／またはＵＥは、重複しないＣＣＡスロットの間にＣＣＡ手順（たとえば、ＵＣＣＡ手順３４０）を実行することができる。干渉がない場合、より前のＣＣＡスロットにマッピングするグループｉｄを有するＵＥは、ある時間期間の間チャネルを確保し得る。様々な展開によれば、このマッピング関数は、異なるグループｉｄが適切に長い時間間隔にわたってより前のＣＣＡスロットにマッピングする等しい機会を有する（したがって、他の干渉がない場合にチャネルを確保する）ように、様々な時間インデックスｔにわたって、マッピング｛ＦD/U（ｘ，ｔ），ｔ＝１，２，３，．．．｝が変化するという意味で公正である。
【００７８】
[0106]同じネットワーク事業者／サービスプロバイダによって展開されるすべての基地局およびＵＥは、それらがコンテンションプロセスにおいて互いを先取りしないように、同じグループｉｄを割り当てられ得る。これにより、同じ展開の基地局とＵＥとの間で完全な周波数再利用が可能になり、システムスループットの向上につながる。異なる展開の基地局および／またはＵＥは、直交ＣＣＡスロットマッピングによって、チャネルへのアクセスが相互に排他的になるように、異なるグループｉｄを割り当てられ得る。
【００７９】
[0107]直交しないＣＣＡスロットアクセスまたは重複するＣＣＡスロットアクセスを伴う例では、マッピング関数は、８つ以上のグループｉｄを許容し得る。いくつかの状況では、たとえば、８つ以上の展開グループｉｄをサポートすることが有用であることがあり、その場合、ＣＣＡスロットマッピング関数の直交性の性質を維持することが可能ではない。そのような場合、任意の２つのグループｉｄ間の衝突の頻度を下げることが望ましいことがある。いくつかの例では、直交しないＣＣＡスロットマッピングシーケンスはまた、ＬＢＴの機会についての緊密な協調を伴わずに、複数の展開の間で公正なチャネルアクセスを与えるために使用され得る。直交しないＣＣＡスロットマッピングシーケンスの一例は、以下によって与えられる。  
【００８０】
【数３】
2020039141.tif 000005
【００８１】
ここで、Ｒ1,7（ｘ，ｔ）は、ＧｒｏｕｐＩＤ  ｘについて独立して選ばれる１と７の間の擬似乱数生成器（pseudo-random number generator）である。この場合、同じＬＢＴ無線フレームｔにおける異なるＧｒｏｕｐＩＤの基地局および／またはＵＥ間に潜在的な衝突があり得る。
【００８２】
[0108]したがって、ＣＣＡスロットは、上記のマッピング関数に従って選択され、ＵＣＣＡ手順３４０のために使用され得る。
【００８３】
[0109]図３では、各ＵＣＣＡ手順３４０の持続時間は固定されている。しかしながら、いくつかの例では、ＵＣＣＡ手順３４０の持続時間は変わり得る。
【００８４】
[0110]図４Ａは、本開示の様々な態様による、無認可無線周波数スペクトル帯域へのアクセスを争うＵＥによって実行されるＵＣＣＡ手順４１５の例４００を示す。ＵＣＣＡ手順４１５は、固定持続時間を有し、図３を参照して説明されたＵＣＣＡ手順３４０と同様に実行され得る。いくつかの例では、ＵＣＣＡ手順４１５は、ＬＢＴフレームベースの機器（ＬＢＴ−ＦＢＥ：LBT-frame based equipment）プロトコル（たとえば、ＥＮ３０１  ８９３によって説明されるＬＢＴ−ＦＢＥプロトコル）に従って実行され得る。ＵＣＣＡ手順４１５に続いて、ＣＵＢＳ４２０が送信され、その後にアップリンク送信が続き得る。例として、アップリンク送信は、３つのサブフレームの意図された持続時間４０５と３つのサブフレームの実際の持続時間４１０とを有し得る。いくつかの例では、アップリンク送信は、物理アップリンク制御チャネル（ＰＵＣＣＨ）および／または拡張もしくは発展型ＰＵＣＣＨ（ｅＰＵＣＣＨ）のようなアップリンク制御チャネルの送信を含み得る。
【００８５】
[0111]図４Ｂは、本開示の様々な態様による、無認可無線周波数スペクトル帯域へのアクセスを争うＵＥによって実行される拡張ＣＣＡ（ＥＣＣＡ）手順４３０の例４５０を示す。ＥＣＣＡ手順４３０は、可変持続時間を有し、図３および／または図４を参照して説明されたＵＣＣＡ手順３４０および／または４１５の代替として実行され得る。いくつかの例では、ＥＣＣＡ手順４３０は、ＬＢＴ負荷ベースの機器（ＬＢＴ−ＬＢＥ：LBT-load based equipment）プロトコル（たとえば、ＥＮ３０１  ８９３によって説明されるＬＢＴ−ＬＢＥプロトコル）に従って実行され得る。ＥＣＣＡ手順４３０により、無認可無線周波数スペクトル帯域にアクセスするためのコンテンションに勝利する可能性が高くなり得るが、潜在的損失としてアップリンク送信が短くなり得る。ＥＣＣＡ手順４３０に続いて、ＣＵＢＳ４３５が送信され、その後にアップリンク送信が続き得る。例として、アップリンク送信は、３つのサブフレームの意図された持続時間４０５と２つのサブフレームの実際の持続時間４２５とを有し得る。いくつかの例では、アップリンク送信は、ＰＵＣＣＨおよび／またはｅＰＵＣＣＨのようなアップリンク制御チャネルの送信を含み得る。
【００８６】
[0112]図５は、本開示の様々な態様による、無認可無線周波数スペクトル帯域における同期する事業者のＣＣＡ免除送信（ＣＥＴ）のためのリソース割振りの例５００を示す。ＣＥＴは、無認可無線周波数スペクトル帯域に最初にアクセスするためにＣＣＡ（たとえば、ＤＣＣＡまたはアップリンクＣＣＡ（ＵＣＣＡ））を実行する必要なく、行われ得る。代わりに、事業者は、ＣＥＴを送信する目的でＣＣＡを実行することを免除され得る。
【００８７】
[0113]示されるように、ＣＥＴのためのリソース５０５の割振りは、たとえば、８０ミリ秒（８０ｍｓ）ごとに１回、またはＣＥＴ期間ごとに１回行われてよく、ここでＣＥＴ期間は設定可能な周期性を有し得る。無認可無線周波数スペクトル帯域におけるいくつかの事業者（たとえば、異なるＰＬＭＮ）の各々は、ＣＥＴを送信するための別の１つのサブフレーム（図示されている）または複数のサブフレーム（図示されず）を与えられ得る。例として、図５は、７つの異なる事業者（たとえば、事業者ＰＬＭＮ１、ＰＬＭＮ２、…、ＰＬＭＮ７）に対する隣接ＣＥＴサブフレームを示す。そのようなＣＥＴ送信フレームワークは、基地局とＵＥとの間のダウンリンクおよび／またはアップリンクに適用可能であり得る。いくつかの例では、ＣＥＴは、アップリンク制御情報を送信するためにワイヤレスデバイス（たとえば、ＵＥ）によって使用され得る。
【００８８】
[0114]図６は、本開示の様々な態様による、無認可無線周波数スペクトル帯域におけるコンポーネントキャリア（ＣＣ）帯域幅（ＢＷ）の図６００を示す。いくつかの例では、ＣＣ  ＢＷは、リソースブロック６２０、６２５、および／または６３０の複数のインターレース６０５、６１０、および／または６１５に分割され得る。インターレース６０５、６１０、および／または６１５の各々は、複数の非連続同時リソースブロックを含むことができ、リソースブロックは、均一拡散パターンまたは不均一拡散パターンに従って周波数で離間され得る。例として、図６は、均一拡散パターンに従って周波数で離間されたリソースブロック（たとえば、１０個のリソースブロック）を各インターレースが有する、複数のインターレース（たとえば、１０個のインターレース）を示す。いくつかの例では、インターレース６０５、６１０、および／または６１５の各々は、ＣＣ  ＢＷの大部分に及び得る。
【００８９】
[0115]いくつかの例では、いくつかのワイヤレスデバイス（たとえば、１つまたは複数のワイヤレスデバイス）の各々は、無認可無線周波数スペクトル帯域を通じてアップリンク制御チャネル（たとえば、拡張または発展型ＰＵＣＣＨ（ｅＰＵＣＣＨ））を送信するために、リソースブロックのインターレース６０５、６１０、および／または６１５の各々を使用し得る。アップリンク制御チャネルの各々は、たとえば、無認可無線周波数スペクトル帯域を通じてワイヤレスデバイスにおいて基地局から受信されたダウンリンク送信に関するハイブリッド自動再送要求（ＨＡＲＱ）確認応答情報（たとえば、ＨＡＲＱ肯定応答（ＡＣＫ）および／または否定応答（ＮＡＣＫ））、および／または無認可無線周波数スペクトル帯域に関するチャネル状態情報（ＣＳＩ）を含み得る。いくつかの例では、アップリンク制御チャネルは、シングルキャリア周波数領域多元接続（ＳＣ−ＦＤＭＡ）フォーマットを使用して送信され得る。いくつかの例では、ワイヤレスデバイスは、図１および／または図２を参照して説明されたＵＥ１１５、２１５、２１６、２１７、および／または２１８の例であり得る。
【００９０】
[0116]図６に示されるコンポーネントキャリア帯域幅を使用して送信されるいくつかのアップリンク制御チャネルの各々は、いくつかの離散的次元においてリソースを利用し得る。いくつかのアップリンク制御チャネルによって使用されるためにリソースが割り振られる、および／または選択される方法は、コンポーネントキャリア帯域幅のワイヤレスデバイス容量およびペイロード容量を決定し得る。
【００９１】
[0117]図７は、本開示の様々な態様による、フォーマット１、フォーマット１ａ、およびフォーマット１ｂから成るグループからのＰＵＣＣＨフォーマットを有するリソースブロック７０５の図７００を示す。いくつかの例では、リソースブロック７０５は、図６を参照して説明されたリソースブロックのうちの１つまたは複数（たとえば、リソースブロック６２０、６２５、および／または６３０のうちの１つまたは複数）の例であり得る。
【００９２】
[0118]例として、リソースブロック７０５は、時間および／または周波数の次元に広がっている（たとえば、リソース要素７１０および／または７１５を含む）複数のリソース要素を含み得る。いくつかの例では、リソースブロック７０５は、（０〜１３の番号を付された）１４個のＯＦＤＭシンボルに及ぶリソース要素と、２つのスロット７２０および７２５と、１つのサブフレーム７３０と、１つの帯域幅（ＢＷ）に及ぶ１２個の周波数サブキャリアとを含み得る。いくつかの例では、サブフレーム７３０の持続時間は１ミリ秒であり得る。
【００９３】
[0119]ＬＴＥ／ＬＴＥ−Ａ規格によれば、フォーマット１、フォーマット１ａ、およびフォーマット１ｂから成るグループからのＰＵＣＣＨフォーマットを有するリソースブロック７０５は、ＺＣシーケンス上に多重化された情報を含み得る。そのようなリソースブロック７０５はまた、スロット７２０および７２５ごとに、３つの基準シンボル（たとえば、復調基準信号（ＤＭ−ＲＳ：demodulation reference signals）リソース要素を含む、３つのＤＭ−ＲＳ）と（データリソース要素を含む）４つの４位相シフトキーイング（ＱＰＳＫ）データシンボルとを含み得る。スロットごとの３つの基準シンボルは、時間領域拡散（長さ３の３つの離散フーリエ変換（ＤＦＴ）シーケンス）と周波数領域拡散（１２個のサイクリックシフト）とをもたらす。スロットごとの４つのＱＰＳＫデータシンボルも、時間領域拡散（４つのアダマールシーケンス（Hadamard sequences））と周波数領域拡散（１２個のサイクリックシフト）とをもたらす。リソースブロック７０５を使用し得る最大数のワイヤレスデバイスは、｛３×１２，４×１２｝の最小数すなわち３６個のワイヤレスデバイスである。いくつかの例では、ワイヤレスデバイスは、図１および／または図２を参照して説明されたＵＥ１１５、２１５、２１６、２１７、および／または２１８のようなＵＥであり得る。最大数のワイヤレスデバイスがリソースブロック７０５を使用しているときに１ミリ秒（たとえば、１サブフレーム）において各ワイヤレスデバイスに割り振られ得る最大ペイロードサイズは、２ビットである。
【００９４】
[0120]図８は、本開示の様々な態様による、フォーマット２、フォーマット２ａ、フォーマット２ｂ、およびフォーマット３から成るグループからのＰＵＣＣＨフォーマットを有するリソースブロック８０５の図８００を示す。いくつかの例では、リソースブロック８０５は、図６を参照して説明されたリソースブロックのうちの１つまたは複数（たとえば、リソースブロック６２０、６２５、および／または６３０のうちの１つまたは複数）の例であり得る。
【００９５】
[0121]例として、リソースブロック８０５は、時間および／または周波数の次元に広がっている（たとえば、リソース要素８１０および／または８１５を含む）複数のリソース要素を含み得る。いくつかの例では、リソースブロック８０５は、（０〜１３の番号を付された）１４個のＯＦＤＭシンボルに及ぶリソース要素と、２つのスロット８２０および８２５と、１つのサブフレーム８３０と、１つの帯域幅（ＢＷ）に及ぶ１２個の周波数サブキャリアとを含み得る。いくつかの例では、サブフレーム８３０の持続時間は１ミリ秒であり得る。
【００９６】
[0122]ＬＴＥ／ＬＴＥ−Ａ規格によれば、フォーマット２、フォーマット２ａ、およびフォーマット２ｂから成るグループからのＰＵＣＣＨフォーマットを有するリソースブロック８０５は、ＺＣシーケンス上に多重化された情報を含み得る。そのようなリソースブロック８０５はまた、スロット８２０および８２５ごとに、２つの基準シンボル（たとえば、ＤＭ−ＲＳリソース要素を含む、２つのＤＭ−ＲＳ）と（データリソース要素を含む）５つのＱＰＳＫデータシンボルとを含み得る。スロットごとの２つの基準シンボルは、時間領域拡散（長さ２の２つのアダマールシーケンス）と周波数領域拡散（１２個のサイクリックシフト）とをもたらす。スロットごとの５つのＱＰＳＫデータシンボルは、周波数領域拡散（１２個のサイクリックシフト）をもたらす。フォーマット２ａとフォーマット２ｂとを使用するとき、データシンボルが２つの基準シンボル上で多重化され得る。リソースブロック８０５を使用し得る最大数のワイヤレスデバイスは、｛２×１２，１２｝の最小数すなわち１２個のワイヤレスデバイスである。いくつかの例では、ワイヤレスデバイスは、図１および／または図２を参照して説明されたＵＥ１１５、２１５、２１６、２１７、および／または２１８のようなＵＥであり得る。最大数のワイヤレスデバイスがリソースブロック８０５を使用しているときに１ミリ秒（たとえば、１サブフレーム）において各ワイヤレスデバイスに割り振られ得る最大ペイロードサイズは、２個のタイムスロット＊２個のＱＰＳＫデータシンボル＊５個のリソース要素＝２０ビットである。
【００９７】
[0123]また、ＬＴＥ／ＬＴＥ−Ａ規格によれば、ＰＵＣＣＨフォーマット３を有するリソースブロック８０５は、ＺＣシーケンス上に多重化された情報を含み得る。そのようなリソースブロック８０５はまた、スロット８２０および８２５ごとに、２つの基準シンボル（たとえば、２つのＤＭ−ＲＳ）と１２個のＱＰＳＫデータシンボルとを含み得る。スロットごとの２つの基準シンボルは、時間領域拡散（長さ２の２つのアダマールシーケンス）と周波数領域拡散（１２個のサイクリックシフト）とをもたらす。スロットごとの１２個のＱＰＳＫデータシンボルは、時間領域拡散（５個のシーケンス）をもたらす。リソースブロック８０５を使用し得る最大数のワイヤレスデバイスは５個である。いくつかの例では、ワイヤレスデバイスは、図１および／または図２を参照して説明されたＵＥ１１５、２１５、２１６、２１７、および／または２１８のようなＵＥであり得る。最大数のワイヤレスデバイスがリソースブロック８０５を使用しているときに１ミリ秒（たとえば、１サブフレーム）において各ワイヤレスデバイスに割り振られ得る最大ペイロードサイズは、２個のタイムスロット＊２個のＱＰＳＫデータシンボル＊１２個のリソース要素＝４８ビットである。
【００９８】
[0124]いくつかの例では、図６を参照して説明されたリソースブロックのインターレース６０５、６１０、または６１５のうちの１つのようなリソースブロックのインターレース、および／または図７および／または図８を参照して説明されたＰＵＣＣＨフォーマットのような複数のリソースブロックフォーマットは、無認可無線周波数スペクトル帯域を通じてアップリンク制御チャネル（たとえば、ｅＰＵＣＣＨ）を送信するために利用可能なリソースに複数の離散的次元をもたらし得る。離散的次元は、たとえば、複数のリソースブロックフォーマット（たとえば、フォーマット１、フォーマット１ａ、フォーマット１ｂ、フォーマット２、フォーマット２ａ、フォーマット２ｂ、および／またはフォーマット３を含むＰＵＣＣＨフォーマットを含み得る。離散的次元は、同じくまたは代替的に、たとえば、情報（たとえば、確認応答情報および／またはＣＳＩ）の異なる部分がインターレースのリソースブロックの異なるものもしくはサブセットにマッピングされること（およびそれらを通じて送信されること）があり、ならびに／または同じ情報がインターレースのリソースブロックの各々にマッピングされること（およびそれらを通じて送信されること）がある、情報−リソースブロックマッピング（information-to-resource block mapping）を含み得る。離散的次元は、同じくまたは代替的に、たとえば、ダウンリンク送信の個別コードブロックまたはコードブロックのグループが正しく受信されたかどうかを確認応答情報のビットが示す、コードレベル確認応答情報の使用、および／またはダウンリンク送信の個別トランスポートブロックまたはトランスポートブロックのグループが正しく受信されたかどうかを確認応答情報のビットが示す、トランスポートブロック確認応答情報の使用を含み得る。離散的次元は、同じくまたは代替的に、ハイブリッド自動再送要求（ＨＡＲＱ）プロセスにわたる、個別コードブロック（もしくは個別トランスポートブロック）に関する確認応答情報の生成、および／またはコードブロックのグループ（もしくはトランスポートブロックのグループ）に関する確認応答情報の生成を含み得る。したがって、第１の離散的次元を定義する３つのＰＵＣＣＨフォーマット（たとえば、フォーマット１ａ／１ｂ、フォーマット２、およびフォーマット３）のオプション、第２の離散的次元を定義する反復的（冗長な）または個別の情報−リソースブロックマッピングの使用、第３の離散的次元を定義するコードブロックレベルまたはトランスポートブロックレベル確認応答情報の使用、および第４の離散的次元を定義する（ＨＡＲＱプロセスにわたる）個別コードブロックもしくはトランスポートブロック確認応答情報またはグループコードブロックもしくはトランスポートブロック確認応答情報の使用は、無認可無線周波数スペクトル帯域を通じて送信されるアップリンク制御チャネルにリソースを割り振るための２４個の選択肢を提供し得る。
【００９９】
[0125]図７を参照すると、ＰＵＣＣＨフォーマット１ｂを有するリソースブロック７０５を使用し得る最大数のワイヤレスデバイスが３６個のワイヤレスデバイスであることが示された。しかしながら、周波数スペクトルに遅延拡散がある場合、アップリンク制御チャネル（たとえば、ｅＰＵＣＣＨ）を送信するためにリソースブロックを使用し得る最大数のワイヤレスデバイスは１８個であり得る。図８を参照すると、ＰＵＣＣＨフォーマット２を有するリソースブロック８０５を使用し得る最大数のワイヤレスデバイスが１２個のワイヤレスデバイスであることが示された。しかしながら、周波数スペクトルに遅延拡散（delay spread）がある場合、アップリンク制御チャネル（たとえば、ｅＰＵＣＣＨ）を送信するためにリソースブロック８０５を使用し得る最大数のワイヤレスデバイスは６個であり得る。したがって、リソースブロックごとの直交するワイヤレスデバイス（ユーザ）容量は、ＰＵＣＣＨフォーマット１ｂを有するリソースブロック７０５の場合は１８、ＰＵＣＣＨフォーマット２を有するリソースブロック８０５の場合は６、ＰＵＣＣＨフォーマット３を有するリソースブロック８０５の場合は５である。同様に、インターレースごとの（たとえば、図６を参照して説明されたインターレース６０５、６１０、または６１５のうちの１つのコンテキストでは１０個のリソースブロックごとの）直交するワイヤレスデバイス（ユーザ）容量は、ＰＵＣＣＨフォーマット１ｂを有するリソースブロック７０５の場合は１８、ＰＵＣＣＨフォーマット２を有するリソースブロック８０５の場合は６、ＰＵＣＣＨフォーマット３を有するリソースブロック８０５の場合は５である。
【０１００】
[0126]図７を参照すると、ＰＵＣＣＨフォーマット１ｂを有するリソースブロックの最大ペイロード容量は、２ビット／ワイヤレスデバイス＊３６個のワイヤレスデバイス＝７２ビットである。しかしながら、いくつかの例では、ＰＵＣＣＨフォーマット１ｂを有するリソースブロック７０５のペイロード容量は、最大数のワイヤレスデバイスがアップリンク制御チャネル（たとえば、ｅＰＵＣＣＨ）を送信するためにリソースブロックを使用しているとき、３６ビット（たとえば、６個のサイクリックシフト、および３個の時間領域コード）であり得る。図８を参照すると、ＰＵＣＣＨフォーマット２を有するリソースブロックの最大ペイロード容量は２０ビット／ワイヤレスデバイス＊１２個のワイヤレスデバイス＝２４０ビットである。しかしながら、いくつかの例では、ＰＵＣＣＨフォーマット２を有するリソースブロック８０５のペイロード容量は、最大数のワイヤレスデバイスがアップリンク制御チャネル（たとえば、ｅＰＵＣＣＨ）を送信するためにリソースブロックを使用しているとき、６０ビット（たとえば、６個のサイクリックシフト、および０．５のコードレート）であり得る。図８を参照すると、ＰＵＣＣＨフォーマット３を有するリソースブロックの最大ペイロード容量は４８ビット／ワイヤレスデバイス＊５個のワイヤレスデバイス＝２４０ビットである。しかしながら、いくつかの例では、ＰＵＣＣＨフォーマット３を有するリソースブロック８０５のペイロード容量は、最大数のワイヤレスデバイスがアップリンク制御チャネル（たとえば、ｅＰＵＣＣＨ）を送信するためにリソースブロックを使用しているとき、１２０ビット（たとえば、０．５のコードレート）であり得る。したがって、（すべての離散的次元を使用する）リソースブロックごとのペイロード容量は、ＰＵＣＣＨフォーマット１ｂを有するリソースブロック７０５の場合は３６ビット、ＰＵＣＣＨフォーマット２を有するリソースブロック８０５の場合は６０ビット、ＰＵＣＣＨフォーマット３を有するリソースブロック８０５の場合は１２０ビットである。インターレースごとの（たとえば、図６を参照して説明されたインターレース６０５、６１０、または６１５のうちの１つのコンテキストでは１０個のリソースブロックごとの、すべての離散的次元を使用する）ペイロード容量は、情報がインターレースのリソースブロックのすべてにわたって反復されると仮定すると、ＰＵＣＣＨフォーマット１ｂを有するリソースブロック７０５の場合は３６ビット、ＰＵＣＣＨフォーマット２を有するリソースブロック８０５の場合は６０ビット、ＰＵＣＣＨフォーマット３を有するリソースブロック８０５の場合は１２０ビットである。インターレースごとの（たとえば、図６を参照して説明されたインターレース６０５、６１０、または６１５のうちの１つのコンテキストでは１０個のリソースブロックごとの、すべての離散的次元を使用する）ペイロード容量は、情報がインターレースのリソースブロックのすべてにわたって反復されることはない（たとえば、インターレースの１つのリソースブロックにおいて送信される）と仮定すると、ＰＵＣＣＨフォーマット１ｂを有するリソースブロック７０５の場合は１０＊３６＝３６０ビット、ＰＵＣＣＨフォーマット２を有するリソースブロック８０５の場合は１０＊６０＝６００ビット、ＰＵＣＣＨフォーマット３を有するリソースブロック８０５の場合は１０＊１２０＝１２００ビットである。
【０１０１】
[0127]無認可無線周波数スペクトル帯域を通じてアップリンク制御チャネル（たとえば、ｅＰＵＣＣＨ）を送信する際に使用するためのリソースを割り振ること、および／または選択することの第１の例では、ＰＵＣＣＨフォーマット１ｂが第１の次元において割り振られること、および／または選択されることがあり、個別の情報−リソースブロックマッピングが第２の次元において割り振られること、および／または選択されることがあり、トランスポートブロックレベル確認応答情報の使用が第３の次元において割り振られること、および／または選択されることがあり、ＨＡＲＱプロセスにわたる個別トランスポートブロック確認応答情報の使用が第４の次元において割り振られること、および／または選択されることがある。ワイヤレスデバイス（たとえば、図１および／または図２を参照して説明されたＵＥ１１５、２１５、２１６、２１７、および／または２１８のうちの１つのようなＵＥ）が、１０個のリソースブロックの１つのインターレースを割り振られ、インターレースおよびリソースブロックが、たとえば図６および図７を参照して説明されたように構成されると仮定すると、このパラグラフで説明されるリソース割振りおよび／または選択の例は、１８個のワイヤレスデバイスがインターレース内のリソースを共有し、各ユーザがリソースブロックごとに１つのＺＣリソースを使用することを可能にし得る。このパラグラフで説明されるリソース割振りおよび／または選択の例はまた、１８個のワイヤレスデバイスの各々が２０ビットの情報を送信することを可能にし得る。代替的に、例として、インターレースを共有するワイヤレスデバイスの数が１７に減らされた場合、１６個のワイヤレスデバイスの各々は、リソースブロックごとに１つのＺＣリソースを使用し、２０ビットの情報を送信することができ、１つのワイヤレスデバイスは、リソースブロックごとに２つのＺＣリソースを使用し、４０ビットの情報を送信することができる。
【０１０２】
[0128]無認可無線周波数スペクトル帯域を通じてアップリンク制御チャネル（たとえば、ｅＰＵＣＣＨ）を送信する際に使用するためのリソースを割り振ること、および／または選択することの第２の例では、ＰＵＣＣＨフォーマット２が第１の次元において割り振られること、および／または選択されることがあり、個別の情報−リソースブロックマッピングが第２の次元において割り振られること、および／または選択されることがあり、トランスポートブロックレベル確認応答情報の使用が第３の次元において割り振られること、および／または選択されることがあり、ＨＡＲＱプロセスにわたる個別トランスポートブロック確認応答情報の使用が第４の次元において割り振られること、および／または選択されることがある。ワイヤレスデバイス（たとえば、図１および／または図２を参照して説明されたＵＥ１１５、２１５、２１６、２１７、および／または２１８のうちの１つのようなＵＥ）が、１０個のリソースブロックの１つのインターレースを割り振られ、インターレースおよびリソースブロックが、たとえば図６および図８を参照して説明されたように構成されると仮定すると、このパラグラフで説明されるリソース割振りおよび／または選択の例は、６個のワイヤレスデバイスがインターレース内のリソースを共有することを可能にし得る。このパラグラフで説明されるリソース割振りおよび／または選択の例はまた、６個のワイヤレスデバイスの各々が１００ビットの情報を送信することを可能にし得る。代替的に、例として、インターレースを共有するワイヤレスデバイスの数が５に減らされた場合、４個のワイヤレスデバイスの各々は１００ビットの情報を送信することができ、１つのワイヤレスデバイスは２００ビットの情報を送信することができる。
【０１０３】
[0129]無認可無線周波数スペクトル帯域を通じてアップリンク制御チャネル（たとえば、ｅＰＵＣＣＨ）を送信する際に使用するためのリソースを割り振ること、および／または選択することの第３の例では、ＰＵＣＣＨフォーマット２が第１の次元において割り振られること、および／または選択されることがあり、個別の情報−リソースブロックマッピングが第２の次元において割り振られること、および／または選択されることがあり、トランスポートブロックレベル確認応答情報の使用が第３の次元において割り振られること、および／または選択されることがあり、ＨＡＲＱプロセスにわたる個別トランスポートブロック確認応答情報の使用が第４の次元において割り振られること、および／または選択されることがある。この第３の例における確認応答情報は、ジョイントコーディングが実行される確認応答ビットを含むことができ、いくつかの例では、ジョイントコーディングがジョイント畳み込みコーディングであり得る。ワイヤレスデバイス（たとえば、図１および／または図２を参照して説明されたＵＥ１１５、２１５、２１６、２１７、および／または２１８のうちの１つのようなＵＥ）が、１０個のリソースブロックの１つのインターレースを割り振られ、インターレースおよびリソースブロックが、たとえば図６および図８を参照して説明されたように構成されると仮定すると、このパラグラフで説明されるリソース割振りおよび／または選択の例は、６個のワイヤレスデバイスがインターレース内のリソースを共有することを可能にし得る。このパラグラフで説明されるリソース割振りおよび／または選択の例はまた、６個のワイヤレスデバイスの各々が１００ビットの情報、またはジョイントコーディングが実行される５０確認応答ビットを送信することを可能にし得る。
【０１０４】
[0130]無認可無線周波数スペクトル帯域を通じてアップリンク制御チャネル（たとえば、ｅＰＵＣＣＨ）を送信する際に使用するためのリソースを割り振ること、および／または選択することの第４の例では、ＰＵＣＣＨフォーマット３が第１の次元において割り振られること、および／または選択されることがあり、個別の情報−リソースブロックマッピングが第２の次元において割り振られること、および／または選択されることがあり、トランスポートブロックレベル確認応答情報の使用が第３の次元において割り振られること、および／または選択されることがあり、ＨＡＲＱプロセスにわたる個別トランスポートブロック確認応答情報の使用が第４の次元において割り振られること、および／または選択されることがある。ワイヤレスデバイス（たとえば、図１および／または図２を参照して説明されたＵＥ１１５、２１５、２１６、２１７、および／または２１８のうちの１つのようなＵＥ）が、１０個のリソースブロックの１つのインターレースを割り振られ、インターレースおよびリソースブロックが、たとえば図６および図８を参照して説明されたように構成されると仮定すると、このパラグラフで説明されるリソース割振りおよび／または選択の例は、５個のワイヤレスデバイスがインターレース内のリソースを共有し、各ユーザがリソースブロックごとに１つの符号分割多重化（ＣＤＭ）リソースを使用することを可能にし得る。このパラグラフで説明されるリソース割振りおよび／または選択の例はまた、５個のワイヤレスデバイスの各々が２４０ビットの情報を送信することを可能にし得る。代替的に、例として、インターレースを共有するワイヤレスデバイスの数が４に減らされた場合、３個のワイヤレスデバイスの各々は、リソースブロックごとに１つのＣＤＭリソースを使用し、２４０ビットの情報を送信することができ、１つのワイヤレスデバイスは、リソースブロックごとに２つのＣＤＭリソースを使用し、４８０ビットの情報を送信することができる。
【０１０５】
[0131]無認可無線周波数スペクトル帯域を通じてアップリンク制御チャネル（たとえば、ｅＰＵＣＣＨ）を送信する際に使用するためのリソースを割り振ること、および／または選択することの第５の例では、ＰＵＣＣＨフォーマット２が第１の次元において割り振られること、および／または選択されることがあり、個別の情報−リソースブロックマッピングが第２の次元において割り振られること、および／または選択されることがあり、コードブロックレベル確認応答情報の使用が第３の次元において割り振られること、および／または選択されることがあり、ＨＡＲＱプロセスにわたる個別コードブロック確認応答情報の使用が第４の次元において割り振られること、および／または選択されることがある。ワイヤレスデバイス（たとえば、図１および／または図２を参照して説明されたＵＥ１１５、２１５、２１６、２１７、および／または２１８のうちの１つのようなＵＥ）が、１０個のリソースブロックの１つのインターレースを割り振られ、インターレースおよびリソースブロックが、たとえば図６および図８を参照して説明されたように構成されると仮定すると、このパラグラフで説明されるリソース割振りおよび／または選択の例は、６個のワイヤレスデバイスがインターレース内のリソースを共有することを可能にし得る。このパラグラフで説明されるリソース割振りおよび／または選択の例はまた、６個のワイヤレスデバイスの各々が１００ビットの情報を送信することを可能にし得る。４つの空間レイヤを有する無認可無線周波数スペクトル帯域における２０メガヘルツ（ＭＨｚ）のコンポーネントキャリアの場合、確認応答情報が送信され得るコードブロックの最大数は、５０以下であり得る。また、コードブロックレベルＨＡＲＱが採用され得る。
【０１０６】
[0132]無認可無線周波数スペクトル帯域を通じてアップリンク制御チャネル（たとえば、ｅＰＵＣＣＨ）を送信する際に使用するためのリソースを割り振ること、および／または選択することの第６の例では、ＰＵＣＣＨフォーマット３が第１の次元において割り振られること、および／または選択されることがあり、個別の情報−リソースブロックマッピングが第２の次元において割り振られること、および／または選択されることがあり、コードブロックレベル確認応答情報の使用が第３の次元において割り振られること、および／または選択されることがあり、ＨＡＲＱプロセスにわたる個別コードブロック確認応答情報の使用が第４の次元において割り振られること、および／または選択されることがある。ワイヤレスデバイス（たとえば、図１および／または図２を参照して説明されたＵＥ１１５、２１５、２１６、２１７、および／または２１８のうちの１つのようなＵＥ）が、１０個のリソースブロックの１つのインターレースを割り振られ、インターレースおよびリソースブロックが、たとえば図６および図８を参照して説明されたように構成されると仮定すると、このパラグラフで説明されるリソース割振りおよび／または選択の例は、５個のワイヤレスデバイスがインターレース内のリソースを共有することを可能にし得る。このパラグラフで説明されるリソース割振りおよび／または選択の例はまた、５個のワイヤレスデバイスの各々が２４０ビットの情報を送信することを可能にし得る。４つの空間レイヤを有する無認可無線周波数スペクトル帯域における２０メガヘルツ（ＭＨｚ）のコンポーネントキャリアの場合、確認応答情報が送信され得るコードブロックの最大数は、５０以下であり得る。また、コードブロックレベルＨＡＲＱが採用され得る。
【０１０７】
[0133]図９は、本開示の様々な態様による、ワイヤレス通信において使用するためのワイヤレスデバイス９１５のブロック図９００を示す。ワイヤレスデバイス９１５は、図１および／または図２を参照して説明されたＵＥ１１５、２１５、２１６、２１７、および／または２１８のうちの１つまたは複数の態様の例であり得る。ワイヤレスデバイス９１５はまた、プロセッサであるか、またはプロセッサを含み得る。ワイヤレスデバイス９１５は、受信機モジュール９１０、ワイヤレス通信管理モジュール９２０、および／または送信機モジュール９３０を含み得る。これらのモジュールの各々は、互いに通信していることがある。
【０１０８】
[0134]ワイヤレスデバイス９１５のモジュールは、ハードウェアにおいて適用可能な機能の一部またはすべてを実行するように適応された１つまたは複数の特定用途向け集積回路（ＡＳＩＣ）を使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、フィールドプログラマブルゲートアレイ（ＦＰＧＡ）、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０１０９】
[0135]いくつかの例では、受信機モジュール９１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つの無線周波数（ＲＦ）受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール９１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０１１０】
[0136]いくつかの例では、送信機モジュール９３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール９３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０１１１】
[0137]いくつかの例では、ワイヤレス通信管理モジュール９２０は、ワイヤレスデバイス９１５のためのワイヤレス通信の１つまたは複数の態様を管理するために使用され得る。たとえば、ワイヤレス通信管理モジュール９２０は、ワイヤレスデバイスによって受信されたダウンリンク送信に関する確認応答情報、および／またはダウンリンク送信が受信される無認可無線周波数スペクトル帯域に関するチャネル状態情報（ＣＳＩ）を含むアップリンク制御情報の生成を管理するために使用され得る。ワイヤレス通信管理モジュール９２０は、同じくまたは代替的に、送信すべきアップリンクデータをワイヤレスデバイス９１５が有するとの決定に基づいて基準信号を変調するために使用され得る。変調された基準信号は、基地局（たとえば、図１および／または図２を参照して説明された基地局１０５、２０５、および／または２０６のうちの１つ）に対するスケジューリング要求（ＳＲ）を示し得る。ワイヤレス通信管理モジュール９２０は、同じくまたは代替的に、サウンディング基準信号（ＳＲＳ）を生成するために使用され得る。ダウンリンク送信は、受信機モジュール９１０を使用して受信され得る。アップリンク制御情報、変調された基準信号、および／またはＳＲＳは、送信機モジュール９３０を使用して送信され得る。
【０１１２】
[0138]図１０は、本開示の様々な態様による、ワイヤレス通信において使用するためのワイヤレスデバイス１０１５のブロック図１０００を示す。ワイヤレスデバイス１０１５は、図１および／または図２を参照して説明されたＵＥ１１５、２１５、２１６、２１７、および／または２１８のうちの１つもしくは複数の態様、および／または図９を参照して説明されたワイヤレスデバイス９１５の態様の例であり得る。ワイヤレスデバイス１０１５はまた、プロセッサであるか、またはプロセッサを含み得る。ワイヤレスデバイス１０１５は、受信機モジュール１０１０、ワイヤレス通信管理モジュール１０２０、および／または送信機モジュール１０３０を含み得る。これらのモジュールの各々は、互いに通信していることがある。
【０１１３】
[0139]ワイヤレスデバイス１０１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０１１４】
[0140]いくつかの例では、受信機モジュール１０１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つのＲＦ受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール１０１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０１１５】
[0141]いくつかの例では、送信機モジュール１０３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール１０３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０１１６】
[0142]いくつかの例では、ワイヤレス通信管理モジュール１０２０は、ワイヤレスデバイス１０１５のためのワイヤレス通信の１つまたは複数の態様を管理するために使用され得る。いくつかの例では、ワイヤレス通信管理モジュール１０２０は、アップリンク制御情報（ＵＣＩ）生成モジュール１０３５および／またはＵＣＩリソース選択モジュール１０４０を含み得る。これらのモジュールの各々は、互いに通信していることがある。
【０１１７】
[0143]いくつかの例では、ＵＣＩ生成モジュール１０３５は、アップリンク制御情報を生成するために使用され得る。
【０１１８】
[0144]いくつかの例では、ＵＣＩリソース選択モジュール１０４０は、アップリンク制御情報を送信するための、無認可無線周波数スペクトル帯域のコンポーネントキャリアのインターレースのようなリソースを選択するために使用され得る。インターレースは、無認可無線周波数スペクトル帯域における複数の非連続同時リソースブロックを含み得る。インターレースにおける少なくとも２つのリソースブロックは、アップリンク制御情報の異なる部分を含み得る。
【０１１９】
[0145]いくつかの例では、ＵＣＩリソース選択モジュール１０４０は、無認可無線周波数スペクトル帯域のアップリンク制御チャネルを通じてアップリンク制御情報を送信するためのリソースを選択するために使用され得る。アップリンク制御チャネルのリソースは、複数の離散的次元に分割され得、ワイヤレスデバイス１０１５のアップリンク制御情報は、ワイヤレスデバイス１０１５のアップリンク制御情報に割り振られたいくつかの離散的次元を通じて送信され得る。
【０１２０】
[0146]図１１は、本開示の様々な態様による、ワイヤレス通信において使用するためのワイヤレスデバイス１１１５のブロック図１１００を示す。ワイヤレスデバイス１１１５は、図１および／または図２を参照して説明されたＵＥ１１５、２１５、２１６、２１７、および／または２１８のうちの１つもしくは複数の態様、および／または図９および／または図１０を参照して説明されたワイヤレスデバイス９１５および／または１０１５のうちの１つもしくは複数の態様の例であり得る。ワイヤレスデバイス１１１５はまた、プロセッサであるか、またはプロセッサを含み得る。ワイヤレスデバイス１１１５は、受信機モジュール１１１０、ワイヤレス通信管理モジュール１１２０、および／または送信機モジュール１１３０を含み得る。これらのモジュールの各々は、互いに通信していることがある。
【０１２１】
[0147]ワイヤレスデバイス１１１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０１２２】
[0148]いくつかの例では、受信機モジュール１１１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つのＲＦ受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール１１１０は、場合によっては、認可無線周波数スペクトル帯域および無認可無線周波数スペクトル帯域のための別個の受信機を含み得る。別個の受信機は、いくつかの例では、認可無線周波数スペクトル帯域を通じて通信するためのＬＴＥ／ＬＴＥ−Ａ受信機モジュール（たとえば、認可ＲＦスペクトル帯域のためのＬＴＥ／ＬＴＥ−Ａ受信機モジュール１１１２）、および無認可無線周波数スペクトル帯域を通じて通信するためのＬＴＥ／ＬＴＥ−Ａ受信機モジュール（たとえば、無認可ＲＦスペクトル帯域のためのＬＴＥ／ＬＴＥ−Ａ受信機モジュール１１１４）の形態をとり得る。認可ＲＦスペクトル帯域のためのＬＴＥ／ＬＴＥ−Ａ受信機モジュール１１１２および／または無認可ＲＦスペクトル帯域のためのＬＴＥ／ＬＴＥ−Ａ受信機モジュール１１１４を含む、受信機モジュール１１１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０１２３】
[0149]いくつかの例では、送信機モジュール１１３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール１１３０は、場合によっては、認可無線周波数スペクトル帯域および無認可無線周波数スペクトル帯域のための別個の送信機を含み得る。別個の送信機は、いくつかの例では、認可無線周波数スペクトル帯域を通じて通信するためのＬＴＥ／ＬＴＥ−Ａ送信機モジュール（たとえば、認可ＲＦスペクトル帯域のためのＬＴＥ／ＬＴＥ−Ａ送信機モジュール１１３２）、および無認可無線周波数スペクトル帯域を通じて通信するためのＬＴＥ／ＬＴＥ−Ａ送信機モジュール（たとえば、無認可ＲＦスペクトル帯域のためのＬＴＥ／ＬＴＥ−Ａ送信機モジュール１１３４）の形態をとり得る。認可ＲＦスペクトル帯域のためのＬＴＥ／ＬＴＥ−Ａ送信機モジュール１１３２および／または無認可ＲＦスペクトル帯域のためのＬＴＥ／ＬＴＥ−Ａ送信機モジュール１１３４を含む、送信機モジュール１１３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０１２４】
[0150]いくつかの例では、ワイヤレス通信管理モジュール１１２０は、ワイヤレスデバイス１１１５のためのワイヤレス通信の１つまたは複数の態様を管理するために使用され得る。いくつかの例では、ワイヤレス通信管理モジュール１１２０は、アップリンク制御情報（ＵＣＩ）生成モジュール１１３５および／またはＵＣＩリソース選択モジュール１１４０を含み得る。これらのモジュールの各々は、互いに通信していることがある。
【０１２５】
[0151]いくつかの例では、ＵＣＩ生成モジュール１１３５は、アップリンク制御情報を生成するために使用され得る。いくつかの例では、アップリンク制御情報を生成することは、受信機モジュール１１１０を使用して受信されたダウンリンク送信に関する確認応答情報（たとえば、ＡＣＫおよび／またはＮＡＣＫ情報）を生成することを含み得る。いくつかの例では、アップリンク制御情報を生成することは、無認可無線周波数スペクトル帯域に関するＣＳＩを生成することを含み得る。いくつかの例では、ＵＣＩ生成モジュール１１３５は、確認応答情報を生成するためのＡＣＫ生成モジュール１１４５および／またはＣＳＩを生成するためのＣＳＩ生成モジュール１１５０を含み得る。
【０１２６】
[0152]いくつかの例では、ＡＣＫ生成モジュール１１４５は、コードブロックＡＣＫモジュール１１５５、トランスポートブロックＡＣＫモジュール１１６０、および／またはジョイントコーディングモジュール１１６５を含み得る。コードブロックＡＣＫモジュール１１５５は、ダウンリンク送信の個別コードブロック、および／またはダウンリンク送信のコードブロックのグループ、に関するコードブロックレベル確認応答情報を生成するために使用され得る。いくつかの例では、確認応答情報は、ダウンリンク送信のいくつかの個別コードブロックの各々、および／またはダウンリンク送信のコードブロックのいくつかのグループの各々、に関するコードブロックレベル確認応答情報を含み得る。トランスポートブロックＡＣＫモジュール１１６０は、ダウンリンク送信の個別トランスポートブロック、および／またはダウンリンク送信のトランスポートブロックのグループ、に関するトランスポートブロックレベル確認応答情報を生成するために使用され得る。いくつかの例では、確認応答情報は、ダウンリンク送信のいくつかの個別トランスポートブロックの各々、および／またはダウンリンク送信のトランスポートブロックのいくつかのグループの各々、に関するトランスポートブロックレベル確認応答情報を含み得る。いくつかの例では、ＡＣＫ生成モジュール１１４５は、コードブロックレベル確認応答情報および／またはトランスポートブロックレベル確認応答情報を生成するように静的に、半静的に、または動的に構成され得る。
【０１２７】
[0153]いくつかの例では、ジョイントコーディングモジュール１１６５は、確認応答情報の複数の確認応答ビットに対してジョイントコーディングを実行するために使用され得、いくつかの例では、ジョイントコーディングはジョイント畳み込みコーディングであり得る。
【０１２８】
[0154]いくつかの例では、ＵＣＩリソース選択モジュール１１４０は、アップリンク制御情報を送信するための、無認可無線周波数スペクトル帯域のコンポーネントキャリアのインターレースのようなリソースを選択するために使用され得る。いくつかの例では、ＵＣＩリソース選択モジュール１１４０は、インターレース選択モジュール１１７０、リソースブロック（ＲＢ）選択モジュール１１７５、および／またはリソース要素（ＲＥ）選択モジュール１１８０を含み得る。
【０１２９】
[0155]いくつかの例では、インターレース選択モジュール１１７０は、アップリンク制御情報が送信されることになるインターレースを選択するために使用され得る。いくつかの例では、選択は、基地局から受信された構成情報に基づき得る。いくつかの例では、選択されたインターレースは、無認可無線周波数スペクトル帯域における複数の非連続同時リソースブロックを含み得る。いくつかの例では、選択されたインターレースは、１０個のインターレースの中から選択され得、１０個のインターレースの各々が、無認可無線周波数スペクトル帯域における１０個の非連続同時リソースブロックを含む。いくつかの例では、選択されたインターレースの複数の非連続同時リソースブロックは、均一拡散パターンに従って周波数で離間され得る。いくつかの例では、選択されたインターレースの複数の非連続同時リソースブロックは、不均一拡散パターンに従って周波数で分散され得る。
【０１３０】
[0156]いくつかの例では、ＲＢ選択モジュール１１７５は、アップリンク制御情報（またはアップリンク制御情報の部分）が送信されることになるインターレースの（１または複数の）リソースブロックを選択するために使用され得る。いくつかの例では、ＲＢ選択モジュール１１７５は、アップリンク制御情報の異なる部分の送信のためのインターレースにおける少なくとも２つのリソースブロックを選択し得る。確認応答情報の複数の確認応答ビットに対してジョイント畳み込みコーディングが実行される例では、ＲＢ選択モジュール１１７５は、ジョイントコーディングされた確認応答ビットの異なる部分を送信するためのインターレースの異なるリソースブロックを選択し得る。
【０１３１】
[0157]いくつかの例では、ＲＥ選択モジュール１１８０は、アップリンク制御情報（またはアップリンク制御情報の部分）が送信されることになるリソースブロックの（１または複数の）リソース要素を選択するために使用され得る。いくつかの例では、（１または複数の）リソース要素は、フォーマット１、フォーマット１ａ、フォーマット１ｂ、フォーマット２、フォーマット２ａ、フォーマット２ｂ、および／またはフォーマット３のようなＰＵＣＣＨフォーマットに従って選択され得る。いくつかの例では、（１または複数の）リソース要素は、フォーマット１ａ、フォーマット１ｂ、フォーマット２、およびフォーマット３から成るグループからのＰＵＣＣＨフォーマットに従って選択され得る。
【０１３２】
[0158]図１２は、本開示の様々な態様による、ワイヤレス通信において使用するためのワイヤレスデバイス１２１５のブロック図１２００を示す。ワイヤレスデバイス１２１５は、図１および／または図２を参照して説明されたＵＥ１１５、２１５、２１６、２１７、および／または２１８のうちの１つもしくは複数の態様、および／または図９および／または図１０を参照して説明されたワイヤレスデバイス９１５および／または１０１５のうちの１つもしくは複数の態様の例であり得る。ワイヤレスデバイス１２１５はまた、プロセッサであるか、またはプロセッサを含み得る。ワイヤレスデバイス１２１５は、受信機モジュール１２１０、ワイヤレス通信管理モジュール１２２０、および／または送信機モジュール１２３０を含み得る。これらのモジュールの各々は、互いに通信していることがある。
【０１３３】
[0159]ワイヤレスデバイス１２１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０１３４】
[0160]いくつかの例では、受信機モジュール１２１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つのＲＦ受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール１２１０は、場合によっては、認可無線周波数スペクトル帯域および無認可無線周波数スペクトル帯域のための別個の受信機を含み得る。別個の受信機は、いくつかの例では、認可無線周波数スペクトル帯域を通じて通信するためのＬＴＥ／ＬＴＥ−Ａ受信機モジュール（たとえば、認可ＲＦスペクトル帯域のためのＬＴＥ／ＬＴＥ−Ａ受信機モジュール１２１２）、および無認可無線周波数スペクトル帯域を通じて通信するためのＬＴＥ／ＬＴＥ−Ａ受信機モジュール（たとえば、無認可ＲＦスペクトル帯域のためのＬＴＥ／ＬＴＥ−Ａ受信機モジュール１２１４）の形態をとり得る。認可ＲＦスペクトル帯域のためのＬＴＥ／ＬＴＥ−Ａ受信機モジュール１２１２および／または無認可ＲＦスペクトル帯域のためのＬＴＥ／ＬＴＥ−Ａ受信機モジュール１２１４を含む、受信機モジュール１２１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０１３５】
[0161]いくつかの例では、送信機モジュール１２３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール１２３０は、場合によっては、認可無線周波数スペクトル帯域および無認可無線周波数スペクトル帯域のための別個の送信機を含み得る。別個の送信機は、いくつかの例では、認可無線周波数スペクトル帯域を通じて通信するためのＬＴＥ／ＬＴＥ−Ａ送信機モジュール（たとえば、認可ＲＦスペクトル帯域のためのＬＴＥ／ＬＴＥ−Ａ送信機モジュール１２３２）、および無認可無線周波数スペクトル帯域を通じて通信するためのＬＴＥ／ＬＴＥ−Ａ送信機モジュール（たとえば、無認可ＲＦスペクトル帯域のためのＬＴＥ／ＬＴＥ−Ａ送信機モジュール１２３４）の形態をとり得る。認可ＲＦスペクトル帯域のためのＬＴＥ／ＬＴＥ−Ａ送信機モジュール１２３２および／または無認可ＲＦスペクトル帯域のためのＬＴＥ／ＬＴＥ−Ａ送信機モジュール１２３４を含む、送信機モジュール１２３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０１３６】
[0162]いくつかの例では、ワイヤレス通信管理モジュール１２２０は、ワイヤレスデバイス１２１５のためのワイヤレス通信の１つまたは複数の態様を管理するために使用され得る。いくつかの例では、ワイヤレス通信管理モジュール１２２０は、アップリンク制御情報（ＵＣＩ）生成モジュール１２３５、メッセージ処理モジュール１２４５、および／またはＵＣＩリソース選択モジュール１２４０を含み得る。これらのモジュールの各々は、互いに通信していることがある。
【０１３７】
[0163]いくつかの例では、ＵＣＩ生成モジュール１２３５は、アップリンク制御情報を生成するために使用され得る。
【０１３８】
[0164]いくつかの例では、メッセージ処理モジュール１２４５は、基地局から（たとえば、図１および／または図２を参照して説明された基地局１０５、２０５、および／または２０６のうちの１つから）スケジューリングメッセージを受信するために使用され得る。スケジューリングメッセージは、ワイヤレスデバイス１２１５のアップリンク制御情報の送信に割り振られた（たとえば、アップリンク制御チャネルのリソースの）いくつかの離散的次元を示し得る。ワイヤレスデバイス１２１５のアップリンク制御情報に割り振られたいくつかの離散的次元は、アップリンク制御チャネルのリソースが分割される複数の離散的次元の１つ、一部、または各々を含み得る。いくつかの例では、ワイヤレスデバイス１２１５のアップリンク制御情報に割り振られた離散的次元の数は、ワイヤレスデバイス１２１５のアップリンク制御情報のサイズに基づき得る。
【０１３９】
[0165]いくつかの例では、ＵＣＩリソース選択モジュール１２４０は、無認可無線周波数スペクトル帯域のアップリンク制御チャネルを通じてアップリンク制御情報を送信するためのリソースを選択するために使用され得る。アップリンク制御チャネルのリソースは、複数の離散的次元に分割され得、ワイヤレスデバイス１２１５のアップリンク制御情報は、ワイヤレスデバイス１２１５のアップリンク制御情報に割り振られたいくつかの離散的次元を通じて送信され得る。いくつかの例では、ＵＣＩリソース選択モジュール１２４０は、インターレース選択モジュール１２５０、リソースブロック（ＲＢ）選択モジュール１２５５、および／またはリソース要素（ＲＥ）選択モジュール１２６０を含み得る。
【０１４０】
[0166]いくつかの例では、アップリンク制御チャネルのリソースは、無認可無線周波数スペクトル帯域のコンポーネントキャリアのインターレースを含むことができ、インターレース選択モジュール１２５０は、インターレースを選択するために使用され得る。いくつかの例では、選択は、基地局からスケジューリングメッセージにおいて受信された構成情報に基づき得る。いくつかの例では、選択されたインターレースは、無認可無線周波数スペクトル帯域における複数の非連続同時リソースブロックを含み得る。いくつかの例では、選択されたインターレースは、１０個のインターレースの中から選択され得、１０個のインターレースの各々が、無認可無線周波数スペクトル帯域における１０個の非連続同時リソースブロックを含む。いくつかの例では、選択されたインターレースの複数の非連続同時リソースブロックは、均一拡散パターンに従って周波数で離間され得る。いくつかの例では、選択されたインターレースの複数の非連続同時リソースブロックは、不均一拡散パターンに従って周波数で分散され得る。
【０１４１】
[0167]いくつかの例では、ワイヤレスデバイス１２１５のアップリンク制御情報に割り振られたいくつかの離散的次元のうちの少なくとも１つは、インターレースのリソースブロックのうちの複数のものに及び得、ＲＢ選択モジュール１２５５は、アップリンク制御情報（またはアップリンク制御情報の部分）が送信されることになるインターレースの（１または複数の）リソースブロックを選択するために使用され得る。
【０１４２】
[0168]いくつかの例では、（たとえば、インターレースの）リソースブロックは、次元のうちの異なるもの（たとえば、時間および／または周波数）を含むことができ、ＲＥ選択モジュール１２６０は、アップリンク制御情報（またはアップリンク制御情報の部分）が送信されることになるリソースブロックの（１または複数の）リソース要素を選択するために使用され得る。いくつかの例では、（１または複数の）リソース要素は、フォーマット１、フォーマット１ａ、フォーマット１ｂ、フォーマット２、フォーマット２ａ、フォーマット２ｂ、および／またはフォーマット３のようなＰＵＣＣＨフォーマットに従って選択され得る。いくつかの例では、（１または複数の）リソース要素は、フォーマット１ａ、フォーマット１ｂ、フォーマット２、およびフォーマット３から成るグループからのＰＵＣＣＨフォーマットに従って選択され得る。
【０１４３】
[0169]図１３は、本開示の様々な態様による、ワイヤレス通信において使用するためのワイヤレスデバイス１３１５のブロック図１３００を示す。ワイヤレスデバイス１３１５は、図１および／または図２を参照して説明されたＵＥ１１５、２１５、２１６、２１７、および／または２１８のうちの１つもしくは複数の態様、および／または図９を参照して説明されたワイヤレスデバイス９１５の態様の例であり得る。ワイヤレスデバイス１３１５はまた、プロセッサであるか、またはプロセッサを含み得る。ワイヤレスデバイス１３１５は、受信機モジュール１３１０、ワイヤレス通信管理モジュール１３２０、および／または送信機モジュール１３３０を含み得る。これらのモジュールの各々は、互いに通信していることがある。
【０１４４】
[0170]ワイヤレスデバイス１３１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０１４５】
[0171]いくつかの例では、受信機モジュール１３１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つのＲＦ受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール１３１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０１４６】
[0172]いくつかの例では、送信機モジュール１３３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール１３３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０１４７】
[0173]いくつかの例では、ワイヤレス通信管理モジュール１３２０は、ワイヤレスデバイス１３１５のためのワイヤレス通信の１つまたは複数の態様を管理するために使用され得る。いくつかの例では、ワイヤレス通信管理モジュール１３２０は、コードブロック（ＣＢ）確認応答（ＡＣＫ）生成モジュール１３３５および／またはリソース選択モジュール１３４０を含み得る。これらのモジュールの各々は、互いに通信していることがある。
【０１４８】
[0174]いくつかの例では、ＣＢ  ＡＣＫ生成モジュール１３３５は、確認応答情報を生成するために使用され得る。確認応答情報は、コードブロックレベルにおいて、ダウンリンク送信の複数のコードブロックが正しく受信されたかどうかを示し得る。
【０１４９】
[0175]いくつかの例では、リソース選択モジュール１３４０は、確認応答情報を送信するための、無認可無線周波数スペクトル帯域のコンポーネントキャリアのインターレースのようなリソースを選択するために使用され得る。
【０１５０】
[0176]図１４は、本開示の様々な態様による、ワイヤレス通信において使用するためのワイヤレスデバイス１４１５のブロック図１４００を示す。ワイヤレスデバイス１４１５は、図１および／または図２を参照して説明されたＵＥ１１５、２１５、２１６、２１７、および／または２１８のうちの１つもしくは複数の態様、および／または図９および／または図１３を参照して説明されたワイヤレスデバイス９１５および／または１３１５のうちの１つもしくは複数の態様の例であり得る。ワイヤレスデバイス１４１５はまた、プロセッサであるか、またはプロセッサを含み得る。ワイヤレスデバイス１４１５は、受信機モジュール１４１０、ワイヤレス通信管理モジュール１４２０、および／または送信機モジュール１４３０を含み得る。これらのモジュールの各々は、互いに通信していることがある。
【０１５１】
[0177]ワイヤレスデバイス１４１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０１５２】
[0178]いくつかの例では、受信機モジュール１４１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つのＲＦ受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール１４１０は、場合によっては、認可無線周波数スペクトル帯域および無認可無線周波数スペクトル帯域のための別個の受信機を含み得る。別個の受信機は、いくつかの例では、認可無線周波数スペクトル帯域を通じて通信するためのＬＴＥ／ＬＴＥ−Ａ受信機モジュール（たとえば、認可ＲＦスペクトル帯域のためのＬＴＥ／ＬＴＥ−Ａ受信機モジュール１４１２）、および無認可無線周波数スペクトル帯域を通じて通信するためのＬＴＥ／ＬＴＥ−Ａ受信機モジュール（たとえば、無認可ＲＦスペクトル帯域のためのＬＴＥ／ＬＴＥ−Ａ受信機モジュール１４１４）の形態をとり得る。認可ＲＦスペクトル帯域のためのＬＴＥ／ＬＴＥ−Ａ受信機モジュール１４１２および／または無認可ＲＦスペクトル帯域のためのＬＴＥ／ＬＴＥ−Ａ受信機モジュール１４１４を含む、受信機モジュール１４１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０１５３】
[0179]いくつかの例では、送信機モジュール１４３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール１４３０は、場合によっては、認可無線周波数スペクトル帯域および無認可無線周波数スペクトル帯域のための別個の送信機を含み得る。別個の送信機は、いくつかの例では、認可無線周波数スペクトル帯域を通じて通信するためのＬＴＥ／ＬＴＥ−Ａ送信機モジュール（たとえば、認可ＲＦスペクトル帯域のためのＬＴＥ／ＬＴＥ−Ａ送信機モジュール１４３２）、および無認可無線周波数スペクトル帯域を通じて通信するためのＬＴＥ／ＬＴＥ−Ａ送信機モジュール（たとえば、無認可ＲＦスペクトル帯域のためのＬＴＥ／ＬＴＥ−Ａ送信機モジュール１４３４）の形態をとり得る。認可ＲＦスペクトル帯域のためのＬＴＥ／ＬＴＥ−Ａ送信機モジュール１４３２および／または無認可ＲＦスペクトル帯域のためのＬＴＥ／ＬＴＥ−Ａ送信機モジュール１４３４を含む、送信機モジュール１４３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０１５４】
[0180]いくつかの例では、ワイヤレス通信管理モジュール１４２０は、ワイヤレスデバイス１４１５のためのワイヤレス通信の１つまたは複数の態様を管理するために使用され得る。いくつかの例では、ワイヤレス通信管理モジュール１４２０は、ダウンリンク送信に関する確認応答情報および／または無認可無線周波数スペクトル帯域に関するＣＳＩを生成するために使用され得る。いくつかの例では、ワイヤレス通信管理モジュール１４２０は、コードブロック（ＣＢ）確認応答（ＡＣＫ）生成モジュール１４３５および／またはリソース選択モジュール１４４０を含み得る。これらのモジュールの各々は、互いに通信していることがある。
【０１５５】
[0181]いくつかの例では、ＣＢ  ＡＣＫ生成モジュール１４３５は、確認応答情報を生成するために使用され得る。確認応答情報は、トランスポートブロック内のコードブロックレベルにおいて、ダウンリンク送信の複数のコードブロックが正しく受信されたかどうかを示し得る。
【０１５６】
[0182]いくつかの例では、ＣＢ  ＡＣＫ生成モジュール１４３５は、個別ＣＢ  ＡＣＫ生成モジュール１４４５、グループＣＢ  ＡＣＫ生成モジュール１４５０、および／またはジョイントコーディングモジュール１４５５を含み得る。個別ＣＢ  ＡＣＫ生成モジュール１４４５は、ダウンリンク送信の個別コードブロックが正しく受信されたかどうかを各ビットが示す、複数のビットを生成するために使用され得る。グループＣＢ  ＡＣＫ生成モジュール１４５０は、ダウンリンク送信のコードブロックのグループが正しく受信されたかどうかを示す少なくとも１つのビットを生成するために使用され得る。
【０１５７】
[0183]いくつかの例では、ジョイントコーディングモジュール１４５５は、確認応答情報の複数の確認応答ビットに対してジョイントコーディングを実行するために使用され得、いくつかの例では、ジョイントコーディングはジョイント畳み込みコーディングであり得る。
【０１５８】
[0184]いくつかの例では、リソース選択モジュール１４４０は、確認応答情報および／またはＣＳＩを含むアップリンク制御チャネルを送信するためのリソースを選択するために使用され得る。いくつかの例では、リソース選択モジュール１４４０は、インターレース選択モジュール１４６０、リソースブロック（ＲＢ）選択モジュール１４６５、および／またはリソース要素（ＲＥ）選択モジュール１４７０を含み得る。
【０１５９】
[0185]いくつかの例では、インターレース選択モジュール１４６０は、アップリンク制御チャネルが送信されることになるインターレースを選択するために使用され得る。いくつかの例では、選択は、基地局から受信された構成情報に基づき得る。いくつかの例では、選択されたインターレースは、無認可無線周波数スペクトル帯域における複数の非連続同時リソースブロックを含み得る。いくつかの例では、選択されたインターレースは、１０個のインターレースの中から選択され得、１０個のインターレースの各々が、無認可無線周波数スペクトル帯域における１０個の非連続同時リソースブロックを含む。いくつかの例では、選択されたインターレースの複数の非連続同時リソースブロックは、均一拡散パターンに従って周波数で離間され得る。いくつかの例では、選択されたインターレースの複数の非連続同時リソースブロックは、不均一拡散パターンに従って周波数で分散され得る。
【０１６０】
[0186]いくつかの例では、ＲＢ選択モジュール１４６５は、確認応答情報および／またはＣＳＩ（あるいは確認応答情報および／またはＣＳＩの部分）が送信されることになるインターレースの（１つまたは複数の）リソースブロックを選択するために使用され得る。いくつかの例では、ＲＢ選択モジュール１４６５は、確認応答情報および／またはＣＳＩを送信するためにインターレースのリソースブロックのサブセットを選択し得る。いくつかの例では、ＲＢ選択モジュール１４６５は、確認応答情報および／またはＣＳＩの異なる部分を送信するためのインターレースの異なるリソースブロックを選択し得る。いくつかの例では、ＲＢ選択モジュール１４６５は、確認応答情報および／またはＣＳＩの一部またはすべてを送信するためのインターレースのリソースブロックの各々を選択し得る（たとえば、いくつかの例では、確認応答情報はリソースブロックの各々を通じて重複して送信され得る）。
【０１６１】
[0187]確認応答情報の複数の確認応答ビットに対してジョイント畳み込みコーディングが実行される例では、ＲＢ選択モジュール１４６５は、ジョイントコーディングされた確認応答ビットの異なる部分を送信するためのインターレースの異なるリソースブロックを選択し得る。
【０１６２】
[0188]いくつかの例では、ＲＥ選択モジュール１４７０は、確認応答情報および／またはＣＳＩ（あるいは確認応答情報および／またはＣＳＩの部分）が送信されることになるリソースブロックの（１つまたは複数の）リソース要素を選択するために使用され得る。いくつかの例では、（１つまたは複数の）リソース要素は、フォーマット１、フォーマット１ａ、フォーマット１ｂ、フォーマット２、フォーマット２ａ、フォーマット２ｂ、および／またはフォーマット３のようなＰＵＣＣＨフォーマットに従って選択され得る。いくつかの例では、（１つまたは複数の）リソース要素は、フォーマット１ａ、フォーマット１ｂ、フォーマット２、およびフォーマット３から成るグループからのＰＵＣＣＨフォーマットに従って選択され得る。
【０１６３】
[0189]図１５は、本開示の様々な態様による、ワイヤレス通信において使用するためのワイヤレスデバイス１５１５のブロック図１５００を示す。ワイヤレスデバイス１５１５は、図１および／または図２を参照して説明されたＵＥ１１５、２１５、２１６、２１７、および／または２１８のうちの１つもしくは複数の態様、および／または図９を参照して説明されたワイヤレスデバイス９１５の態様の例であり得る。ワイヤレスデバイス１５１５はまた、プロセッサであるか、またはプロセッサを含み得る。ワイヤレスデバイス１５１５は、受信機モジュール１５１０、ワイヤレス通信管理モジュール１５２０、および／または送信機モジュール１５３０を含み得る。これらのモジュールの各々は、互いに通信していることがある。
【０１６４】
[0190]ワイヤレスデバイス１５１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０１６５】
[0191]いくつかの例では、受信機モジュール１５１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つのＲＦ受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール１５１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０１６６】
[0192]いくつかの例では、送信機モジュール１５３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール１５３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０１６７】
[0193]いくつかの例では、ワイヤレス通信管理モジュール１５２０は、ワイヤレスデバイス１５１５のためのワイヤレス通信の１つまたは複数の態様を管理するために使用され得る。いくつかの例では、ワイヤレス通信管理モジュール１５２０は、確認応答（ＡＣＫ）生成モジュール１５３５および／またはリソース選択モジュール１５４０を含み得る。これらのモジュールの各々は、互いに通信していることがある。
【０１６８】
[0194]いくつかの例では、ＡＣＫ生成モジュール１５３５は、ダウンリンク送信に関する複数の確認応答ビットを含む確認応答情報を生成するために使用され得る。各確認応答ビットは、ダウンリンク送信の別個の部分が正しく受信されたかどうかを示し得る。
【０１６９】
[0195]いくつかの例では、ＡＣＫ生成モジュール１５３５はジョイントコーディングモジュール１５４５を含み得る。いくつかの例では、ジョイントコーディングモジュール１５４５は、複数の確認応答ビットに対してジョイントコーディングを実行するために使用され得、いくつかの例では、ジョイントコーディングはジョイント畳み込みコーディングであり得る。
【０１７０】
[0196]いくつかの例では、リソース選択モジュール１５４０は、ジョイントコーディングされた確認応答ビットを送信するための、無認可無線周波数スペクトル帯域のコンポーネントキャリアのインターレースのようなリソースを選択するために使用され得る。
【０１７１】
[0197]図１６は、本開示の様々な態様による、ワイヤレス通信において使用するためのワイヤレスデバイス１６１５のブロック図１６００を示す。ワイヤレスデバイス１６１５は、図１および／または図２を参照して説明されたＵＥ１１５、２１５、２１６、２１７、および／または２１８のうちの１つもしくは複数の態様、および／または図９および／または図１５を参照して説明されたワイヤレスデバイス９１５および／または１５１５のうちの１つもしくは複数の態様の例であり得る。ワイヤレスデバイス１６１５はまた、プロセッサであるか、またはプロセッサを含み得る。ワイヤレスデバイス１６１５は、受信機モジュール１６１０、ワイヤレス通信管理モジュール１６２０、および／または送信機モジュール１６３０を含み得る。これらのモジュールの各々は、互いに通信していることがある。
【０１７２】
[0198]ワイヤレスデバイス１６１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０１７３】
[0199]いくつかの例では、受信機モジュール１６１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つのＲＦ受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール１６１０は、場合によっては、認可無線周波数スペクトル帯域および無認可無線周波数スペクトル帯域のための別個の受信機を含み得る。別個の受信機は、いくつかの例では、認可無線周波数スペクトル帯域を通じて通信するためのＬＴＥ／ＬＴＥ−Ａ受信機モジュール（たとえば、認可ＲＦスペクトル帯域のためのＬＴＥ／ＬＴＥ−Ａ受信機モジュール１６１２）、および無認可無線周波数スペクトル帯域を通じて通信するためのＬＴＥ／ＬＴＥ−Ａ受信機モジュール（たとえば、無認可ＲＦスペクトル帯域のためのＬＴＥ／ＬＴＥ−Ａ受信機モジュール１６１４）の形態をとり得る。認可ＲＦスペクトル帯域のためのＬＴＥ／ＬＴＥ−Ａ受信機モジュール１６１２および／または無認可ＲＦスペクトル帯域のためのＬＴＥ／ＬＴＥ−Ａ受信機モジュール１６１４を含む、受信機モジュール１６１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０１７４】
[0200]いくつかの例では、送信機モジュール１６３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール１６３０は、場合によっては、認可無線周波数スペクトル帯域および無認可無線周波数スペクトル帯域のための別個の送信機を含み得る。別個の送信機は、いくつかの例では、認可無線周波数スペクトル帯域を通じて通信するためのＬＴＥ／ＬＴＥ−Ａ送信機モジュール（たとえば、認可ＲＦスペクトル帯域のためのＬＴＥ／ＬＴＥ−Ａ送信機モジュール１６３２）、および無認可無線周波数スペクトル帯域を通じて通信するためのＬＴＥ／ＬＴＥ−Ａ送信機モジュール（たとえば、無認可ＲＦスペクトル帯域のためのＬＴＥ／ＬＴＥ−Ａ送信機モジュール１６３４）の形態をとり得る。認可ＲＦスペクトル帯域のためのＬＴＥ／ＬＴＥ−Ａ送信機モジュール１６３２および／または無認可ＲＦスペクトル帯域のためのＬＴＥ／ＬＴＥ−Ａ送信機モジュール１６３４を含む、送信機モジュール１６３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０１７５】
[0201]いくつかの例では、ワイヤレス通信管理モジュール１６２０は、ワイヤレスデバイス１６１５のためのワイヤレス通信の１つまたは複数の態様を管理するために使用され得る。いくつかの例では、ワイヤレス通信管理モジュール１６２０は、ダウンリンク送信に関する確認応答情報および／または無認可無線周波数スペクトル帯域に関するＣＳＩを生成するために使用され得る。いくつかの例では、ワイヤレス通信管理モジュール１６２０は、確認応答（ＡＣＫ）生成モジュール１６３５および／またはリソース選択モジュール１６４０を含み得る。これらのモジュールの各々は、互いに通信していることがある。
【０１７６】
[0202]いくつかの例では、ＡＣＫ生成モジュール１６３５は、ダウンリンク送信に関する複数の確認応答ビットを含む確認応答情報を生成するために使用され得る。各確認応答ビットは、ダウンリンク送信の別個の部分が正しく受信されたかどうかを示し得る。いくつかの例では、ダウンリンク送信の各別個の部分は、コードブロックまたはコードブロックのグループを含み得る。いくつかの例では、ダウンリンク送信の各別個の部分は、トランスポートブロックまたはトランスポートブロックのグループを含み得る。方法のいくつかの例では、ダウンリンク送信の各別個の部分は、１つまたは複数のトランスポートブロックにわたるコードブロックのグループを含み得る。いくつかの例では、ＡＣＫ生成モジュール１６３５は、１つまたは複数のそれぞれのコードブロックが正しく受信されたかどうかを示すために１つまたは複数の確認応答ビットを生成するためのコードブロックＡＣＫモジュール１６４５を含み得る。いくつかの例では、ＡＣＫ生成モジュール１６３５は、コードブロックの１つまたは複数のそれぞれのグループが正しく受信されたかどうかを示すために１つまたは複数の確認応答ビットを生成するためのトランスポートブロックＡＣＫモジュール１６５０を含み得る。いくつかの例では、ＡＣＫ生成モジュール１６３５は、コードブロックおよび／またはコードブロックのグループに関する確認応答ビットを生成するように静的に、半静的に、または動的に構成され得る。
【０１７７】
[0203]いくつかの例では、ＡＣＫ生成モジュール１６３５はジョイントコーディングモジュール１６５５を含み得る。いくつかの例では、ジョイントコーディングモジュール１６５５は、複数の確認応答ビットに対してジョイントコーディングを実行するために使用され得、いくつかの例では、ジョイントコーディングはジョイント畳み込みコーディングであり得る。
【０１７８】
[0204]いくつかの例では、リソース選択モジュール１６４０は、ジョイントコーディングされた確認応答ビットおよび／またはＣＳＩを含むアップリンク制御チャネルを送信するためのリソースを選択するために使用され得る。いくつかの例では、リソース選択モジュール１６４０は、インターレース選択モジュール１６６０、リソースブロック（ＲＢ）選択モジュール１６６５、および／またはリソース要素（ＲＥ）選択モジュール１６７０を含み得る。
【０１７９】
[0205]いくつかの例では、インターレース選択モジュール１６６０は、アップリンク制御チャネルが送信されることになるインターレースを選択するために使用され得る。いくつかの例では、選択は、基地局から受信された構成情報に基づき得る。いくつかの例では、選択されたインターレースは、無認可無線周波数スペクトル帯域における複数の非連続同時リソースブロックを含み得る。いくつかの例では、選択されたインターレースは、１０個のインターレースの中から選択され得、１０個のインターレースの各々が、無認可無線周波数スペクトル帯域における１０個の非連続同時リソースブロックを含む。いくつかの例では、選択されたインターレースの複数の非連続同時リソースブロックは、均一拡散パターンに従って周波数で離間され得る。いくつかの例では、選択されたインターレースの複数の非連続同時リソースブロックは、不均一拡散パターンに従って周波数で分散され得る。
【０１８０】
[0206]いくつかの例では、ＲＢ選択モジュール１６６５は、ジョイントコーディングされた確認応答ビットおよび／またはＣＳＩ（あるいは確認応答情報および／またはＣＳＩの部分）が送信されることになるインターレースの（１つまたは複数の）リソースブロックを選択するために使用され得る。いくつかの例では、ＲＢ選択モジュール１６６５は、ジョイントコーディングされた確認応答ビットおよび／またはＣＳＩを送信するためにインターレースのリソースブロックのサブセットを選択し得る。いくつかの例では、ＲＢ選択モジュール１６６５は、ジョイントコーディングされた確認応答ビットおよび／またはＣＳＩの異なる部分を送信するためのインターレースの異なるリソースブロックを選択し得る。いくつかの例では、ＲＢ選択モジュール１６６５は、ジョイントコーディングされた確認応答ビットおよび／またはＣＳＩの一部またはすべてを送信するためのインターレースのリソースブロックの各々を選択し得る（たとえば、いくつかの例では、確認応答情報はリソースブロックの各々を通じて重複して送信され得る）。
【０１８１】
[0207]いくつかの例では、ＲＥ選択モジュール１６７０は、ジョイントコーディングされた確認応答ビットおよび／またはＣＳＩ（あるいはジョイントコーディングされた確認応答ビットおよび／またはＣＳＩの部分）が送信されることになるリソースブロックの（１つまたは複数の）リソース要素を選択するために使用され得る。いくつかの例では、（１つまたは複数の）リソース要素は、フォーマット１、フォーマット１ａ、フォーマット１ｂ、フォーマット２、フォーマット２ａ、フォーマット２ｂ、および／またはフォーマット３のようなＰＵＣＣＨフォーマットに従って選択され得る。いくつかの例では、（１つまたは複数の）リソース要素は、フォーマット１ａ、フォーマット１ｂ、フォーマット２、およびフォーマット３から成るグループからのＰＵＣＣＨフォーマットに従って選択され得る。
【０１８２】
[0208]図１７は、本開示の様々な態様による、ワイヤレス通信において使用するためのワイヤレスデバイス１７１５のブロック図１７００を示す。ワイヤレスデバイス１７１５は、図１および／または図２を参照して説明されたＵＥ１１５、２１５、２１６、２１７、および／または２１８のうちの１つもしくは複数の態様、および／または図９を参照して説明されたワイヤレスデバイス９１５の態様の例であり得る。ワイヤレスデバイス１７１５はまた、プロセッサであるか、またはプロセッサを含み得る。ワイヤレスデバイス１７１５は、受信機モジュール１７１０、ワイヤレス通信管理モジュール１７２０、および／または送信機モジュール１７３０を含み得る。これらのモジュールの各々は、互いに通信していることがある。
【０１８３】
[0209]ワイヤレスデバイス１７１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０１８４】
[0210]いくつかの例では、受信機モジュール１７１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つのＲＦ受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール１７１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０１８５】
[0211]いくつかの例では、送信機モジュール１７３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール１７３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０１８６】
[0212]いくつかの例では、ワイヤレス通信管理モジュール１７２０は、ワイヤレスデバイス１７１５のためのワイヤレス通信の１つまたは複数の態様を管理するために使用され得る。いくつかの例では、ワイヤレス通信管理モジュール１７２０は、スケジューリング要求（ＳＲ）生成モジュール１７３５を含み得る。
【０１８７】
[0213]いくつかの例では、ＳＲ生成モジュール１７３５は、送信すべきアップリンクデータをワイヤレスデバイス１７１５が有するとの決定に基づいて基準信号を変調するために使用され得る。変調された基準信号は、基地局に対するスケジューリング要求を示し得る。
【０１８８】
[0214]いくつかの例では、ワイヤレス通信管理モジュール１７２０は、無認可無線周波数スペクトル帯域を通じて変調された基準信号を送信するために使用され得る。
【０１８９】
[0215]図１８は、本開示の様々な態様による、ワイヤレス通信において使用するためのワイヤレスデバイス１８１５のブロック図１８００を示す。ワイヤレスデバイス１８１５は、図１および／または図２を参照して説明されたＵＥ１１５、２１５、２１６、２１７、および／または２１８のうちの１つもしくは複数の態様、および／または図９および／または図１７を参照して説明されたワイヤレスデバイス９１５および／または１７１５のうちの１つもしくは複数の態様の例であり得る。ワイヤレスデバイス１８１５はまた、プロセッサであるか、またはプロセッサを含み得る。ワイヤレスデバイス１８１５は、受信機モジュール１８１０、ワイヤレス通信管理モジュール１８２０、および／または送信機モジュール１８３０を含み得る。これらのモジュールの各々は、互いに通信していることがある。
【０１９０】
[0216]ワイヤレスデバイス１８１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０１９１】
[0217]いくつかの例では、受信機モジュール１８１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つのＲＦ受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール１８１０は、場合によっては、認可無線周波数スペクトル帯域および無認可無線周波数スペクトル帯域のための別個の受信機を含み得る。別個の受信機は、いくつかの例では、認可無線周波数スペクトル帯域を通じて通信するためのＬＴＥ／ＬＴＥ−Ａ受信機モジュール（たとえば、認可ＲＦスペクトル帯域のためのＬＴＥ／ＬＴＥ−Ａ受信機モジュール１８１２）、および無認可無線周波数スペクトル帯域を通じて通信するためのＬＴＥ／ＬＴＥ−Ａ受信機モジュール（たとえば、無認可ＲＦスペクトル帯域のためのＬＴＥ／ＬＴＥ−Ａ受信機モジュール１８１４）の形態をとり得る。認可ＲＦスペクトル帯域のためのＬＴＥ／ＬＴＥ−Ａ受信機モジュール１８１２および／または無認可ＲＦスペクトル帯域のためのＬＴＥ／ＬＴＥ−Ａ受信機モジュール１８１４を含む、受信機モジュール１８１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０１９２】
[0218]いくつかの例では、送信機モジュール１８３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール１８３０は、場合によっては、認可無線周波数スペクトル帯域および無認可無線周波数スペクトル帯域のための別個の送信機を含み得る。別個の送信機は、いくつかの例では、認可無線周波数スペクトル帯域を通じて通信するためのＬＴＥ／ＬＴＥ−Ａ送信機モジュール（たとえば、認可ＲＦスペクトル帯域のためのＬＴＥ／ＬＴＥ−Ａ送信機モジュール１８３２）、および無認可無線周波数スペクトル帯域を通じて通信するためのＬＴＥ／ＬＴＥ−Ａ送信機モジュール（たとえば、無認可ＲＦスペクトル帯域のためのＬＴＥ／ＬＴＥ−Ａ送信機モジュール１８３４）の形態をとり得る。認可ＲＦスペクトル帯域のためのＬＴＥ／ＬＴＥ−Ａ送信機モジュール１８３２および／または無認可ＲＦスペクトル帯域のためのＬＴＥ／ＬＴＥ−Ａ送信機モジュール１８３４を含む、送信機モジュール１８３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０１９３】
[0219]いくつかの例では、ワイヤレス通信管理モジュール１８２０は、ワイヤレスデバイス１８１５のためのワイヤレス通信の１つまたは複数の態様を管理するために使用され得る。いくつかの例では、ワイヤレス通信管理モジュール１８２０は、スケジューリング要求（ＳＲ）生成モジュール１８３５、サウンディング基準信号（ＳＲＳ）生成モジュール１８４０、および／またはリソース選択モジュール１８４５を含み得る。これらのモジュールの各々は、互いに通信していることがある。
【０１９４】
[0220]いくつかの例では、ＳＲ生成モジュール１８３５は、送信すべきアップリンクデータをワイヤレスデバイス１８１５が有するとの決定に基づいて基準信号を変調するために使用され得る。変調された基準信号は、基地局に対するスケジューリング要求を示し得る。いくつかの例では、基準信号を変調することは、スケジューリング要求を示すために基準信号の極性を変更することを含み得る。
【０１９５】
[0221]いくつかの例では、ＳＲＳ生成モジュール１８４０は、ＳＲＳを生成するために使用され得る。
【０１９６】
[0222]いくつかの例では、リソース選択モジュール１８４５は、無認可無線周波数スペクトル帯域を通じて変調された基準信号および／またはＳＲＳを送信するためのリソースを選択するために使用され得る。いくつかの例では、リソース選択モジュール１８４５は、ＳＲリソース選択モジュール１８５０および／またはＳＲＳリソース選択モジュール１８５５を含み得る。いくつかの例では、ＳＲリソース選択モジュール１８５０は、変調された基準信号を送信するための無認可無線周波数スペクトル帯域のコンポーネントキャリアのインターレースを選択するために使用され得る。コンポーネントキャリアのインターレースは、複数の非連続同時リソースブロックを含み得る。いくつかの例では、インターレースは、無認可無線周波数スペクトル帯域のコンポーネントキャリアの帯域幅の大部分に及び得る。いくつかの例では、ＳＲリソース選択モジュール１８５０は、変調された基準信号を送信すべき単一のシンボル（たとえば、単一のＯＦＤＭシンボル）を選択し得る。
【０１９７】
[0223]いくつかの例では、ＳＲＳリソース選択モジュール１８５５は、変調された基準信号と同時にＳＲＳを送信するためのリソースを選択し得る。
【０１９８】
[0224]図１９は、本開示の様々な態様による、ワイヤレス通信において使用するためのワイヤレスデバイス１９１５のブロック図１９００を示す。ワイヤレスデバイス１９１５は、図１および／または図２を参照して説明されたＵＥ１１５、２１５、２１６、２１７、および／または２１８のうちの１つもしくは複数の態様、および／または図９を参照して説明されたワイヤレスデバイス９１５の態様の例であり得る。ワイヤレスデバイス１９１５はまた、プロセッサであるか、またはプロセッサを含み得る。ワイヤレスデバイス１９１５は、受信機モジュール１９１０、ワイヤレス通信管理モジュール１９２０、および／または送信機モジュール１９３０を含み得る。これらのモジュールの各々は、互いに通信していることがある。
【０１９９】
[0225]ワイヤレスデバイス１９１５のモジュールは、ハードウェアにおいて適用可能な機能の一部またはすべてを実行するように適応された１つまたは複数のＡＳＩＣを使用して、個別にまたは集合的に実装され得る。代替的に、機能は、１つまたは複数の集積回路上で、１つまたは複数の他の処理ユニット（またはコア）によって実行され得る。他の例では、他のタイプの集積回路が使用されてよく（たとえば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるためにフォーマットされた、メモリ中に具現化された命令を用いて実装され得る。
【０２００】
[0226]いくつかの例では、受信機モジュール１９１０は、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて送信を受信するように動作可能な少なくとも１つのＲＦ受信機のような、少なくとも１つのＲＦ受信機を含み得る。いくつかの例では、認可無線周波数スペクトル帯域および／または無認可無線周波数スペクトル帯域は、たとえば、図１および／または図２を参照して説明されたように、ＬＴＥ／ＬＴＥ−Ａ通信のために使用され得る。受信機モジュール１９１０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を受信するために使用され得る。通信リンクは、認可無線周波数スペクトル帯域および／または無認可無線周波数スペクトル帯域上で確立され得る。
【０２０１】
[0227]いくつかの例では、送信機モジュール１９３０は、認可無線周波数スペクトル帯域および／または無認可無線周波数スペクトル帯域を通じて送信するように動作可能な少なくとも１つのＲＦ送信機のような、少なくとも１つのＲＦ送信機を含み得る。送信機モジュール１９３０は、図１および／または図２を参照して説明されたワイヤレス通信システム１００および／または２００の１つまたは複数の通信リンクのようなワイヤレス通信システムの１つまたは複数の通信リンクを通じて、様々なタイプのデータおよび／または制御信号（すなわち、送信）を送信するために使用され得る。通信リンクは、認可無線周波数スペクトル帯域および／または無認可無線周波数スペクトル帯域上で確立され得る。
【０２０２】
[0228]いくつかの例では、ワイヤレス通信管理モジュール１９２０は、ワイヤレスデバイス１９１５のためのワイヤレス通信の１つまたは複数の態様を管理するために使用され得る。いくつかの例では、ワイヤレス通信管理モジュール１９２０は、サウンディング基準信号（ＳＲＳ）生成モジュール１９３５を含み得る。
【０２０３】
[0229]いくつかの例では、ＳＲＳ生成モジュール１９３５は、ＳＲＳを生成するために使用され得る。
【０２０４】
[0230]いくつかの例では、ワイヤレス通信管理モジュール１９２０は、無認可無線周波数スペクトル帯域のコンポーネントキャリアのインターレースを通じてＳＲＳを送信するために使用され得る。インターレースは、無認可無線周波数スペクトル帯域における複数の非連続同時リソースブロックを含み得る。いくつかの例では、インターレースは、無認可無線周波数スペクトル帯域のコンポーネントキャリアの帯域幅の大部分に及び得る。いくつかの例では、ワイヤレス通信管理モジュール１９２０は、ＳＲＳを送信すべき単一のシンボル（たとえば、単一のＯＦＤＭシンボル）を選択し得る。
【０２０５】
[0231]いくつかの例では、ワイヤレス通信管理モジュール１９２０は、変調された基準信号と同時にＳＲＳを送信し得る。いくつかの例では、変調された基準信号は、基地局に対するスケジューリング要求を示し得る。
【０２０６】
[0232]図２０は、本開示の様々な態様による、ワイヤレス通信において使用するためのＵＥ２０１５のブロック図２０００を示す。ＵＥ２０１５は様々な構成を有してよく、またはパーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれ、またそれの一部であり得る。ＵＥ２０１５は、いくつかの例では、モバイル動作を容易にするために、小型バッテリーのような内部電源（図示されず）を有し得る。いくつかの例では、ＵＥ２０１５は、図１および／または図２を参照して説明されたＵＥ１１５、２１５、２１６、２１７、および／または２１８のうちの１つもしくは複数の態様、および／または図９、図１０、図１１、図１２、図１３、図１４、図１５、図１６、図１７、図１８、および／または図１９を参照して説明されたワイヤレスデバイス９１５、１０１５、１１１５、１２１５、１３１５、１４１５、１５１５、１６１５、１７１５、１８１５、および／または１９１５のうちの１つもしくは複数の態様の例であり得る。ＵＥ２０１５は、図１、図２、図３、図４、図５、図６、図７、図８、図９、図１０、図１１、図１２、図１３、図１４、図１５、図１６、図１７、図１８、および／または図１９を参照して説明されたＵＥおよび／またはワイヤレスデバイスの特徴および機能の少なくとも一部を実装するように構成され得る。
【０２０７】
[0233]ＵＥ２０１５は、ＵＥプロセッサモジュール２０１０、ＵＥメモリモジュール２０２０、（（１つまたは複数の）ＵＥトランシーバモジュール２０３０によって表される）少なくとも１つのＵＥトランシーバモジュール、（（１つまたは複数の）ＵＥアンテナ２０４０によって表される）少なくとも１つのＵＥアンテナ、および／またはＵＥワイヤレス通信管理モジュール２０６０を含み得る。これらの構成要素の各々は、１つまたは複数のバス２０３５を通じて、直接または間接的に互いに通信していることがある。
【０２０８】
[0234]ＵＥメモリモジュール２０２０は、ランダムアクセスメモリ（ＲＡＭ）および／または読取り専用メモリ（ＲＯＭ）を含み得る。ＵＥメモリモジュール２０２０は、実行されると、ワイヤレス通信に関する本明細書で説明される様々な機能をＵＥプロセッサモジュール２０１０に実行させるように構成される命令を含む、コンピュータ可読のコンピュータ実行可能コード２０２５を記憶し得る。代替的に、コード２０２５は、ＵＥプロセッサモジュール２０１０によって直接的に実行可能ではないことがあるが、（たとえば、コンパイルされ実行されると）本明細書で説明される様々な機能をＵＥ２０１５に実行させるように構成され得る。
【０２０９】
[0235]ＵＥプロセッサモジュール２０１０は、インテリジェントハードウェアデバイス、たとえば、中央処理装置（ＣＰＵ）、マイクロコントローラ、ＡＳＩＣなどを含み得る。ＵＥプロセッサモジュール２０１０は、（１つまたは複数の）ＵＥトランシーバモジュール２０３０を通じて受信された情報、および／または（１つまたは複数の）ＵＥアンテナ２０４０を通じた送信のために（１つまたは複数の）ＵＥトランシーバモジュール２０３０へ送られるべき情報を処理し得る。ＵＥプロセッサモジュール２０１０は、単独でまたはＵＥワイヤレス通信管理モジュール２０６０とともに、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて通信すること（あるいはその帯域を通じた通信を管理すること）の様々な態様を扱い得る。
【０２１０】
[0236] （１つまたは複数の）ＵＥトランシーバモジュール２０３０は、パケットを変調し、変調されたパケットを送信のために（１つまたは複数の）ＵＥアンテナ２０４０に提供し、（１つまたは複数の）ＵＥアンテナ２０４０から受信されたパケットを復調するように構成されたモデムを含み得る。（１つまたは複数の）ＵＥトランシーバモジュール２０３０は、いくつかの例では、１つまたは複数のＵＥ送信機モジュールおよび１つまたは複数の別個のＵＥ受信機モジュールとして実装され得る。（１つまたは複数の）ＵＥトランシーバモジュール２０３０は、認可無線周波数スペクトル帯域および／または無認可無線周波数スペクトル帯域における通信をサポートし得る。（１つまたは複数の）ＵＥトランシーバモジュール２０３０は、図１および／または図２を参照して説明された基地局１０５、２０５、および／または２０６のうちの１つまたは複数と、（１つまたは複数の）ＵＥアンテナ２０４０を介して双方向に通信するように構成され得る。ＵＥ２０１５は単一のＵＥアンテナを含み得るが、ＵＥ２０１５が複数のＵＥアンテナ２０４０を含み得る例があり得る。
【０２１１】
[0237]ＵＥ状態モジュール２０５０は、たとえば、ＲＲＣアイドル状態とＲＲＣ接続状態との間のＵＥ２０１５の遷移を管理するために使用されてよく、１つまたは複数のバス２０３５を通じて、直接または間接的に、ＵＥ２０１５の他の構成要素と通信していることがある。ＵＥ状態モジュール２０５０またはそれの部分は、プロセッサを含んでよく、ならびに／またはＵＥ状態モジュール２０５０の機能の一部もしくはすべては、ＵＥプロセッサモジュール２０１０によって、および／もしくはＵＥプロセッサモジュール２０１０とともに実行され得る。
【０２１２】
[0238]（１つまたは複数の）ＵＥトランシーバモジュール２０３０およびＵＥワイヤレス通信管理モジュール２０６０は、認可無線周波数スペクトル帯域および／または無認可無線周波数スペクトル帯域を通じたワイヤレス通信に関する、図１、図２、図３、図４、図５、図６、図７、図８、図９、図１０、図１１、図１２、図１３、図１４、図１５、図１６、図１７、図１８、および／または図１９を参照して説明されたＵＥおよび／またはワイヤレスデバイスの特徴および／または機能の一部またはすべてを実行および／または制御するように構成され得る。たとえば、ＵＥワイヤレス通信管理モジュール２０６０は、認可無線周波数スペクトル帯域および／または無認可無線周波数スペクトル帯域を使用して、補助ダウンリンクモード、キャリアアグリゲーションモード、および／またはスタンドアロンモードをサポートするように構成され得る。ＵＥワイヤレス通信管理モジュール２０６０は、認可無線周波数スペクトル帯域におけるＬＴＥ／ＬＴＥ−Ａ通信を扱うように構成された認可ＲＦスペクトル帯域のためのＵＥ  ＬＴＥ／ＬＴＥ−Ａモジュール２０６５と、無認可無線周波数スペクトル帯域におけるＬＴＥ／ＬＴＥ−Ａ通信を扱うように構成された無認可ＲＦスペクトル帯域のためのＵＥ  ＬＴＥ／ＬＴＥ−Ａモジュール２０７０とを含み得る。ＵＥワイヤレス通信管理モジュール２０６０またはそれの部分は、プロセッサを含んでよく、ならびに／またはＵＥワイヤレス通信管理モジュール２０６０の機能の一部もしくはすべては、ＵＥプロセッサモジュール２０１０によって、および／もしくはＵＥプロセッサモジュール２０１０とともに実行され得る。いくつかの例では、（１つまたは複数の）ＵＥトランシーバモジュール２０３０は、受信機モジュール９１０、１０１０、１１１０、１２１０、１３１０、１４１０、１５１０、１６１０、１７１０、１８１０、および／または１９１０の例であり得、および／または（１つまたは複数の）ＵＥトランシーバモジュール２０３０は、図９、図１０、図１１、図１２、図１３、図１４、図１５、図１６、図１７、図１８、および／または図１９を参照して説明された送信機モジュール９３０、１０３０、１１３０、１２３０、１３３０、１４３０、１５３０、１６３０、１７３０、１８３０、および／または１９３０の例であり得る。いくつかの例では、ＵＥワイヤレス通信管理モジュール２０６０は、図９、図１０、図１１、図１２、図１３、図１４、図１５、図１６、図１７、図１８、および／または図１９を参照して説明されたワイヤレス通信管理モジュール９２０、１０２０、１１２０、１２２０、１３２０、１４２０、１５２０、１６２０、１７２０、１８２０、および／または１９２０の例であり得る。
【０２１３】
[0239]図２１は、本開示の様々な態様による、ワイヤレス通信において使用するための基地局２１０５（たとえば、ｅＮＢの一部またはすべてを形成する基地局）のブロック図２１００を示す。いくつかの例では、基地局２１０５は、図１および／または図２を参照して説明された基地局１０５、２０５、および／または２０６の１つまたは複数の態様の例であり得る。基地局２１０５は、図１、図２、図３、図４、図５、図６、図７、および／または図８を参照して説明された基地局の特徴および機能の少なくとも一部を実装または支援するように構成され得る。
【０２１４】
[0240]基地局２１０５は、基地局プロセッサモジュール２１１０、基地局メモリモジュール２１２０、（（１つまたは複数の）基地局トランシーバモジュール２１５０によって表される）少なくとも１つの基地局トランシーバモジュール、（（１つまたは複数の）基地局アンテナ２１５５によって表される）少なくとも１つの基地局アンテナ、および／または基地局ワイヤレス通信管理モジュール２１６０を含み得る。基地局２１０５はまた、基地局通信モジュール２１３０および／またはネットワーク通信モジュール２１４０のうちの１つまたは複数を含み得る。これらの構成要素の各々は、１つまたは複数のバス２１３５を通じて、直接または間接的に互いに通信していることがある。
【０２１５】
[0241]基地局メモリモジュール２１２０はＲＡＭおよび／またはＲＯＭを含み得る。基地局メモリモジュール２１２０は、実行されると、ワイヤレス通信に関する本明細書で説明される様々な機能を基地局プロセッサモジュール２１１０に実行させるように構成される命令を含む、コンピュータ可読のコンピュータ実行可能コード２１２５を記憶し得る。代替的に、コード２１２５は、基地局プロセッサモジュール２１１０によって直接的に実行可能ではないことがあるが、（たとえば、コンパイルされ実行されると）本明細書で説明される様々な機能を基地局２１０５に実行させるように構成され得る。
【０２１６】
[0242]基地局プロセッサモジュール２１１０は、インテリジェントハードウェアデバイス、たとえば、ＣＰＵ、マイクロコントローラ、ＡＳＩＣなどを含み得る。基地局プロセッサモジュール２１１０は、（１つまたは複数の）基地局トランシーバモジュール２１５０、基地局通信モジュール２１３０、および／またはネットワーク通信モジュール２１４０を通じて受信された情報を処理し得る。基地局プロセッサモジュール２１１０はまた、（１つまたは複数の）アンテナ２１５５を通じた送信のために（１つまたは複数の）トランシーバモジュール２１５０へ、１つまたは複数の他の基地局２１０６および２１０７への送信のために基地局通信モジュール２１３０へ、および／または図１を参照して説明されたコアネットワーク１３０の１つまたは複数の態様の例であり得るコアネットワーク２１４５への送信のためにネットワーク通信モジュール２１４０へ、送られるべき情報を処理し得る。基地局プロセッサモジュール２１１０は、単独でまたは基地局ワイヤレス通信管理モジュール２１６０とともに、認可無線周波数スペクトル帯域（たとえば、無線周波数スペクトル帯域が、ＬＴＥ／ＬＴＥ−Ａ通信のために使用可能な認可無線周波数スペクトル帯域のような、特定の用途のために特定のユーザに認可されているので、装置がアクセスを争わない無線周波数スペクトル帯域）、および／または無認可無線周波数スペクトル帯域（たとえば、無線周波数スペクトル帯域が、Ｗｉ−Ｆｉ用途のような無認可の用途に利用可能であるので、装置がアクセスを争う必要があり得る無線周波数スペクトル帯域）を通じて通信すること（あるいはその帯域を通じた通信を管理すること）の様々な態様を扱い得る。
【０２１７】
[0243]（１つまたは複数の）基地局トランシーバモジュール２１５０は、パケットを変調し、変調されたパケットを送信のために（１つまたは複数の）基地局アンテナ２１５５に提供し、（１つまたは複数の）基地局アンテナ２１５５から受信されたパケットを復調するように構成されたモデムを含み得る。（１つまたは複数の）基地局トランシーバモジュール２１５０は、いくつかの例では、１つまたは複数の基地局送信機モジュールおよび１つまたは複数の別個の基地局受信機モジュールとして実装され得る。（１つまたは複数の）基地局トランシーバモジュール２１５０は、認可無線周波数スペクトル帯域および／または無認可無線周波数スペクトル帯域における通信をサポートし得る。（１つまたは複数の）基地局トランシーバモジュール２１５０は、図１、図２、および／または図２０を参照して説明されたＵＥ１１５、２１５、２１６、２１７、２１８、および／または２０１５のうちの１つもしくは複数、および／または図９、図１０、図１１、図１２、図１３、図１４、図１５、図１６、図１７、図１８、および／または図１９を参照して説明されたワイヤレスデバイス９１５、１０１５、１１１５、１２１５、１３１５、１４１５、１５１５、１６１５、１７１５、１８１５、および／または１９１５のうちの１つもしくは複数のような、１つまたは複数のＵＥおよび／またはワイヤレスデバイスと、（１つまたは複数の）アンテナ２１５５を介して双方向に通信するように構成され得る。基地局２１０５は、たとえば、複数の基地局アンテナ２１５５（たとえば、アンテナアレイ）を含み得る。基地局２１０５は、ネットワーク通信モジュール２１４０を通じてコアネットワーク２１４５と通信し得る。基地局２１０５はまた、基地局通信モジュール２１３０を使用して、基地局２１０６および２１０７のような他の基地局と通信し得る。
【０２１８】
[0244]基地局ワイヤレス通信管理モジュール２１６０は、認可無線周波数スペクトル帯域および／または無認可無線周波数スペクトル帯域を通じたワイヤレス通信に関する、図１、図２、図３、図４、図５、図６、図７、および／または図８を参照して説明された特徴および／または機能の一部またはすべてを実行および／または制御するように構成され得る。たとえば、基地局ワイヤレス通信管理モジュール２１６０は、認可無線周波数スペクトル帯域および／または無認可無線周波数スペクトル帯域を使用して、補助ダウンリンクモード、キャリアアグリゲーションモード、および／またはスタンドアロンモードをサポートするように構成され得る。基地局ワイヤレス通信管理モジュール２１６０は、認可無線周波数スペクトル帯域におけるＬＴＥ／ＬＴＥ−Ａ通信を扱うように構成された認可ＲＦスペクトル帯域のための基地局ＬＴＥ／ＬＴＥ−Ａモジュール２１６５と、無認可無線周波数スペクトル帯域におけるＬＴＥ／ＬＴＥ−Ａ通信を扱うように構成された無認可ＲＦスペクトル帯域のための基地局ＬＴＥ／ＬＴＥ−Ａモジュール２１７０とを含み得る。基地局ワイヤレス通信管理モジュール２１６０またはそれの部分は、プロセッサを含んでよく、ならびに／または基地局ワイヤレス通信管理モジュール２１６０の機能の一部もしくはすべては、基地局プロセッサモジュール２１１０によって、および／もしくは基地局プロセッサモジュール２１１０とともに実行され得る。
【０２１９】
[0245]図２２は、本開示の様々な態様による、基地局２２０５とＵＥ２２１５とを含む多入力多出力（ＭＩＭＯ）通信システム２２００のブロック図である。ＭＩＭＯ通信システム２２００は、図１および／または図２を参照して説明された図１００および／または図２００に示されるワイヤレス通信システム１００および／または２００の態様を示し得る。基地局２２０５はアンテナ２２３４〜２２３５を装備し得、ＵＥ２２１５はアンテナ２２５２〜２２５３を装備し得る。ＭＩＭＯ通信システム２２００では、基地局２２０５は、同時に複数の通信リンクを通じてデータを送ることが可能であり得る。各通信リンクは「レイヤ」と呼ばれることがあり、通信リンクの「ランク」は、通信のために使用されるレイヤの数を示し得る。たとえば、基地局２２０５が２つの「レイヤ」を送信する２×２ＭＩＭＯ通信システムでは、基地局２２０５とＵＥ２２１５との間の通信リンクのランクは２である。
【０２２０】
[0246]基地局２２０５において、送信（Ｔｘ）プロセッサ２２２０は、データソースからデータを受信し得る。送信プロセッサ２２２０は、データを処理し得る。送信プロセッサ２２２０はまた、制御シンボルおよび／または基準シンボルを生成し得る。送信（Ｔｘ）ＭＩＭＯプロセッサ２２３０は、適用可能な場合はデータシンボル、制御シンボル、および／または基準シンボルに対して空間処理（たとえば、プリコーディング）を実行し得、出力シンボルストリームを変調器／復調器（Ｍｏｄ．／Ｄｅｍｏｄ．）モジュール２２３２〜２２３３に与え得る。各変調器／復調器モジュール２２３２〜２２３３は、出力サンプルストリームを取得するために、（たとえば、ＯＦＤＭなどのために）それぞれの出力シンボルストリームを処理し得る。各変調器／復調器モジュール２２３２〜２２３３はさらに、ＤＬ信号を取得するために、出力サンプルストリームを処理（たとえば、アナログへの変換、増幅、フィルタ処理、およびアップコンバート）し得る。一例では、変調器／復調器モジュール２２３２〜２２３３からのＤＬ信号は、それぞれアンテナ２２３４〜２２３５を介して送信され得る。
【０２２１】
[0247]ＵＥ２２１５において、ＵＥアンテナ２２５２〜２２５３は、基地局２２０５からＤＬ信号を受信し得、受信信号をそれぞれ変調器／復調器モジュール２２５４〜２２５５に与え得る。各変調器／復調器モジュール２２５４〜２２５５は、入力サンプルを取得するために、それぞれの受信信号を調整（たとえば、フィルタ処理、増幅、ダウンコンバート、およびデジタル化）し得る。各変調器／復調器モジュール２２５４〜２２５５はさらに、受信シンボルを取得するために、（たとえば、ＯＦＤＭなどのために）入力サンプルを処理し得る。ＭＩＭＯ検出器２２５６は、すべての変調器／復調器モジュール２２５４〜２２５５から受信シンボルを取得し、適用可能な場合は受信シンボルに対してＭＩＭＯ検出を実行し、検出されたシンボルを与え得る。受信（Ｒｘ）プロセッサ２２５８は、検出されたシンボルを処理（たとえば、復調、デインターリーブ、および復号）し、ＵＥ２２１５のための復号されたデータをデータ出力に与え、復号された制御情報をプロセッサ２２８０、またはメモリ２２８２に与え得る。
【０２２２】
[0248]プロセッサ２２８０は、場合によっては、ワイヤレス通信管理モジュール２２８４をインスタンス化する（instantiate）ための記憶された命令を実行し得る。ワイヤレス通信管理モジュール２２８４は、図９、図１０、図１１、図１２、図１３、図１４、図１５、図１６、図１７、図１８、図１９、および／または図２０を参照して説明されたワイヤレス通信管理モジュール２２８４の態様の例であり得る。
【０２２３】
[0249]アップリンク（ＵＬ）上で、ＵＥ２２１５において、送信プロセッサ２２６４は、データソースからデータを受信し、処理し得る。送信プロセッサ２２６４はまた、基準信号のための基準シンボルを生成し得る。送信プロセッサ２２６４からのシンボルは、適用可能な場合は送信ＭＩＭＯプロセッサ２２６６によってプリコードされ、さらに（たとえば、ＳＣ−ＦＤＭＡなどのために）変調器／復調器モジュール２２５４〜２２５５によって処理され、基地局２２０５から受信された送信パラメータに従って基地局２２０５に送信され得る。基地局２２０５において、ＵＥ２２１５からのＵＬ信号がアンテナ２２３４〜２２３５によって受信され、変調器／復調器モジュール２２３２〜２２３３によって処理され、適用可能な場合はＭＩＭＯ検出器２２３６によって検出され、受信プロセッサ２２３８によってさらに処理され得る。受信プロセッサ２２３８は、復号されたデータをデータ出力とプロセッサ２２４０および／またはメモリ２２４２とに与え得る。
【０２２４】
[0250]ＵＥ２２１５の構成要素は、ハードウェアにおいて適用可能な機能の一部またはすべてを実行するように適応された１つまたは複数のＡＳＩＣを用いて、個別にまたは集合的に実装され得る。言及されたモジュールの各々は、ＭＩＭＯ通信システム２２００の動作に関係する１つまたは複数の機能を実行するための手段であり得る。同様に、基地局２２０５の構成要素は、ハードウェアにおいて適用可能な機能の一部またはすべてを実行するように適応された１つまたは複数のＡＳＩＣを用いて、個別にまたは集合的に実装され得る。言及された構成要素の各々は、ＭＩＭＯ通信システム２２００の動作に関係する１つまたは複数の機能を実行するための手段であり得る。
【０２２５】
[0251]図２３は、本開示の様々な態様による、ワイヤレス通信のための方法２３００の例を示すフローチャートである。明快のために、方法２３００は、図１、図２、図２０、および／はまたは図２２を参照して説明されたＵＥ１１５、２１５、２１６、２１７、２１８、２０１５、および／または２２１５のうちの１つもしくは複数の態様、および／または図９、図１０、および／または図１１を参照して説明されたワイヤレスデバイス９１５、１０１５、および／または１１１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２２６】
[0252]ブロック２３０５において、方法２３００は、ワイヤレスデバイスにおいてアップリンク制御情報を生成することを含み得る。ブロック２３０５における動作は、図９、図１０、図１１、図２０、および／または図２２を参照して説明されたワイヤレス通信管理モジュール９２０、１０２０、１１２０、２０６０、および／または２２８４、および／または図１０および／または図１１を参照して説明されたＵＣＩ生成モジュール１０３５および／または１１３５を使用して実行され得る。
【０２２７】
[0253]ブロック２３１０において、方法２３００は、無認可無線周波数スペクトル帯域のコンポーネントキャリアのインターレースを通じてアップリンク制御情報を送信することを含み得る。インターレースは、無認可無線周波数スペクトル帯域における複数の非連続同時リソースブロックを含み得る。インターレースにおける少なくとも２つのリソースブロックは、アップリンク制御情報の異なる部分を含み得る。いくつかの例では、無認可無線周波数スペクトル帯域は、無線周波数スペクトル帯域が、Ｗｉ−Ｆｉ用途のような無認可の用途に利用可能であるので装置がアクセスを争う必要があり得る無線周波数スペクトル帯域を含み得る。ブロック２３１０における動作は、図９、図１０、図１１、図２０、および／または図２２を参照して説明されたワイヤレス通信管理モジュール９２０、１０２０、１１２０、２０６０、および／もしくは２２８４、図１０および／または図１１を参照して説明されたＵＣＩリソース選択モジュール１０４０および／もしくは１１４０、図９、図１０、および／または図１１を参照して説明された送信機モジュール９３０、１０３０、および／もしくは１１３０、ならびに／または図２０を参照して説明された（１つまたは複数の）ＵＥトランシーバモジュール２０３０および（１つまたは複数の）ＵＥアンテナ２０４０を使用して実行され得る。
【０２２８】
[0254]したがって、方法２３００はワイヤレス通信を提供することができる。方法２３００は一実装形態にすぎず、方法２３００の動作は、他の実装形態が可能であるように再構成されるか、または場合によっては修正され得ることに留意されたい。
【０２２９】
[0255]図２４は、本開示の様々な態様による、ワイヤレス通信のための方法２４００の例を示すフローチャートである。明快のために、方法２４００は、図１、図２、図２０、および／または図２２を参照して説明されたＵＥ１１５、２１５、２１６、２１７、２１８、２０１５、および／または２２１５のうちの１つもしくは複数の態様、および／または図９、図１０、および／または図１１を参照して説明されたワイヤレスデバイス９１５、１０１５、および／または１１１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２３０】
[0256]ブロック２４０５において、方法２４００は、（たとえば、ワイヤレスデバイスにおいて）ダウンリンク送信を受信することを含み得る。ブロック２４０５における動作は、図９、図１０、および／または図１１を参照して説明された受信機モジュール９１０、１０１０、および／もしくは１１１０、図２０を参照して説明された（１つまたは複数の）トランシーバモジュール２０３０および（１つまたは複数の）アンテナ２０４０、ならびに／または図９、図１０、図１１、図２０、および／または図２２を参照して説明されたワイヤレス通信管理モジュール９２０、１０２０、１１２０、２０６０、および／もしくは２２８４を使用して実行され得る。
【０２３１】
[0257]ブロック２４１０において、方法２４００は、ワイヤレスデバイスにおいてアップリンク制御情報を生成することを含み得る。いくつかの例では、アップリンク制御情報を生成することは、ダウンリンク送信に関する確認応答情報（たとえば、ＡＣＫおよび／またはＮＡＣＫ情報）を生成すること、および／または無認可無線周波数スペクトル帯域に関するＣＳＩを生成することを含み得る。いくつかの例では、無認可無線周波数スペクトル帯域は、無線周波数スペクトル帯域が、Ｗｉ−Ｆｉ用途のような無認可の用途に利用可能であるので装置がアクセスを争う必要があり得る無線周波数スペクトル帯域を含み得る。ブロック２４１０における動作は、図９、図１０、図１１、図２０、および／または図２２を参照して説明されたワイヤレス通信管理モジュール９２０、１０２０、１１２０、２０６０、および／もしくは２２８４、図１０および／または図１１を参照して説明されたＵＣＩ生成モジュール１０３５および／もしくは１１３５、ならびに／または図１１を参照して説明されたＡＣＫ生成モジュール１１４５および／もしくはＣＳＩ生成モジュール１１５０を使用して実行され得る。
【０２３２】
[0258]方法２４００のいくつかの例では、生成された確認応答情報は、ダウンリンク送信の個別コードブロック、および／またはダウンリンク送信のコードブロックのグループ、に関するコードブロックレベル確認応答情報を含み得る。いくつかの例では、確認応答情報は、ダウンリンク送信のいくつかの個別コードブロックの各々、および／またはダウンリンク送信のコードブロックのいくつかのグループの各々、に関するコードブロックレベル確認応答情報を含み得る。方法２４００のいくつかの例では、生成された確認応答情報は、ダウンリンク送信の個別トランスポートブロック、および／またはダウンリンク送信のトランスポートブロックのグループ、に関するトランスポートブロックレベル確認応答情報を含み得る。いくつかの例では、確認応答情報は、ダウンリンク送信のいくつかの個別トランスポートブロックの各々、および／またはダウンリンク送信のトランスポートブロックのいくつかのグループの各々、に関するトランスポートブロックレベル確認応答情報を含み得る。コードブロックレベル確認応答情報はコードブロックＡＣＫモジュール１１５５によって生成され得、トランスポートブロックレベル確認応答情報はトランスポートブロックＡＣＫモジュール１１６０によって生成され得る。
【０２３３】
[0259]ブロック２４１５において、いくつかの例では、方法２４００は、確認応答情報の複数の確認応答ビットに対してジョイントコーディングを実行することを含むことができ、いくつかの例では、ジョイントコーディングがジョイント畳み込みコーディングであり得る。ブロック２４１５における動作は、図９、図１０、図１１、図２０、および／または図２２を参照して説明されたワイヤレス通信管理モジュール９２０、１０２０、１１２０、２０６０、および／もしくは２２８４、図１０および／または図１１を参照して説明されたＵＣＩ生成モジュール１０３５および／もしくは１１３５、ならびに／または図１１を参照して説明されたジョイントコーディングモジュール１１６５を使用して実行され得る。
【０２３４】
[0260]ブロック２４２０において、方法２４００は、無認可無線周波数スペクトル帯域のコンポーネントキャリアのインターレースを通じてアップリンク制御情報を送信することを含み得る。インターレースは、無認可無線周波数スペクトル帯域における複数の非連続同時リソースブロックを含み得る。インターレースにおける少なくとも２つのリソースブロックは、アップリンク制御情報の異なる部分を含み得る。ブロック２４２０における動作は、図９、図１０、図１１、図２０、および／または図２２を参照して説明されたワイヤレス通信管理モジュール９２０、１０２０、１１２０、２０６０、および／もしくは２２８４、図１０および／または図１１を参照して説明されたＵＣＩリソース選択モジュール１０４０および／もしくは１１４０、図９、図１０、および／または図１１を参照して説明された送信機モジュール９３０、１０３０、および／もしくは１１３０、ならびに／または図２０を参照して説明された（１つまたは複数の）ＵＥトランシーバモジュール２０３０および（１つまたは複数の）ＵＥアンテナ２０４０を使用して実行され得る。
【０２３５】
[0261]方法２４００のいくつかの例では、インターレースの複数の非連続同時リソースブロックは、均一拡散パターンに従って周波数で離間され得る。いくつかの例では、インターレースの複数の非連続同時リソースブロックは、不均一拡散パターンに従って周波数で分散され得る。いくつかの例では、アップリンク制御情報は、フォーマット１、フォーマット１ａ、フォーマット１ｂ、フォーマット２、フォーマット２ａ、フォーマット２ｂ、および／またはフォーマット３のようなＰＵＣＣＨフォーマットに従って送信され得る。いくつかの例では、アップリンク制御情報は、フォーマット１ａ、フォーマット１ｂ、フォーマット２、およびフォーマット３から成るグループからのＰＵＣＣＨフォーマットに従って送信され得る。
【０２３６】
[0262]確認応答情報の複数の確認応答ビットに対してジョイント畳み込みコーディングが実行される方法２４００の例では、ブロック２４２０においてインターレースを通じてアップリンク制御情報を送信することは、インターレースの各リソースブロックを通じてジョイントコーディングされた確認応答ビットの異なる部分を送信することを含み得る。
【０２３７】
[0263]したがって、方法２４００はワイヤレス通信を提供することができる。方法２４００は一実装形態にすぎず、方法２４００の動作は、他の実装形態が可能であるように再構成されるか、または場合によっては修正され得ることに留意されたい。
【０２３８】
[0264]図２５は、本開示の様々な態様による、ワイヤレス通信のための方法２５００の例を示すフローチャートである。明快のために、方法２５００は、図１、図２、図２０、および／または図２２を参照して説明されたＵＥ１１５、２１５、２１６、２１７、２１８、２０１５、および／または２２１５のうちの１つもしくは複数の態様、および／または図９、図１０、および／または図１２を参照して説明されたワイヤレスデバイス９１５、１０１５、および／または１２１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２３９】
[0265]ブロック２５０５において、方法２５００は、ワイヤレスデバイスにおいてアップリンク制御情報を生成することを含み得る。ブロック２５０５における動作は、図９、図１０、図１２、図２０、および／または図２２を参照して説明されたワイヤレス通信管理モジュール９２０、１０２０、１２２０、２０６０、および／もしくは２２８４、ならびに／または図１０および／または図１２を参照して説明されたＵＣＩ生成モジュール１０３５および／もしくは１２３５を使用して実行され得る。
【０２４０】
[0266]ブロック２５１０において、方法２５００は、無認可無線周波数スペクトル帯域のアップリンク制御チャネルを通じてアップリンク制御情報を送信することを含み得る。アップリンク制御チャネルのリソースは、複数の離散的次元に分割され得、ワイヤレスデバイスのアップリンク制御情報は、ワイヤレスデバイスのアップリンク制御情報に割り振られたいくつかの離散的次元を通じて送信され得る。いくつかの例では、無認可無線周波数スペクトル帯域は、無線周波数スペクトル帯域が、Ｗｉ−Ｆｉ用途のような無認可の用途に利用可能であるので装置がアクセスを争う必要があり得る無線周波数スペクトル帯域を含み得る。ブロック２５１０における動作は、図９、図１０、図１２、図２０、および／または図２２を参照して説明されたワイヤレス通信管理モジュール９２０、１０２０、１２２０、２０６０、および／もしくは２２８４、図１０および／または図１２を参照して説明されたＵＣＩリソース選択モジュール１０４０および／もしくは１２４０、図９、図１０、および／または図１２を参照して説明された送信機モジュール９３０、１０３０、および／もしくは１２３０、ならびに／または図２０を参照して説明された（１つまたは複数の）ＵＥトランシーバモジュール２０３０および（１つまたは複数の）ＵＥアンテナ２０４０を使用して実行され得る。
【０２４１】
[0267]したがって、方法２５００はワイヤレス通信を提供することができる。方法２５００は一実装形態にすぎず、方法２５００の動作は、他の実装形態が可能であるように再構成されるか、または場合によっては修正され得ることに留意されたい。
【０２４２】
[0268]図２６は、本開示の様々な態様による、ワイヤレス通信のための方法２６００の例を示すフローチャートである。明快のために、方法２６００は、図１、図２、図２０、および／または図２２を参照して説明されたＵＥ１１５、２１５、２１６、２１７、２１８、２０１５、および／または２２１５のうちの１つもしくは複数の態様、および／または図９、図１０、および／または図１２を参照して説明されたワイヤレスデバイス９１５、１０１５、および／または１２１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２４３】
[0269]ブロック２６０５において、方法２６００は、ワイヤレスデバイスにおいてアップリンク制御情報を生成することを含み得る。ブロック２６０５における動作は、図９、図１０、図１２、図２０、および／または図２２を参照して説明されたワイヤレス通信管理モジュール９２０、１０２０、１２２０、２０６０、および／もしくは２２８４、ならびに／または図１０および／または図１２を参照して説明されたＵＣＩ生成モジュール１０３５および／もしくは１２３５を使用して実行され得る。
【０２４４】
[0270]ブロック２６１０において、方法２６００は、基地局（たとえば、図１、図２、図２１、および／または図２２を参照して説明された基地局１０５、２０５、２０６、２１０５、および／または２２０５のうちの１つ）からスケジューリングメッセージを受信することを含み得る。スケジューリングメッセージは、ワイヤレスデバイスのアップリンク制御情報に割り振られた（たとえば、アップリンク制御チャネルのリソースの）いくつかの離散的次元を示し得る。ワイヤレスデバイスのアップリンク制御情報に割り振られたいくつかの離散的次元は、アップリンク制御チャネルのリソースが分割される複数の離散的次元の１つ、一部、または各々を含み得る。いくつかの例では、ワイヤレスデバイスのアップリンク制御情報に割り振られた離散的次元の数は、ワイヤレスデバイスのアップリンク制御情報のサイズに基づき得る。ブロック２６１０における動作は、図９、図１０、および／または図１２を参照して説明された受信機モジュール９１０、１０１０、および／もしくは１２１０、図２０を参照して説明された（１つまたは複数の）トランシーバモジュール２０３０および（１つまたは複数の）アンテナ２０４０、ならびに／または図９、図１０、図１２、図２０、および／または図２２を参照して説明されたワイヤレス通信管理モジュール９２０、１０２０、１２２０、２０６０、および／もしくは２２８４を使用して実行され得る。
【０２４５】
[0271]ブロック２６１５において、方法２６００は、無認可無線周波数スペクトル帯域のアップリンク制御チャネルを通じてアップリンク制御情報を送信することを含み得る。アップリンク制御チャネルのリソースは、複数の離散的次元に分割され得、ワイヤレスデバイスのアップリンク制御情報は、ワイヤレスデバイスのアップリンク制御情報に割り振られたいくつかの離散的次元を通じて送信され得る。いくつかの例では、無認可無線周波数スペクトル帯域は、無線周波数スペクトル帯域が、Ｗｉ−Ｆｉ用途のような無認可の用途に利用可能であるので装置がアクセスを争う必要があり得る無線周波数スペクトル帯域を含み得る。ブロック２６１５における動作は、図９、図１０、図１２、図２０、および／または図２２を参照して説明されたワイヤレス通信管理モジュール９２０、１０２０、１２２０、２０６０、および／もしくは２２８４、図１０および／または図１２を参照して説明されたＵＣＩリソース選択モジュール１０４０および／もしくは１２４０、図９、図１０、および／または図１２を参照して説明された送信機モジュール９３０、１０３０、および／もしくは１２３０、ならびに／または図２０を参照して説明された（１つまたは複数の）ＵＥトランシーバモジュール２０３０および（１つまたは複数の）ＵＥアンテナ２０４０を使用して実行され得る。
【０２４６】
[0272]方法２６００のいくつかの例では、アップリンク制御チャネルのリソースは、無認可無線周波数スペクトル帯域のコンポーネントキャリアのインターレースを含み得る。インターレースは、無認可無線周波数スペクトル帯域における複数の非連続同時リソースブロックを含み得る。いくつかの例では、インターレースの複数の非連続同時リソースブロックは、均一拡散パターンに従って周波数で離間され得る。いくつかの例では、インターレースの複数の非連続同時リソースブロックは、不均一拡散パターンに従って周波数で分散され得る。いくつかの例では、アップリンク制御情報は、フォーマット１、フォーマット１ａ、フォーマット１ｂ、フォーマット２、フォーマット２ａ、フォーマット２ｂ、および／またはフォーマット３のようなＰＵＣＣＨフォーマットに従って送信され得る。いくつかの例では、アップリンク制御情報は、フォーマット１ａ、フォーマット１ｂ、フォーマット２、およびフォーマット３から成るグループからのＰＵＣＣＨフォーマットに従って送信され得る。
【０２４７】
[0273]方法２６００のいくつかの例では、ワイヤレスデバイスのアップリンク制御情報に割り振られたいくつかの離散的次元のうちの少なくとも１つは、インターレースのリソースブロックのうちの複数のものに及び得る。いくつかの例では、（たとえば、インターレースの）リソースブロックは、次元のうちの異なるもの（たとえば、時間および／または周波数）を含み得る。
【０２４８】
[0274]したがって、方法２６００はワイヤレス通信を提供することができる。方法２６００は一実装形態にすぎず、方法２６００の動作は、他の実装形態が可能であるように再構成されるか、または場合によっては修正され得ることに留意されたい。
【０２４９】
[0275]図２７は、本開示の様々な態様による、ワイヤレス通信のための方法２７００の例を示すフローチャートである。明快のために、方法２７００は、図１、図２、図２０、および／または図２２を参照して説明されたＵＥ１１５、２１５、２１６、２１７、２１８、２０１５、および／または２２１５のうちの１つもしくは複数の態様、および／または図９、図１３、および／または図１４を参照して説明されたワイヤレスデバイス９１５、１３１５、および／または１４１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２５０】
[0276]ブロック２７０５において、方法２７００は、ワイヤレスデバイスにおいて確認応答情報を生成することを含み得る。確認応答情報は、トランスポートブロック内のコードブロックレベルにおいて、ダウンリンク送信の複数のコードブロックが正しく受信されたかどうかを示し得る。ブロック２７０５における動作は、図９、図１３、図１４、図２０、および／または図２２を参照して説明されたワイヤレス通信管理モジュール９２０、１３２０、１４２０、２０６０、および／もしくは２２８４、ならびに／または図１３および／または図１４を参照して説明されたＣＢ  ＡＣＫ生成モジュール１３３５および／もしくは１４３５を使用して実行され得る。
【０２５１】
[0277]ブロック２７１０において、方法２７００は、確認応答情報を送信することを含み得る。いくつかの例では、確認応答情報は、無認可無線周波数スペクトル帯域のコンポーネントキャリアのインターレースを通じて送信され得る。いくつかの例では、無認可無線周波数スペクトル帯域は、無線周波数スペクトル帯域が、Ｗｉ−Ｆｉ用途のような無認可の用途に利用可能であるので装置がアクセスを争う必要があり得る無線周波数スペクトル帯域を含み得る。ブロック２７１０における動作は、図９、図１３、図１４、図２０、および／または図２２を参照して説明されたワイヤレス通信管理モジュール９２０、１３２０、１４２０、２０６０、および／もしくは２２８４、図１３および／または図１４を参照して説明されたリソース選択モジュール１３４０および／もしくは１４４０、図９、図１３、および／または図１４を参照して説明された送信機モジュール９３０、１３３０、および／もしくは１４３０、ならびに／または図２０を参照して説明された（１つまたは複数の）ＵＥトランシーバモジュール２０３０および（１つまたは複数の）ＵＥアンテナ２０４０を使用して実行され得る。
【０２５２】
[0278]したがって、方法２７００はワイヤレス通信を提供することができる。方法２７００は一実装形態にすぎず、方法２７００の動作は、他の実装形態が可能であるように再構成されるか、または場合によっては修正され得ることに留意されたい。
【０２５３】
[0279]図２８は、本開示の様々な態様による、ワイヤレス通信のための方法２８００の例を示すフローチャートである。明快のために、方法２８００は、図１、図２、図２０、および／または図２２を参照して説明されたＵＥ１１５、２１５、２１６、２１７、２１８、２０１５、および／または２２１５のうちの１つもしくは複数の態様、および／または図９、図１３、および／または図１４を参照して説明されたワイヤレスデバイス９１５、１３１５、および／または１４１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２５４】
[0280]ブロック２８０５において、方法２８００は、ワイヤレスデバイスにおいて確認応答情報を生成することを含み得る。確認応答情報は、トランスポートブロック内のコードブロックレベルにおいて、ダウンリンク送信の複数のコードブロックが正しく受信されたかどうかを示し得る。ブロック２８０５における動作は、図９、図１３、図１４、図２０、および／または図２２を参照して説明されたワイヤレス通信管理モジュール９２０、１３２０、１４２０、２０６０、および／もしくは２２８４、ならびに／または図１３および／または図１４を参照して説明されたＣＢ  ＡＣＫ生成モジュール１３３５および／もしくは１４３５を使用して実行され得る。
【０２５５】
[0281]方法２８００のいくつかの例では、生成された確認応答情報は、ダウンリンク送信の個別コードブロックが正しく受信されたかどうかを各ビットが示す、複数のビットを含み得る。いくつかの例では、生成された確認応答情報は、ダウンリンク送信のコードブロックのグループが正しく受信されたかどうかを示す少なくとも１つのビットを含み得る。個別コードブロックレベル確認応答情報は個別ＣＢ  ＡＣＫ生成モジュール１４４５によって生成され得、グループコードブロックレベル確認応答情報はグループＣＢ  ＡＣＫ生成モジュール１４５０によって生成され得る。
【０２５６】
[0282]ブロック２８１０において、いくつかの例では、方法２８００は、確認応答情報の複数の確認応答ビットに対してジョイントコーディングを実行することを含むことができ、いくつかの例では、ジョイントコーディングがジョイント畳み込みコーディングであり得る。ブロック２８１０における動作は、図９、図１３、図１４、図２０、および／または図２２を参照して説明されたワイヤレス通信管理モジュール９２０、１３２０、１４２０、２０６０、および／もしくは２２８４、図１３および／または図１４を参照して説明されたＣＢ  ＡＣＫ生成モジュール１３３５および／もしくは１４３５、ならびに／または図１４を参照して説明されたジョイントコーディングモジュール１４５５を使用して実行され得る。
【０２５７】
[0283]ブロック２８１５において、方法２８００は、無認可無線周波数スペクトル帯域に関するＣＳＩを生成することを含み得る。ブロック２８１５における動作は、図９、図１３、図１４、図２０、および／または図２２を参照して説明されたワイヤレス通信管理モジュール９２０、１３２０、１４２０、２０６０、および／または２２８４を使用して実行され得る。
【０２５８】
[0284]ブロック２８２０において、方法２８００は、確認応答情報および／またはＣＳＩを含むアップリンク制御チャネルを送信することを含み得る。いくつかの例では、確認応答情報および／またはＣＳＩは、無認可無線周波数スペクトル帯域のコンポーネントキャリアのインターレースを通じて送信され得る。いくつかの例では、インターレースは、無認可無線周波数スペクトル帯域における複数の非連続同時リソースブロックを含み得る。いくつかの例では、無認可無線周波数スペクトル帯域は、無線周波数スペクトル帯域が、Ｗｉ−Ｆｉ用途のような無認可の用途に利用可能であるので装置がアクセスを争う必要があり得る無線周波数スペクトル帯域を含み得る。ブロック２８２０における動作は、図９、図１３、図１４、図２０、および／または図２２を参照して説明されたワイヤレス通信管理モジュール９２０、１３２０、１４２０、２０６０、および／もしくは２２８４、図１３および／または図１４を参照して説明されたリソース選択モジュール１３４０および／もしくは１４４０、図９、図１３、および／または図１４を参照して説明された送信機モジュール９３０、１３３０、および／もしくは１４３０、ならびに／または図２０を参照して説明された（１つまたは複数の）ＵＥトランシーバモジュール２０３０および（１つまたは複数の）ＵＥアンテナ２０４０を使用して実行され得る。
【０２５９】
[0285]方法２８００のいくつかの例では、インターレースを通じて確認応答情報を送信すること（たとえば、確認応答情報を含むアップリンク制御チャネルを送信すること）は、インターレースのリソースブロックのサブセットを通じて確認応答情報を送信することを含み得る。方法２８００のいくつかの例では、インターレースを通じて確認応答情報を送信すること（たとえば、確認応答情報を含むアップリンク制御チャネルを送信すること）は、インターレースのリソースブロックの異なるサブセットを通じて確認応答情報の異なる部分を送信することを含み得る。方法２８００のいくつかの例では、インターレースを通じて確認応答情報を送信すること（たとえば、確認応答情報を含むアップリンク制御チャネルを送信すること）は、インターレースのリソースブロックの各々を通じて確認応答情報を送信することを含み得る。
【０２６０】
[0286]方法２８００のいくつかの例では、インターレースの複数の非連続同時リソースブロックは、均一拡散パターンに従って周波数で離間され得る。いくつかの例では、インターレースの複数の非連続同時リソースブロックは、不均一拡散パターンに従って周波数で分散され得る。いくつかの例では、確認応答情報（たとえば、確認応答情報を含むアップリンク制御チャネル）は、フォーマット１、フォーマット１ａ、フォーマット１ｂ、フォーマット２、フォーマット２ａ、フォーマット２ｂ、および／またはフォーマット３のようなＰＵＣＣＨフォーマットに従って送信され得る。いくつかの例では、確認応答情報（たとえば、確認応答情報を含むアップリンク制御チャネル）は、フォーマット１ａ、フォーマット１ｂ、フォーマット２、およびフォーマット３から成るグループからのＰＵＣＣＨフォーマットに従って送信され得る。
【０２６１】
[0287]確認応答情報の複数の確認応答ビットに対してジョイント畳み込みコーディングが実行される方法２８００の例では、ブロック２８２０においてインターレースを通じて確認応答情報（たとえば、確認応答情報を含むアップリンク制御チャネル）を送信することは、インターレースの各リソースブロックを通じてジョイントコーディングされた確認応答ビットの異なる部分を送信することを含み得る。
【０２６２】
[0288]したがって、方法２８００はワイヤレス通信を提供することができる。方法２８００は一実装形態にすぎず、方法２８００の動作は、他の実装形態が可能であるように再構成されるか、または場合によっては修正され得ることに留意されたい。
【０２６３】
[0289]図２９は、本開示の様々な態様による、ワイヤレス通信のための方法２９００の例を示すフローチャートである。明快のために、方法２９００は、図１、図２、図２０、および／または図２２を参照して説明されたＵＥ１１５、２１５、２１６、２１７、２１８、２０１５、および／または２２１５のうちの１つもしくは複数の態様、および／または図９、図１５、および／または図１６を参照して説明されたワイヤレスデバイス９１５、１５１５、および／または１６１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２６４】
[0290]ブロック２９０５において、方法２９００は、ダウンリンク送信に関する複数の確認応答ビットを含む確認応答情報を生成することを含み得る。各確認応答ビットは、ダウンリンク送信の別個の部分が正しく受信されたかどうかを示し得る。ブロック２９０５における動作は、図９、図１５、図１６、図２０、および／または図２２を参照して説明されたワイヤレス通信管理モジュール９２０、１５２０、１６２０、２０６０、および／もしくは２２８４、ならびに／または図１５および／または図１６を参照して説明されたＡＣＫ生成モジュール１５３５および／もしくは１６３５を使用して実行され得る。
【０２６５】
[0291]ブロック２９１０において、方法２９００は、複数の確認応答ビットに対してジョイントコーディングを実行することを含むことができ、いくつかの例では、ジョイントコーディングがジョイント畳み込みコーディングであり得る。ブロック２９１０における動作は、図９、図１５、図１６、図２０、および／または図２２を参照して説明されたワイヤレス通信管理モジュール９２０、１５２０、１６２０、２０６０、および／もしくは２２８４、図１５および／または図１６を参照して説明されたＡＣＫ生成モジュール１５３５および／もしくは１６３５、ならびに／または図１５および／または図１６を参照して説明されたジョイントコーディングモジュール１５４５および／もしくは１６５５を使用して実行され得る。
【０２６６】
[0292]ブロック２９１５において、方法２９００は、無認可無線周波数スペクトル帯域のコンポーネントキャリアのインターレースを通じてジョイントコーディングされた確認応答ビットを送信することを含み得る。いくつかの例では、無認可無線周波数スペクトル帯域は、無線周波数スペクトル帯域が、Ｗｉ−Ｆｉ用途のような無認可の用途に利用可能であるので装置がアクセスを争う必要があり得る無線周波数スペクトル帯域を含み得る。ブロック２９１５における動作は、図９、図１５、図１６、図２０、および／または図２２を参照して説明されたワイヤレス通信管理モジュール９２０、１５２０、１６２０、２０６０、および／もしくは２２８４、図１５および／または図１６を参照して説明されたリソース選択モジュール１５４０および／もしくは１６４０、図９、図１５、および／または図１６を参照して説明された送信機モジュール９３０、１５３０、および／もしくは１６３０、ならびに／または図２０を参照して説明された（１つまたは複数の）ＵＥトランシーバモジュール２０３０および（１つまたは複数の）ＵＥアンテナ２０４０を使用して実行され得る。
【０２６７】
[0293]したがって、方法２９００はワイヤレス通信を提供することができる。方法２９００は一実装形態にすぎず、方法２９００の動作は、他の実装形態が可能であるように再構成されるか、または場合によっては修正され得ることに留意されたい。
【０２６８】
[0294]図３０は、本開示の様々な態様による、ワイヤレス通信のための方法３０００の例を示すフローチャートである。明快のために、方法３０００は、図１、図２、図２０、および／または図２２を参照して説明されたＵＥ１１５、２１５、２１６、２１７、２１８、２０１５、および／または２２１５のうちの１つもしくは複数の態様、および／または図９、図１５、および／または図１６を参照して説明されたワイヤレスデバイス９１５、１５１５、および／または１６１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２６９】
[0295]ブロック３００５において、方法３０００は、ダウンリンク送信に関する複数の確認応答ビットを含む確認応答情報を生成することを含み得る。各確認応答ビットは、ダウンリンク送信の別個の部分が正しく受信されたかどうかを示し得る。いくつかの例では、ダウンリンク送信の各別個の部分は、コードブロックまたはコードブロックのグループを含み得る。いくつかの例では、ダウンリンク送信の各別個の部分は、トランスポートブロックまたはトランスポートブロックのグループを含み得る。方法のいくつかの例では、ダウンリンク送信の各別個の部分は、１つまたは複数のトランスポートブロックにわたるコードブロックのグループを含み得る。ブロック３００５における動作は、図９、図１５、図１６、図２０、および／または図２２を参照して説明されたワイヤレス通信管理モジュール９２０、１５２０、１６２０、２０６０、および／もしくは２２８４、ならびに／または図１５および／または図１６を参照して説明されたＡＣＫ生成モジュール１５３５および／もしくは１６３５を使用して実行され得る。
【０２７０】
[0296]ブロック３０１０において、方法３０００は、複数の確認応答ビットに対してジョイントコーディングを実行することを含むことができ、いくつかの例では、ジョイントコーディングがジョイント畳み込みコーディングであり得る。ブロック３０１０における動作は、図９、図１５、図１６、図２０、および／または図２２を参照して説明されたワイヤレス通信管理モジュール９２０、１５２０、１６２０、２０６０、および／もしくは２２８４、図１５および／または図１６を参照して説明されたＡＣＫ生成モジュール１５３５および／もしくは１６３５、ならびに／または図１５および／または図１６を参照して説明されたジョイントコーディングモジュール１５４５および／もしくは１６５５を使用して実行され得る。
【０２７１】
[0297]ブロック３０１５において、方法３０００は、無認可無線周波数スペクトル帯域に関するＣＳＩを生成することを含み得る。いくつかの例では、無認可無線周波数スペクトル帯域は、無線周波数スペクトル帯域が、Ｗｉ−Ｆｉ用途のような無認可の用途に利用可能であるので装置がアクセスを争う必要があり得る無線周波数スペクトル帯域を含み得る。ブロック３０１５における動作は、図９、図１５、図１６、図２０、および／または図２２を参照して説明されたワイヤレス通信管理モジュール９２０、１５２０、１６２０、２０６０、および／または２２８４を使用して実行され得る。
【０２７２】
[0298]ブロック３０２０において、方法３０００は、無認可無線周波数スペクトル帯域のコンポーネントキャリアのインターレースを通じてジョイントコーディングされた確認応答ビットおよび／またはＣＳＩを含むアップリンク制御チャネルを送信することを含み得る。いくつかの例では、インターレースは、無認可無線周波数スペクトル帯域における複数の非連続リソースブロックを含み得る。ブロック３０２０における動作は、図９、図１５、図１６、図２０、および／または図２２を参照して説明されたワイヤレス通信管理モジュール９２０、１５２０、１６２０、２０６０、および／もしくは２２８４、図１５および／または図１６を参照して説明されたリソース選択モジュール１５４０および／もしくは１６４０、図９、図１５、および／または図１６を参照して説明された送信機モジュール９３０、１５３０、および／もしくは１６３０、ならびに／または図２０を参照して説明された（１つまたは複数の）ＵＥトランシーバモジュール２０３０および（１つまたは複数の）ＵＥアンテナ２０４０を使用して実行され得る。
【０２７３】
[0299]方法３０００のいくつかの例では、インターレースを通じてジョイントコーディングされた確認応答ビットを送信すること（たとえば、ジョイントコーディングされた確認応答ビットを含むアップリンク制御チャネルを送信すること）は、インターレースのリソースブロックのサブセットを通じてジョイントコーディングされた確認応答ビットを送信することを含み得る。方法３０００のいくつかの例では、インターレースを通じてジョイントコーディングされた確認応答ビットを送信すること（たとえば、ジョイントコーディングされた確認応答ビットを含むアップリンク制御チャネルを送信すること）は、インターレースのリソースブロックの異なるサブセットを通じてジョイントコーディングされた確認応答ビットの異なる部分を送信することを含み得る。方法３０００のいくつかの例では、インターレースを通じてジョイントコーディングされた確認応答ビットを送信すること（たとえば、ジョイントコーディングされた確認応答ビットを含むアップリンク制御チャネルを送信すること）は、インターレースの各リソースブロックを通じてジョイントコーディングされた確認応答ビットの異なる部分を送信することを含み得る。方法３０００のいくつかの例では、インターレースを通じてジョイントコーディングされた確認応答ビットを送信すること（たとえば、ジョイントコーディングされた確認応答ビットを含むアップリンク制御チャネルを送信すること）は、インターレースのリソースブロックの各々を通じてジョイントコーディングされた確認応答ビットを送信することを含み得る。
【０２７４】
[0300]方法３０００のいくつかの例では、インターレースの複数の非連続同時リソースブロックは、均一拡散パターンに従って周波数で離間され得る。いくつかの例では、インターレースの複数の非連続同時リソースブロックは、不均一拡散パターンに従って周波数で分散され得る。いくつかの例では、ジョイントコーディングされた確認応答ビット（たとえば、ジョイントコーディングされた確認応答ビットを含むアップリンク制御チャネル）は、フォーマット１、フォーマット１ａ、フォーマット１ｂ、フォーマット２、フォーマット２ａ、フォーマット２ｂ、および／またはフォーマット３のようなＰＵＣＣＨフォーマットに従って送信され得る。いくつかの例では、ジョイントコーディングされた確認応答ビット（たとえば、ジョイントコーディングされた確認応答ビットを含むアップリンク制御チャネル）は、フォーマット１ａ、フォーマット１ｂ、フォーマット２、およびフォーマット３から成るグループからのＰＵＣＣＨフォーマットに従って送信され得る。
【０２７５】
[0301]したがって、方法３０００はワイヤレス通信を提供することができる。方法３０００は一実装形態にすぎず、方法３０００の動作は、他の実装形態が可能であるように再構成されるか、または場合によっては修正され得ることに留意されたい。
【０２７６】
[0302]図３１は、本開示の様々な態様による、ワイヤレス通信のための方法３１００の例を示すフローチャートである。明快のために、方法３１００は、図１、図２、図２０、および／または図２２を参照して説明されたＵＥ１１５、２１５、２１６、２１７、２１８、２０１５、および／または２２１５のうちの１つもしくは複数の態様、および／または図９、図１７、および／または図１８を参照して説明されたワイヤレスデバイス９１５、１７１５、および／または１８１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２７７】
[0303]ブロック３１０５において、方法３１００は、ワイヤレスデバイスにおいて、送信すべきアップリンクデータをワイヤレスデバイスが有するとの決定に基づいて基準信号を変調することを含み得る。変調された基準信号は、基地局に対するスケジューリング要求を示し得る。ブロック３１０５における動作は、図９、図１７、図１８、図２０、および／または図２２を参照して説明されたワイヤレス通信管理モジュール９２０、１７２０、１８２０、２０６０、および／もしくは２２８４、ならびに／または図１７および／または図１８を参照して説明されたＳＲ生成モジュール１７３５および／もしくは１８３５を使用して実行され得る。
【０２７８】
[0304]ブロック３１１０において、方法３１００は、無認可無線周波数スペクトル帯域を通じて変調された基準信号を送信することを含み得る。いくつかの例では、無認可無線周波数スペクトル帯域は、無線周波数スペクトル帯域が、Ｗｉ−Ｆｉ用途のような無認可の用途に利用可能であるので装置がアクセスを争う必要があり得る無線周波数スペクトル帯域を含み得る。ブロック３１１０における動作は、図９、図１７、図１８、図２０、および／または図２２を参照して説明されたワイヤレス通信管理モジュール９２０、１７２０、１８２０、２０６０、および／もしくは２２８４、図１８を参照して説明されたリソース選択モジュール１８４５および／もしくはＳＲリソース選択モジュール１８５０、図９、図１７、および／または図１８を参照して説明された送信機モジュール９３０、１７３０、および／もしくは１８３０、ならびに／または図２０を参照して説明された（１つまたは複数の）ＵＥトランシーバモジュール２０３０および（１つまたは複数の）ＵＥアンテナ２０４０を使用して実行され得る。
【０２７９】
[0305]方法３１００のいくつかの例では、ブロック３１０５において基準信号を変調することは、スケジューリング要求を示すために基準信号の極性を変更することを含み得る。
【０２８０】
[0306]方法３１００のいくつかの例では、ブロック３１１０において変調された基準信号を送信することは、無認可無線周波数スペクトル帯域のコンポーネントキャリアのインターレースを通じて変調された基準信号を送信することを含み得る。コンポーネントキャリアのインターレースは、複数の非連続同時リソースブロックを含み得る。いくつかの例では、インターレースは、無認可無線周波数スペクトル帯域のコンポーネントキャリアの帯域幅の大部分に及び得る。方法３１００のいくつかの例では、変調された基準信号を送信することは、単一のシンボル（たとえば、単一のＯＦＤＭシンボル）の間に変調された基準信号を送信することを含み得る。
【０２８１】
[0307]方法３１００のいくつかの例では、変調された基準信号は、サウンディング基準信号と同時に送信され得る。いくつかの例では、サウンディング基準信号は、図９、図１７、図１８、図２０、および／または図２２を参照して説明されたワイヤレス通信管理モジュール９２０、１７２０、１８２０、２０６０、および／もしくは２２８４、ならびに／または図１８を参照して説明されたＳＲＳ生成モジュール１８４０によって生成され得る。いくつかの例では、サウンディング基準信号は、図９、図１７、図１８、図２０、および／または図２２を参照して説明されたワイヤレス通信管理モジュール９２０、１７２０、１８２０、２０６０、および／もしくは２２８４、図１８を参照して説明されたリソース選択モジュール１８４５および／もしくはＳＲＳリソース選択モジュール１８５５、図９、図１７、および／または図１８を参照して説明された送信機モジュール９３０、１７３０、および／もしくは１８３０、ならびに／または図２０を参照して説明された（１つまたは複数の）ＵＥトランシーバモジュール２０３０および（１つまたは複数の）ＵＥアンテナ２０４０によって送信され得る。
【０２８２】
[0308]したがって、方法３１００はワイヤレス通信を提供することができる。方法３１００は一実装形態にすぎず、方法３１００の動作は、他の実装形態が可能であるように再構成されるか、または場合によっては修正され得ることに留意されたい。
【０２８３】
[0309]図３２は、本開示の様々な態様による、ワイヤレス通信のための方法３２００の例を示すフローチャートである。明快のために、方法３２００は、図１、図２、図２０、および／または図２２を参照して説明されたＵＥ１１５、２１５、２１６、２１７、２１８、２０１５、および／または２２１５のうちの１つもしくは複数の態様、および／または図９および／または図１９を参照して説明されたワイヤレスデバイス９１５および／または１９１５のうちの１つもしくは複数の態様を参照して以下で説明される。いくつかの例では、ＵＥまたはワイヤレスデバイスは、以下で説明される機能を実行するためにＵＥまたはワイヤレスデバイスの機能要素を制御するためのコードの１つまたは複数のセットを実行し得る。追加または代替として、ＵＥまたはワイヤレスデバイスは、専用ハードウェアを使用して以下で説明される機能のうちの１つまたは複数を実行し得る。
【０２８４】
[0310]ブロック３２０５において、方法３２００は、ワイヤレスデバイスにおいてサウンディング基準信号（ＳＲＳ）を生成することを含み得る。ブロック３２０５における動作は、図９、図１９、図２０、および／または図２２を参照して説明されたワイヤレス通信管理モジュール９２０、１９２０、２０６０、および／もしくは２２８４、ならびに／または図１９を参照して説明されたＳＲＳ生成モジュール１９３５を使用して実行され得る。
【０２８５】
[0311]ブロック３２１０において、方法３２００は、無認可無線周波数スペクトル帯域のコンポーネントキャリアのインターレースを通じてＳＲＳを送信することを含み得る。インターレースは、無認可無線周波数スペクトル帯域における複数の非連続同時リソースブロックを含み得る。いくつかの例では、無認可無線周波数スペクトル帯域は、無線周波数スペクトル帯域が、Ｗｉ−Ｆｉ用途のような無認可の用途に利用可能であるので装置がアクセスを争う必要があり得る無線周波数スペクトル帯域を含み得る。ブロック３２１０における動作は、図９、図１９、図２０、および／または図２２を参照して説明されたワイヤレス通信管理モジュール９２０、１９２０、２０６０、および／もしくは２２８４、図９および／または図１９を参照して説明された送信機モジュール９３０および／もしくは１９３０、ならびに／または図２０を参照して説明された（１つまたは複数の）ＵＥトランシーバモジュール２０３０および（１つまたは複数の）ＵＥアンテナ２０４０を使用して実行され得る。
【０２８６】
[0312]いくつかの例では、インターレースは、無認可無線周波数スペクトル帯域のコンポーネントキャリアの帯域幅の大部分に及び得る。方法３２００のいくつかの例では、ＳＲＳを送信することは、単一のシンボル（たとえば、単一のＯＦＤＭシンボル）の間にＳＲＳを送信することを含み得る。
【０２８７】
[0313]方法３２００のいくつかの例では、ＳＲＳは、変調された基準信号と同時に送信され得る。
【０２８８】
[0314]したがって、方法３２００はワイヤレス通信を提供することができる。方法３２００は一実装形態にすぎず、方法３２００の動作は、他の実装形態が可能であるように再構成されるか、または場合によっては修正され得ることに留意されたい。
【０２８９】
[0315]いくつかの例では、図２３、図２４、図２５、図２６、図２７、図２８、図２９、図３０、図３１、および／または図３２を参照して説明された方法２３００、２４００、２５００、２６００、２７００、２８００、２９００、３０００、３１００、および／または３２００のうちの１つまたは複数の態様は、組み合わせられ得る。
【０２９０】
[0316]本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上無線アクセス（ＵＴＲＡ）などの無線技術を実装することができる。ＣＤＭＡ２０００は、ＩＳ−２０００、ＩＳ−９５およびＩＳ−８５６規格をカバーする。ＩＳ−２０００  Ｒｅｌｅａｓｅ０およびＡは一般に、ＣＤＭＡ２０００  １Ｘ、１Ｘなどと呼ばれる。ＩＳ−８５６（ＴＩＡ−８５６）は一般に、ＣＤＭＡ２０００  １ｘＥＶ−ＤＯ、高レートパケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形とを含む。ＴＤＭＡシステムは、移動通信のためのグローバルシステム（ＧＳＭ（登録商標））などの無線技術を実装することができる。ＯＦＤＭＡシステムは、ウルトラ・モバイル・ブロードバンド（ＵＭＢ）、Ｅｖｏｌｖｅｄ  ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（商標）などの無線技術を実装することができる。ＵＴＲＡおよびＥ−ＵＴＲＡは、ユニバーサル・モバイル通信システム（ＵＭＴＳ）の一部である。３ＧＰＰ（登録商標）ロング・ターム・エボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明された技法は、無認可帯域および／または共有帯域幅を通じたセルラー（たとえば、ＬＴＥ）通信を含む、上述のシステムおよび無線技術、ならびに他のシステムおよび無線技術のために使用され得る。しかしながら、上記の説明は、例としてＬＴＥ／ＬＴＥ−Ａシステムを記載し、上記の説明の大部分においてＬＴＥ用語が使用されるが、本技法はＬＴＥ／ＬＴＥ−Ａの適用例以外に適用可能である。
【０２９１】
[0317]添付の図面に関して上に記載された詳細な説明は、例について説明しており、実装され得るかまたは特許請求の範囲内に入る例のすべてを表すものではない。「例」および「例示的」という用語は、本明細書で使用されるとき、「例、事例、または例示として働く」ことを意味し、「好ましい」または「他の例よりも有利である」ことを意味するものではない。詳細な説明は、説明される技法の理解を与えるための具体的な詳細を含む。しかしながら、これらの技法は、これらの特定の具体的な詳細なしに実践され得る。場合によっては、説明された例の概念を不明瞭にすることを避けるために、よく知られている構造および装置がブロック図の形態で示されている。
【０２９２】
[0318]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２９３】
[0319]本明細書の開示に関して説明された様々な例示的なブロックおよび構成要素は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０２９４】
[0320]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして非一時的コンピュータ可読媒体上に記憶され、または非一時的コンピュータ可読媒体を通じて送信され得る。他の例および実装形態が、本開示および添付の特許請求の範囲および趣旨の中にある。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、異なる物理ロケーションにおいて機能の部分が実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２９５】
[0321]コンピュータ可読媒体は、ある場所から別の場所へのコンピュータプログラムの転送を容易にする任意の媒体を含む通信媒体と、コンピュータ記憶媒体との両方を含む。記憶媒体は、汎用または専用コンピュータによってアクセスされ得る任意の利用可能な媒体であり得る。限定ではなく例として、コンピュータ可読記憶媒体は、ＲＡＭ、ＲＯＭ、ＥＥＰＲＯＭ（登録商標）、フラッシュメモリ、ＣＤ−ＲＯＭもしくは他の光ディスクストレージ、磁気ディスクストレージもしくは他の磁気記憶デバイス、または命令またはデータ構造の形態で所望のプログラムコード手段を搬送または記憶するために使用され、汎用もしくは専用コンピュータ、または汎用もしくは専用プロセッサによってアクセスされ得る任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２９６】
[0322]本開示についての以上の説明は、当業者が本開示を作成または使用することができるように提供されたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
[Ｃ１]  ワイヤレス通信のための方法であって、
ワイヤレスデバイスにおいてアップリンク制御情報を生成することと、
無認可無線周波数スペクトル帯域のコンポーネントキャリアのインターレースを通じて前記アップリンク制御情報を送信することと、前記インターレースが、前記無認可無線周波数スペクトル帯域における複数の非連続同時リソースブロックを備える、
を備え、
前記インターレースにおける少なくとも２つのリソースブロックは、前記アップリンク制御情報の異なる部分を備える、方法。
[Ｃ２]  前記アップリンク制御情報を生成することは、
ダウンリンク送信を受信することと、
前記ダウンリンク送信に関する確認応答情報を生成することと、前記アップリンク制御情報が前記確認応答情報を備える、
を備える、Ｃ１に記載の方法。
[Ｃ３]  前記確認応答情報は、前記ダウンリンク送信の個別コードブロックまたは前記ダウンリンク送信のコードブロックのグループ、に関するコードブロックレベル確認応答情報を備える、Ｃ２に記載の方法。
[Ｃ４]  前記確認応答情報は、前記ダウンリンク送信の個別トランスポートブロックまたは前記ダウンリンク送信のトランスポートブロックのグループ、に関するトランスポートブロックレベル確認応答情報を備える、Ｃ２に記載の方法。
[Ｃ５]  ジョイントコーディングされた確認応答ビットを生成するために、前記確認応答情報の複数の確認応答ビットに対してジョイントコーディングを実行すること
をさらに備える、Ｃ２に記載の方法。
[Ｃ６]  前記コンポーネントキャリアの前記インターレースを通じて前記アップリンク制御情報を送信することは、
前記インターレースの各リソースブロックを通じて前記ジョイントコーディングされた確認応答ビットの異なる部分を送信すること
を備える、Ｃ５に記載の方法。
[Ｃ７]  前記複数の非連続同時リソースブロックは、均一拡散パターンに従って周波数で離間される、Ｃ１に記載の方法。
[Ｃ８]  前記アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信される、Ｃ１に記載の方法。
[Ｃ９]  前記アップリンク制御情報は、前記無認可無線周波数スペクトル帯域に関するチャネル状態情報（ＣＳＩ）を備える、Ｃ１に記載の方法。
[Ｃ１０]  ワイヤレス通信のための装置であって、
ワイヤレスデバイスにおいてアップリンク制御情報を生成するための手段と、
無認可無線周波数スペクトル帯域のコンポーネントキャリアのインターレースを通じて前記アップリンク制御情報を送信するための手段と、前記インターレースが、前記無認可無線周波数スペクトル帯域における複数の非連続同時リソースブロックを備える、
を備え、
前記インターレースにおける少なくとも２つのリソースブロックは、前記アップリンク制御情報の異なる部分を備える、装置。
[Ｃ１１]  アップリンク制御情報を生成するための前記手段は、
ダウンリンク送信を受信するための手段と、
前記ダウンリンク送信に関する確認応答情報を生成するための手段と、前記アップリンク制御情報が前記確認応答情報を備える、
を備える、Ｃ１０に記載の装置。
[Ｃ１２]  前記確認応答情報は、前記ダウンリンク送信の個別コードブロックまたは前記ダウンリンク送信のコードブロックのグループ、に関するコードブロックレベル確認応答情報を備える、Ｃ１１に記載の装置。
[Ｃ１３]  前記確認応答情報は、前記ダウンリンク送信の個別トランスポートブロックまたは前記ダウンリンク送信のトランスポートブロックのグループ、に関するトランスポートブロックレベル確認応答情報を備える、Ｃ１１に記載の装置。
[Ｃ１４]  ジョイントコーディングされた確認応答ビットを生成するために、前記確認応答情報の複数の確認応答ビットに対してジョイントコーディングを実行するための手段をさらに備える、Ｃ１１に記載の装置。
[Ｃ１５]  前記コンポーネントキャリアの前記インターレースを通じて前記アップリンク制御情報を送信するための前記手段は、
前記インターレースの各リソースブロックを通じて前記ジョイントコーディングされた確認応答ビットの異なる部分を送信するための手段
を備える、Ｃ１４に記載の装置。
[Ｃ１６]  前記複数の非連続同時リソースブロックは、均一拡散パターンに従って周波数で離間される、Ｃ１０に記載の装置。
[Ｃ１７]  前記アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信される、Ｃ１０に記載の装置。
[Ｃ１８]  前記アップリンク制御情報は、前記無認可無線周波数スペクトル帯域に関するチャネル状態情報（ＣＳＩ）を備える、Ｃ１０に記載の装置。
[Ｃ１９]  ワイヤレス通信のための装置であって、
プロセッサと、
前記プロセッサに結合されたメモリと
を備え、前記プロセッサは、
ワイヤレスデバイスにおいてアップリンク制御情報を生成することと、
無認可無線周波数スペクトル帯域のコンポーネントキャリアのインターレースを通じて前記アップリンク制御情報を送信することと、前記インターレースが、前記無認可無線周波数スペクトル帯域における複数の非連続同時リソースブロックを備える、
を行うように構成され、
前記インターレースにおける少なくとも２つのリソースブロックは、前記アップリンク制御情報の異なる部分を備える、装置。
[Ｃ２０]  前記アップリンク制御情報を生成することは、
ダウンリンク送信を受信することと、
前記ダウンリンク送信に関する確認応答情報を生成することと、前記アップリンク制御情報が前記確認応答情報を備える、
を備える、Ｃ１９に記載の装置。
[Ｃ２１]  前記確認応答情報は、前記ダウンリンク送信の個別コードブロックまたは前記ダウンリンク送信のコードブロックのグループ、に関するコードブロックレベル確認応答情報を備える、Ｃ２０に記載の装置。
[Ｃ２２]  前記確認応答情報は、前記ダウンリンク送信の個別トランスポートブロックまたは前記ダウンリンク送信のトランスポートブロックのグループ、に関するトランスポートブロックレベル確認応答情報を備える、Ｃ２０に記載の装置。
[Ｃ２３]  前記プロセッサは、ジョイントコーディングされた確認応答ビットを生成するために、前記確認応答情報の複数の確認応答ビットに対してジョイントコーディングを実行するように構成される、Ｃ２０に記載の装置。
[Ｃ２４]  前記コンポーネントキャリアの前記インターレースを通じて前記アップリンク制御情報を送信することは、
前記インターレースの各リソースブロックを通じて前記ジョイントコーディングされた確認応答ビットの異なる部分を送信すること
を備える、Ｃ２３に記載の装置。
[Ｃ２５]  前記複数の非連続同時リソースブロックは、均一拡散パターンに従って周波数で離間される、Ｃ１９に記載の装置。
[Ｃ２６]  前記アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信される、Ｃ１９に記載の装置。
[Ｃ２７]  前記アップリンク制御情報は、前記無認可無線周波数スペクトル帯域に関するチャネル状態情報（ＣＳＩ）を備える、Ｃ１９に記載の装置。
[Ｃ２８]  プロセッサによって実行可能な命令を記憶するための非一時的コンピュータ可読媒体であって、
ワイヤレスデバイスにおいてアップリンク制御情報を生成するための命令と、
無認可無線周波数スペクトル帯域のコンポーネントキャリアのインターレースを通じて前記アップリンク制御情報を送信するための命令と、前記インターレースが、前記無認可無線周波数スペクトル帯域における複数の非連続同時リソースブロックを備える、
を備え、
前記インターレースにおける少なくとも２つのリソースブロックは、前記アップリンク制御情報の異なる部分を備える、非一時的コンピュータ可読媒体。
[Ｃ２９]  前記アップリンク制御情報を生成するための前記命令は、
ダウンリンク送信を受信するための命令と、
前記ダウンリンク送信に関する確認応答情報を生成するための命令と、前記アップリンク制御情報が前記確認応答情報を備える、
を備える、Ｃ２８に記載の非一時的コンピュータ可読媒体。
[Ｃ３０]  前記確認応答情報は、前記ダウンリンク送信の個別コードブロックまたは前記ダウンリンク送信のコードブロックのグループ、に関するコードブロックレベル確認応答情報を備える、Ｃ２９に記載の非一時的コンピュータ可読媒体。
【図１】
2020039141.tif 000006
【図２】
2020039141.tif 000007
【図３】
2020039141.tif 000008
【図４Ａ】
2020039141.tif 000009
【図４Ｂ】
2020039141.tif 000010
【図５】
2020039141.tif 000011
【図６】
2020039141.tif 000012
【図７】
2020039141.tif 000013
【図８】
2020039141.tif 000014
【図９】
2020039141.tif 000015
【図１０】
2020039141.tif 000016
【図１１】
2020039141.tif 000017
【図１２】
2020039141.tif 000018
【図１３】
2020039141.tif 000019
【図１４】
2020039141.tif 000020
【図１５】
2020039141.tif 000021
【図１６】
2020039141.tif 000022
【図１７】
2020039141.tif 000023
【図１８】
2020039141.tif 000024
【図１９】
2020039141.tif 000025
【図２０】
2020039141.tif 000026
【図２１】
2020039141.tif 000027
【図２２】
2020039141.tif 000028
【図２３】
2020039141.tif 000029
【図２４】
2020039141.tif 000030
【図２５】
2020039141.tif 000031
【図２６】
2020039141.tif 000032
【図２７】
2020039141.tif 000033
【図２８】
2020039141.tif 000034
【図２９】
2020039141.tif 000035
【図３０】
2020039141.tif 000036
【図３１】
2020039141.tif 000037
【図３２】
2020039141.tif 000038
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレスデバイスにおいて確認応答情報を生成すること、前記確認応答情報は、コードブロックレベルにおいて、ダウンリンク送信の複数のコードブロックが正しく受信されたかどうかを示す、と、
無認可無線周波数スペクトル帯域のコンポーネントキャリアのインターレースを通じて前記確認応答情報を送信することと
を備える方法。
【請求項２】
前記確認応答情報は、複数のビットを備え、各ビットは、個別コードブロックが正しく受信されたかどうかを示す、請求項１に記載の方法。
【請求項３】
前記確認応答情報は、コードブロックのグループが正しく受信されたかどうかを示す少なくとも１つのビットを備える、請求項１に記載の方法。
【請求項４】
前記インターレースは、前記無認可無線周波数スペクトル帯域における複数の非連続同時リソースブロックを備える、請求項１に記載の方法。
【請求項５】
前記インターレースを通じて前記確認応答情報を送信することは、
前記インターレースの前記リソースブロックのサブセットを通じて前記確認応答情報を送信すること
を備える、請求項４に記載の方法。
【請求項６】
前記インターレースを通じて前記確認応答情報を送信することは、
前記インターレースの前記リソースブロックの異なるサブセットを通じて前記確認応答情報の異なる部分を送信すること
を備える、請求項４に記載の方法。
【請求項７】
前記インターレースを通じて前記確認応答情報を送信することは、
前記インターレースの前記リソースブロックの各々を通じて前記確認応答情報を送信すること
を備える、請求項４に記載の方法。
【請求項８】
ジョイントコーディングされた確認応答ビットを生成するために、前記確認応答情報の複数の確認応答ビットに対してジョイント畳み込みコーディングを実行すること
をさらに備える、請求項４に記載の方法。
【請求項９】
前記インターレースを通じて前記確認応答情報を送信することは、
前記インターレースの各リソースブロックを通じて前記ジョイントコーディングされた確認応答ビットの異なる部分を送信すること
を備える、請求項８に記載の方法。
【請求項１０】
前記複数の非連続同時リソースブロックは、均一拡散パターンに従って周波数で離間される、請求項４に記載の方法。
【請求項１１】
前記確認応答情報は、フォーマット１ａ、フォーマット１ｂ、フォーマット２、およびフォーマット３から成るグループからの物理アップリンク制御チャネル（ＰＵＣＣＨ）フォーマットに従って送信される、請求項１に記載の方法。
【請求項１２】
前記無認可無線周波数スペクトル帯域に関するチャネル状態情報（ＣＳＩ）を生成することをさらに備え、
ここにおいて、前記確認応答情報を送信することは、前記確認応答情報と前記ＣＳＩとを備えるアップリンク制御チャネルを送信することを備える、
請求項１に記載の方法。
【請求項１３】
ワイヤレス通信のための装置であって、
ワイヤレスデバイスにおいて確認応答情報を生成するための手段、前記確認応答情報は、コードブロックレベルにおいて、ダウンリンク送信の複数のコードブロックが正しく受信されたかどうかを示す、と、
無認可無線周波数スペクトル帯域のコンポーネントキャリアのインターレースを通じて前記確認応答情報を送信するための手段と
を備える装置。
【請求項１４】
前記確認応答情報は、複数のビットを備え、各ビットは、個別コードブロックが正しく受信されたかどうかを示す、請求項１３に記載の装置。
【請求項１５】
前記確認応答情報は、コードブロックのグループが正しく受信されたかどうかを示す少なくとも１つのビットを備える、請求項１３に記載の装置。
【請求項１６】
前記インターレースは、前記無認可無線周波数スペクトル帯域における複数の非連続同時リソースブロックを備える、請求項１３に記載の装置。
【請求項１７】
前記インターレースを通じて前記確認応答情報を前記送信するための手段は、
前記インターレースの前記リソースブロックのサブセットを通じて前記確認応答情報を送信するための手段
を備える、請求項１６に記載の装置。
【請求項１８】
前記インターレースを通じて前記確認応答情報を前記送信するための手段は、
前記インターレースの前記リソースブロックの異なるサブセットを通じて前記確認応答情報の異なる部分を送信するための手段
を備える、請求項１６に記載の装置。
【請求項１９】
前記インターレースを通じて前記確認応答情報を前記送信するための手段は、
前記インターレースの前記リソースブロックの各々を通じて前記確認応答情報を送信するための手段
を備える、請求項１６に記載の装置。
【請求項２０】
ジョイントコーディングされた確認応答ビットを生成するために、前記確認応答情報の複数の確認応答ビットに対してジョイント畳み込みコーディングを実行するための手段
をさらに備える、請求項１６に記載の装置。
【請求項２１】
前記インターレースを通じて前記確認応答情報を前記送信するための手段は、
前記インターレースの各リソースブロックを通じて前記ジョイントコーディングされた確認応答ビットの異なる部分を送信するための手段
を備える、請求項２０に記載の装置。
【請求項２２】
ワイヤレス通信のための装置であって、
プロセッサと、
前記プロセッサに結合されたメモリと
を備え、ここにおいて、前記プロセッサは、
ワイヤレスデバイスにおいて確認応答情報を生成すること、前記確認応答情報は、コードブロックレベルにおいて、ダウンリンク送信の複数のコードブロックが正しく受信されたかどうかを示す、と、
無認可無線周波数スペクトル帯域のコンポーネントキャリアのインターレースを通じて前記確認応答情報を送信することと
を行うように構成される、装置。
【請求項２３】
前記確認応答情報は、複数のビットを備え、各ビットは、個別コードブロックが正しく受信されたかどうかを示す、請求項２２に記載の装置。
【請求項２４】
前記確認応答情報は、コードブロックのグループが正しく受信されたかどうかを示す少なくとも１つのビットを備える、請求項２２に記載の装置。
【請求項２５】
前記インターレースは、前記無認可無線周波数スペクトル帯域における複数の非連続同時リソースブロックを備える、請求項２２に記載の装置。
【請求項２６】
前記インターレースを通じて前記確認応答情報を送信することは、
前記インターレースの前記リソースブロックのサブセットを通じて前記確認応答情報を送信すること
を備える、請求項２５に記載の装置。
【請求項２７】
前記インターレースを通じて前記確認応答情報を送信することは、
前記インターレースの前記リソースブロックの異なるサブセットを通じて前記確認応答情報の異なる部分を送信すること
を備える、請求項２５に記載の装置。
【請求項２８】
前記インターレースを通じて前記確認応答情報を送信することは、
前記インターレースの前記リソースブロックの各々を通じて前記確認応答情報を送信すること
を備える、請求項２５に記載の装置。
【請求項２９】
前記確認応答情報は、フォーマット１ａ、フォーマット１ｂ、フォーマット２、およびフォーマット３から成るグループからの物理アップリンク制御チャネル（ＰＵＣＣＨ）フォーマットに従って送信される、請求項２２に記載の装置。
【請求項３０】
プロセッサによって実行可能な命令を記憶するためのコンピュータ可読媒体であって、
ワイヤレスデバイスにおいて確認応答情報を生成するための命令、前記確認応答情報は、コードブロックレベルにおいて、ダウンリンク送信の複数のコードブロックが正しく受信されたかどうかを示す、と、
無認可無線周波数スペクトル帯域のコンポーネントキャリアのインターレースを通じて前記確認応答情報を送信するための命令と
を備えるコンピュータ可読媒体。